(57)【要約】  回路保護器監視および管理のためのシステムおよび方法。【特許請求の範囲】
【請求項１】
回路保護器システムであって、遮断可能電流路を介して指定した電流状態が発生したときにそこを介する前記遮断可能電流路を画定する少なくとも１つの過電流回路保護器と、前記回路保護器に連結され、前記電流路の作動状態を監視するように適合された状態素子と、前記状態素子と通信状態にある電子管理システムであって、前記回路保護器が作動して前記電流路を開いたときに、有責要員に自動的に警報を発し、召集して前記作動した回路保護器の位置を特定するように適合された前記管理システムを備える回路保護器システム。
【請求項２】
前記状態素子は、前記管理システムとワイヤレスで通信する請求項１に記載のシステム。
【請求項３】
前記状態素子はＲＦＩＤチップを備える請求項１に記載のシステム。
【請求項４】
前記状態素子は送信機を備える請求項１に記載のシステム。
【請求項５】
前記状態素子はスマートカードを備える請求項１に記載のシステム。
【請求項６】
前記状態素子は機械的アクチュエータを備える請求項１に記載のシステム。
【請求項７】
光学的起動指示回路を更に備える請求項１に記載のシステム。
【請求項８】
前記状態素子は、前記回路保護器の作動に関するデータと情報を収集し、それにより電気システムの診断評価と故障探求を促進する請求項１に記載のシステム。
【請求項９】
前記管理システムは、遠隔装置により要員に警報を発し、召集するように適合され、前記遠隔装置は、コンピュータ、ページャー、ディスパッチャ、携帯電話、ファクシミリ装置、応答ツール、手持ち電子装置、およびそれらの組み合わせを備えるグループから選択される請求項１に記載のシステム。
【請求項１０】
前記状態素子と前記管理システムのインタフェースを取る通信リンクを更に備え、前記通信リンクは、ハードワイヤ通信リンク、光学通信リンク、ネットワーク通信リンク、ワイヤレス通信リンク、衛星通信リンク、電力線周波数キャリア、およびそれらの組み合わせを備えるグループから選択される請求項１に記載のシステム。
【請求項１１】
前記状態素子は前記回路保護器の作動を、ポーリング法、電流監視、電圧監視、温度感知、振動および変位感知、機械的応力およびひずみ感知、音響放射感知、ノイズ感知、熱映像およびサーマログラフィ、電気抵抗感知、圧力感知、湿度感知、およびビデオ監視の少なくとも１つを介して特定するように適合されている請求項１に記載のシステム。
【請求項１２】
前記管理システムは、少なくとも１つの遠隔システムと電子的に通信し、前記少なくとも１つの遠隔システムは、在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択されている請求項１に記載のシステム。
【請求項１３】
前記状態素子は、前記回路保護器の外部のある位置において前記回路保護器の端子素子に機械的および電気的に接続された監視モジュールであって、前記回路保護器に後付け設置できるように適合された前記モジュールを備える請求項１に記載のシステム。
【請求項１４】
前記監視モジュールは無線周波数（ＲＦ）送信機を備える請求項１３に記載のシステム。
【請求項１５】
前記監視モジュールからＲＦ信号を受信する少なくとも１つのルーター／中継器素子であって、前記ＲＦ信号を、前記ＲＦ信号を処理し、前記信号を前記ＲＦ信号のプロトコルとは異なる所定メッセージプロトコルに変換するインテリジェントゲートウェイ装置に転送する前記ルーター／中継器素子を更に備える請求項１４に記載のシステム。
【請求項１６】
前記管理システムは、ｅメール通知と、ファックス通知と、ページャー通知と、ウェブページ通知と、および音声通知との少なくとも１つを介して要員に警報を発し、召集するように適合されている請求項１に記載のシステム。
【請求項１７】
前記管理システムはデータメッセージに応答し、前記データメッセージは、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数ビットを備える請求項１に記載のシステム。
【請求項１８】
前記管理システムは、前記状態素子の監視モードを特定するように適合されていて、前記監視モードは、登録状態と、発見状態と、起動状態と、中断状態と、非起動状態と、およびオフライン状態とを備えるグループから選択されている請求項１に記載のシステム。
【請求項１９】
前記管理システムと通信する多機能応答ツールであって、通信装置と、測位装置と、スキャナー装置と、マルチメータ装置と、温度計装置と、エンタテイメント装置と、オーディオ／ビデオ装置と、教育装置と、撮像装置と、およびスペクトル解析とのグループから選択された複数装置を備える前記ツールを更に備える請求項１に記載のシステム。
【請求項２０】
前記管理システムは、作動した回路保護器に応答するときに、前記回路保護器の位置における潜在的危険要素に関する情報と、利用すべき予防策を搬送するように適合されている請求項１に記載のシステム。
【請求項２１】
回路保護器システムであって、複数の過電流回路保護器であって、それぞれが遮断可能電流路を介して指定した電流状態が発生したときにそこを介する前記遮断可能電流路を画定する前記複数の過電流回路保護器と、前記回路保護器のそれぞれに連結されている状態素子であって、それぞれが、前記個々の電流路の作動状態を監視するように適合されていて、少なくとも１つは、前記回路保護器が作動して１つまたは２つ以上の前記電流路が遮断されたときにデータ信号を送信するように適合されている前記状態素子と、前記データ信号を前記少なくとも１つの状態素子から受信するように適合されているゲートウェイ装置と、前記ゲートウェイ装置と通信状態にある電子管理システムであって、前記回路保護器が作動して前記電流路を開いたときに、有責要員に警報を発し、召集して前記作動した回路保護器の位置を特定するように適合されている前記電子管理システムを備える回路保護器システム。
【請求項２２】
前記状態素子は、前記ゲートウェイ装置とワイヤレスで通信する請求項２１に記載のシステム。
【請求項２３】
前記電子管理システムは、前記回路保護器の作動に応答して特別手順を開始するように適合されている請求項２１に記載のシステム。
【請求項２４】
前記状態素子は、前記回路保護器の外部のある位置において前記回路保護器の端子素子に機械的および電気的に接続された監視モジュールであって、前記回路保護器に後付け設置できるように適合された前記モジュールを備える請求項２１に記載のシステム。
【請求項２５】
前記監視モジュールは、無線周波数（ＲＦ）送信機を備える請求項２１に記載のシステム。
【請求項２６】
前記監視モジュールからＲＦ信号を受信する少なくとも１つの中継器／ルーター素子であって、前記ＲＦ信号を、前記ＲＦ信号を処理し、前記信号を前記ＲＦ信号のプロトコルとは異なる所定メッセージプロトコルに変換する前記ゲートウェイ装置に転送する前記中継器／ルーター素子を更に備える請求項２５に記載のシステム。
【請求項２７】
前記監視モジュールは、前記電流路が遮断されたときに前記回路保護器の両端にかかる電圧変化を検出する電圧センサを備え、前記電圧変化により、前記ゲートウェイ装置への前記データ信号の送信がトリガーされる請求項２４に記載のシステム。
【請求項２８】
前記管理システムは、ｅメール通知と、ファックス通知と、ページャー通知と、ウェブページ通知と、および音声通知との少なくとも１つを介して要員に警報を発し、召集するように適合されている請求項２１に記載のシステム。
【請求項２９】
前記少なくとも１つの回路保護器はヒューズを備え、前記状態素子は、前記ヒューズの作動に関連するデータを送信し、前記データは、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数ビットを備える請求項２１に記載のシステム。
【請求項３０】
回路保護器システムであって、複数の過電流保護ヒューズであって、それぞれが第１および第２端子素子の間に延伸する主要ヒューズ素子を有し、前記主要ヒューズ素子は、前記主要ヒューズ素子を介して指定した電流状態が発生したときにそこを介する遮断可能電流路を画定する前記過電流保護ヒューズと、前記回路保護器のそれぞれに連結された状態素子であって、前記個々のヒューズの前記第１および第２端子素子の両端にかかる電圧差を感知するように適合された監視モジュールと、低電力無線周波数（ＲＦ）送信機を備えた少なくとも１つの通信モジュールであって、前記第１および第２端子素子の両端にかかる電圧降下が感知されたときに、ＲＦデータ信号を生成するように適合されている前記通信モジュールを備える状態素子と、前記状態素子のいずれからインテリジェントゲートウェイ装置へＲＦデータ信号を転送するように適合されている複数の無線中継器／ルーター素子と、前記中継器／ルーター素子を介して転送されたデータ信号を受信するように適合されている前記ゲートウェイ装置と、前記ゲートウェイ装置と通信状態にある概要および応答急送システムであって、１つまたは２つ以上の作動したヒューズの有責要員に警報を発し、召集して、影響を受けた回路を効率よく再作動するために、交換する前記作動したヒューズの位置を特定するように適合されている前記概要および応答急送システムを備える回路保護器システム。
【請求項３１】
前記データ信号はデジタル無線周波数信号を備える請求項３０に記載のシステム。
【請求項３２】
前記監視モジュールは、前記ヒューズ本体の外部のある位置において前記個々のヒューズの第１および第２端子素子に機械的および電気的に接続され、それにより設置されたヒューズへの後付け設置が提供される請求項３０に記載のシステム。
【請求項３３】
前記ゲートウェイは前記ＲＦ信号を処理し、受信信号を、前記ＲＦ信号のプロトコルとは異なる所定メッセージプロトコルに変換する請求項３０に記載のシステム。
【請求項３４】
前記管理システムは、ｅメール通知と、ファックス通知と、ページャー通知と、ウェブページ通知と、および音声通知との少なくとも１つを介して要員に警報を発し、召集するように適合されている請求項３０に記載のシステム。
【請求項３５】
前記データ信号は、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数ビットを備える請求項３０に記載のシステム。
【請求項３６】
前記管理システムは、有責要員への警報の確認応答を待ち、所定時間内に確認応答が受信されない場合は、前記作動したヒューズの有責要員に再び警報を発し、再召集して、前記作動したヒューズの位置を特定するように適合されている請求項３０に記載のシステム。
【請求項３７】
前記電子管理システムは、前記回路保護器の作動に応答して特別手順を開始するように適合されていて、前記特別手順は、補助電力の起動と、機器の停止と、および解析用に回路データを保存することのグループから選択されている請求項３０に記載のシステム。
【請求項３８】
電気システムにおいて、回路保護器が作動して電気システムの一部分を前記電気システムの別の部分から隔離したときに、影響を受けた回路を効率的に再作動する方法であって、関心対象の前記個々の回路保護器に近接する状態素子と、前記状態素子に応答する電子管理システムを提供することと、前記状態素子を使用して、前記電気システムに設置されたときに、前記回路保護器の作動状態を感知することと、前記回路保護器の前記感知された状態に基づいて、前記回路保護器の１つが作動して前記電気システムの一部分を隔離したときに、前記状態素子の少なくとも１つから遠隔位置へ、前記作動した回路保護器の位置を特定するために、少なくとも識別コードとアドレスコードを備えるデータ信号を通信することとを備える方法。
【請求項３９】
前記通信された信号に応答して、前記電子管理システムから、前記作動した回路保護器と前記作動した回路保護器の位置の有責要員への警報および召集を生成することを更に備える請求項３８に記載の方法。
【請求項４０】
前記通信された信号に応答して、作動した回路保護器に応答するときに、前記回路保護器の位置における潜在的危険要素に関する情報と、利用すべき予防策を搬送する請求項３８に記載の方法。
【請求項４１】
前記回路保護器はヒューズを備え、前記方法は、前記電気システムの保守に関連する少なくとも１つの遠隔システムを通信することを更に備え、前記少なくとも１つの遠隔システムは、在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択されている請求項３８に記載の方法。
【請求項４２】
前記回路保護器の作動状態を感知することは、前記回路保護器の両端にかかる電圧降下を感知することを備える請求項３８に記載の方法。
【請求項４３】
前記状態素子の少なくとも１つからデータ信号を通信することは、前記データ信号をワイヤレスで送信することを備える請求項３８に記載の方法。
【請求項４４】
関心対象の前記回路保護器の近傍に複数の中継器／ルーターと、概要および応答急送システムに接続されているインテリジェントゲートウェイ装置を設けることと、前記中継器／ルーターの１つで、前記状態素子の少なくとも１つからの前記通信されたデータ信号を受信することと、前記中継器／ルーターを利用して、前記受信信号を前記ゲートウェイ装置に転送することと、前記ゲートウェイ装置を使用して、前記中継器／ルーターから受信した信号を、前記管理システムと通信する前に処理することを更に備える請求項４３に記載の方法。
【請求項４５】
前記電子管理システムからの警報および召集を、ｅメール通知と、ファックス通知と、ページャー通知と、ウェブページ通知と、および音声通知との少なくとも１つを介して生成することを更に備える請求項３８に記載の方法。
【請求項４６】
関心対象の前記個々の回路保護器に近接する状態素子を設けることは、関心対象の前記回路保護器の外部表面へ感知モジュールを取り付けることを備え、それにより、電気システムの既存ヒューズへの後付け設置が容易になる請求項３８に記載の方法。
【請求項４７】
回路保護器システムであって、電気システムにおける複数の回路保護器の作動状態を感知する手段と、前記回路保護器の１つまたは２つ以上の感知された作動に対応するデータ信号を通信し、それにより前記電気システムの少なくとも一部分を、前記電気システムの別の部分から隔離する手段と、前記回路保護器の１つまたは２つ以上の感知された作動に対応する前記データ信号を受信する手段と、前記回路の効率的な再作動を可能にするために、人間の介在なしに、作動した回路保護器のタイプおよび位置の有責要員に対する警報と召集を生成する手段を備える回路保護器システム。
【請求項４８】
前記通信する手段は、低電力ワイヤレス信号を送信する手段を備える請求項４７に記載のシステム。
【請求項４９】
前記受信する手段は、インテリジェントゲートウェイ装置素子を備える請求項４７に記載のシステム。
【請求項５０】
前記警報および召集を生成する手段は、ｅメール通知と、ファックス通知と、ページャー通知と、ウェブページ通知と、および音声通知との少なくとも１つを介して警報および召集を生成する手段を備える請求項４７に記載のシステム。
【請求項５１】
前記回路保護器はヒューズを備え、前記作動状態を感知する手段は、電圧センサを前記ヒューズの外部表面に取り付ける手段を備える請求項４７に記載のシステム。
【請求項５２】
回路保護器監視アセンブリであって、遮断可能電流路を介して指定した電流状態が発生したときにそこを介する前記遮断可能電流路を画定する少なくとも１つの過電流回路保護器と、前記回路保護器に連結された状態素子であって、前記電流路の前記作動状態に関する情報であって、少なくとも状態素子識別子および位置識別子を備える前記情報を通信するように適合された前記状態素子を備える回路保護器監視アセンブリ。
【請求項５３】
前記状態素子は、前記情報を管理システムにワイヤレスで通信するように適合されている請求項５２に記載のアセンブリ。
【請求項５４】
前記状態素子は、ＲＦＩＤチップを備える請求項５２に記載のアセンブリ。
【請求項５５】
前記状態素子は、送信機を備える請求項５２に記載のアセンブリ。
【請求項５６】
前記状態素子は、スマートカードを備える請求項５２に記載のアセンブリ。
【請求項５７】
前記状態素子は、は機械的に始動される請求項５２に記載のアセンブリ。
【請求項５８】
光学的起動指示回路を更に備える請求項５２に記載のアセンブリ。
【請求項５９】
前記状態素子は、前記回路保護器に対して内部にある請求項５２に記載のアセンブリ。
【請求項６０】
前記状態素子は、前記回路保護器の前記作動に関するデータを収集して、前記データを前記管理システムに通信する請求項５２に記載のアセンブリ。
【請求項６１】
前記状態素子と遠隔管理システムのインタフェースを取る通信リンクを更に備え、前記通信リンクは、ハードワイヤ通信リンク、光学通信リンク、ネットワーク通信リンク、ワイヤレス通信リンク、衛星通信リンク、電力線周波数キャリア、およびそれらの組み合わせのグループから選択される請求項５２に記載のアセンブリ。
【請求項６２】
前記状態素子は、ポーリング法、電流監視、電圧監視、温度感知、振動および変位感知、機械的応力およびひずみ感知、音響放射感知、ノイズ感知、熱映像およびサーマログラフィ、電気抵抗感知、圧力感知、湿度感知、およびビデオ監視の少なくとも１つを介して前記回路保護器の作動を特定するように適合されている請求項５２に記載のアセンブリ。
【請求項６３】
前記状態素子は、前記回路保護器の外部のある位置において前記回路保護器の端子素子に機械的および電気的に接続された監視モジュールであって、前記回路保護器に後付け設置できるように適合された前記モジュールを備える請求項５２に記載のアセンブリ。
【請求項６４】
前記監視モジュールは、無線周波数（ＲＦ）送信機を備える請求項６３に記載のアセンブリ。
【請求項６５】
前記少なくとも１つの回路保護器はヒューズを備え、前記状態素子は前記ヒューズの作動に関連するデータを送信し、前記データは、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットを備える請求項５２に記載のアセンブリ。
【請求項６６】
回路保護器システムに対する監視アセンブリであって、複数の過電流回路保護器であって、それぞれが遮断可能電流路を介して指定した電流状態が発生したときにそこを介する前記遮断可能電流路を画定する前記複数の過電流回路保護器と、前記回路保護器のそれぞれに連結されているモジュラー状態素子であって、それぞれが、前記個々の電流路の作動状態を監視するように適合されている前記状態素子と、前記モジュラー状態素子の少なくとも１つと通信する送信機であって、電子管理システムによる作動した回路保護器と、前記作動した回路保護器の位置特定のために、ワイヤレスデータ信号を、遠隔位置に送る前記送信機を備える監視アセンブリ。
【請求項６７】
前記送信機は、デジタル無線周波数信号を生成するように適合されている請求項６６に記載のアセンブリ。
【請求項６８】
前記モジュラー状態素子は、前記回路保護器の外部のある位置において前記回路保護器の端子素子に機械的および電気的に接続された監視モジュールであって、前記回路保護器にスナップオン設置できるように適合された前記モジュールを備える請求項６６に記載のアセンブリ。
【請求項６９】
前記モジュラー状態素子は、前記電流路が遮断されたときに前記回路保護器の両端にかかる電圧変化を検出する電圧センサを備え、前記電圧変化により、前記ワイヤレスデータ信号の送信がトリガーされる請求項６６に記載のアセンブリ。
【請求項７０】
前記回路保護器の少なくとも１つはヒューズであり、前記ワイヤレス信号は、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットを備える請求項６６に記載のアセンブリ。
【請求項７１】
前記送信機は、前記モジュラー状態素子の少なくとも１つと相互接続された通信モジュール内に設けられている請求項６６に記載のアセンブリ。
【請求項７２】
前記モジュラー状態素子の１つは通信モジュールを備え、前記通信モジュールは他の前記モジュラー状態素子に電力を供給する請求項６６に記載のアセンブリ。
【請求項７３】
前記モジュラー状態素子は複数のセンサモジュールを備え、少なくとも１つの通信モジュールは他と相互接続され、前記センサモジュールのそれぞれは、前記ワイヤレスデータ信号を送信する前記通信モジュールにデータ信号を送信する請求項６６に記載のアセンブリ。
【請求項７４】
ヒューズ監視アセンブリであって、第１および第２端子素子の間に延伸する主要ヒューズ素子であって、前記主要ヒューズ素子を介して指定した電流状態が発生したときにそこを介する遮断可能電流路を画定する前記主要ヒューズを有する過電流保護ヒューズと、前記ヒューズの作動に応答する監視モジュールを備え、前記監視モジュールはハウジング、前記ハウジングを前記回路保護器の外部表面に取り付けるように適合された搭載素子と、前記回路保護器の前記個々の第１および第２端子素子に延伸する第１および第２導電性アームを備え、送信機は前記監視モジュールに接続され、作動した回路保護器と、前記作動した回路保護器の位置特定のために、データ信号を遠隔位置に送信するヒューズ監視アセンブリ。
【請求項７５】
前記ハウジングは、前記導電性アームに接続された電圧センサを備える請求項７４に記載のアセンブリ。
【請求項７６】
前記送信機は、低電力無線周波数（ＲＦ）送信機を備える請求項７４に記載のアセンブリ。
【請求項７７】
前記データ信号は、デジタル無線周波数信号である請求項７４に記載のアセンブリ。
【請求項７８】
前記搭載素子は、搭載クリップを備え、前記搭載クリップは前記ヒューズの前記外部表面をスナップフィット係合で係合する請求項７４に記載のアセンブリ。
【請求項７９】
前記データ信号は、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットを備える請求項７４に記載のアセンブリ。
【請求項８０】
前記ハウジングの表面に露出された信号ポートと、前記モジュールを前記送信機に接続するインタフェースプラグを更に備える請求項７４に記載のアセンブリ。
【請求項８１】
電気システムにおける回路保護器の作動を監視する方法であって、前記回路保護器は導電性回路経路を遮断して前記電気システムの一部分を、前記電気システムの他の部分から隔離するように作動可能であり、前記方法は、関心対象の前記個々の回路保護器に近接する状態素子と、前記状態素子に応答し、前記回路保護器の１つが作動して前記電気システムの一部分を隔離したときに遠隔位置への、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットを備えるデータ信号を生成する送信機を設けることと、前記状態素子を使用して、前記電気システムに設置されたときに、前記回路保護器の作動状態を感知することと、前記回路保護器の前記感知された状態に基づいて、前記回路保護器の１つが作動して前記電気システムの一部分を隔離したときに、前記データ信号を遠隔位置に送信することを備える。
【請求項８２】
前記回路保護器の作動状態を感知することは、前記回路保護器の両端にかかる電圧降下を感知することを備える請求項８１に記載の方法。
【請求項８３】
データ信号を、前記状態素子の少なくとも１つから送信することは、前記データ信号をワイヤレスに送信することを備える請求項８１に記載の方法。
【請求項８４】
関心対象の前記個々の回路保護器に近接する状態素子を設けることは、関心対象の前記回路保護器の外部表面に感知センサを取り付けることを備え、それにより電気システムの既存ヒューズへの後付け設置が容易になる請求項８１に記載の方法。
【請求項８５】
回路保護器監視アセンブリであって、電気システムにおける複数の回路保護器の作動状態を感知する手段と、前記感知手段を、前記電気システムを修正することなしに前記回路保護器に取り付ける手段と、前記回路保護器の１つまたは２つ以上の感知された作動に対応する、前記電気システムにおける前記作動したヒューズの位置を特定するデータ信号を送信する手段を備える回路保護器監視アセンブリ。
【請求項８６】
前記送信手段は、低電力ワイヤレス信号を送信する手段を備える請求項８５に記載のアセンブリ。
【請求項８７】
前記回路保護器はフーズを備え、前記作動状態を感知する手段は電圧センサを備える請求項８５に記載のアセンブリ。
【請求項８８】
前記感知手段を前記回路保護器に取り付ける前記手段は、前記回路保護器とスナップフィット係合するように適合されている請求項８５に記載のアセンブリ。
【請求項８９】
ヒューズ本体と、前記本体に接続された第１および第２端子素子を有するユーズのヒューズ状態監視キットであって、前記キットは、ハウジングと、前記ハウジング内のセンサと、前記ヒューズ本体の外部表面を係合し、前記本体に前記ハウジングを取り付けるようにサイズ調整された搭載素子と、前記ハウジングに取り付け可能で、前記ハウジングから前記第１および第２端子素子それぞれに延伸するようにサイズ調整され、前記センサに接続されている第１および第２接触アームとを備えるヒューズ状態監視キット。
【請求項９０】
前記ハウジングは、前記センサに接続された信号ポートを備え、前記キットは、前記信号ポートに噛み合うように適合されたインタフェースプラグを備える請求項８９に記載のキット。
【請求項９１】
前記ハウジング内にワイヤレス送信機を更に備える請求項８９に記載のキット。
【請求項９２】
前記センサは電圧センサを備える請求項８９に記載のキット。
【請求項９３】
バッテリ、電力収穫装置、エネルギー格納素子、バックアップ電源、補助電源、または監視されている電気システムのグループから選択されている電源を更に備える回路請求項８９に記載のキット。
【請求項９４】
前記搭載素子は、スナップフィット係合で前記ヒューズ本体を係合する請求項８９に記載のキット。
【請求項９５】
前記接触アームは、多様な異なるヒューズを取り付けられるように調整できる請求項８９に記載のキット。
【請求項９６】
前記搭載素子は、多様な異なるヒューズを取り付けられるように調整できる請求項８９に記載のキット。
【請求項９７】
前記ハウジングは、複数のヒューズを監視するために複数のセンサを備える請求項８９に記載のキット。
【請求項９８】
前記ハウジングに取り付け可能な第３および第４接触アームを更に備える請求項８９に記載のキット。
【請求項９９】
前記第１および第２接触アームは、ヒューズを前記ハウジングと並べて機械的および電気的に係合するために前記ハウジングに対して回転可能である請求項８９に記載のキット。
【請求項１００】
前記ハウジングに取り付けられたリムーバブルバッテリアクセスドアを更に備える請求項８９に記載のキット。
【請求項１０１】
遮断可能電流路を介して指定した電流状態が発生したときにそこを介する前記遮断可能電流路を画定する少なくとも１つの過電流回路保護器と、前記回路保護器に連結され、前記電流路の作動状態を監視するように適合された状態素子に対する回路保護器信号送信システムであって、前記信号送信しステムは、前記状態素子と通信状態にあり、前記電流路の前記作動状態に対応する、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットを備えるデータ信号を、前記状態素子から受信するように適合されている電子ゲートウェイ装置を備える。
【請求項１０２】
前記電子ゲートウェイ装置と通信状態にある電子概要および応答急送システムを更に備え、前記応答急送システムは前記ゲートウェイ装置に応答し、前記回路保護器が作動して前記電流路を開いたときに、有責要員に自動的に警報を発し、召集して前記作動した回路保護器の位置を特定する請求項１０１に記載の信号送信システム。
【請求項１０３】
前記状態素子から信号を受信するように適合された少なくとも１つの中継器／ルーター素子を更に備え、前記中継／ルーター素子は、前記データ信号を、前記状態素子から前記ゲートウェイ装置に転送するように適合されている請求項１０１に記載の信号送信システム。
【請求項１０４】
前記中継／ルーター素子は、前記ゲートウェイとワイヤレスに通信する請求項１０３に記載の信号送信システム。
【請求項１０５】
前記ゲートウェイ装置は、前記中継／ルーター素子から第１メッセージプロトコルを受信し、前記第１メッセージプロトコルを、前記第１メッセージプロトコルとは異なる第２メッセージプロトコルに変換するように適合されている請求項１０３に記載の信号送信システム。
【請求項１０６】
前記中継／ルーター素子は、前記状態素子から無線周波数データ信号を受信し、前記無線周波数データ信号を前記ゲートウェイ装置に転送するように適合されている請求項１０３に記載の信号送信システム。
【請求項１０７】
前記状態素子と前記ゲートウェイ装置のインタフェースを取る通信リンクを更に含み、前記通信リンクは、ハードワイヤ通信リンク、光学通信リンク、ネットワーク通信リンク、ワイヤレス通信リンク、衛星通信リンク、電力線周波数キャリア、およびそれらの組み合わせを備えるグループから選択されている請求項１０１に記載の信号送信システム。
【請求項１０８】
前記ゲートウェイ装置は、前記状態素子からの入信データ信号をフィルタ処理し、繰り返しまたは重複信号送信を破棄するように適合されている請求項１０１に記載の信号送信システム。
【請求項１０９】
前記電子ゲートウェイ装置は、前記状態素子の監視モードを特定するように適合されており、前記監視モードは、登録状態と、発見状態と、起動状態と、中断状態と、非起動状態と、およびオフライン状態とを備えるグループから選択されている請求項１０１に記載の信号送信システム。
【請求項１１０】
複数の中継器／ルーター素子を更に備え、前記電子ゲートウェイ装置は、前記中継器／ルーター素子の適切な作動を確実なものにするために、構成および監視アルゴリズムを実行する請求項１０１に記載の信号送信システム。
【請求項１１１】
複数の中継器／ルーター素子を更に備え、前記電子ゲートウェイ装置は、前記システムへの中継器／ルーター素子の追加または前記システムからの削減をインテリジェントな方法で管理するように適合されている請求項１０１に記載の信号送信システム。
【請求項１１２】
前記信号は、ヒューズの作動に関連するデータを備え、前記データは、前記ヒューズ用固有識別子コードと前記ヒューズ用位置コードを備える請求項１０１に記載の信号送信システム。
【請求項１１３】
中継器／ルーター素子のメッシュネットワークを更に備え、前記ネットワークは、信号送信を前記ゲートウェイ装置に転送する複数の信号経路を備える請求項１０１に記載の信号送信システム。
【請求項１１４】
前記メッシュネットワークは、自動ルーティングおよび再ルーティング機能を有する自己構築型および自己治癒型である請求項１１３に記載の信号送信システム。
【請求項１１５】
複数の過電流回路保護器用の信号送信システムであって、前記過電流回路保護器のそれぞれは、遮断可能電流路を介して指定した電流状態が発生したときにそこを介する前記遮断可能電流路を画定し、前記状態素子は、前記回路保護器のそれぞれに連結され、前記状態素子のそれぞれは、前記回路保護器のそれぞれに連結され、前記状態素子のそれぞれは、前記個々の電流路の作動状態を監視するように適合され、前記状態素子の少なくとも１つは、前記回路保護器が作動して前記電流路の１つまたは２つ以上が遮断されたときに、データ信号を送信するように適合されており、前記信号送信システムは、前記状態素子の少なくとも１つの信号送信範囲内に位置する複数の中継器／ルーター素子と、前記少なくとも１つの状態素子からの前記データ信号を受信するように適合されているゲートウェイ装置を備え、前記中継器／ルーター素子は、前記データ信号を前記少なくとも１つの状態素子から受信し、前記データ信号を前記ゲートウェイ装置に、少なくとも前記作動した回路保護器用の固有回路保護器識別子と位置識別子を備える第１メッセージプロトコルで転送するように適合されている信号送信システム。
【請求項１１６】
前記中継器／ルーター素子は、前記ゲートウェイ装置とワイヤレスで通信する請求項１１５に記載の信号送信システム。
【請求項１１７】
前記データ信号は、デジタル無線周波数信号を備える請求項１１５に記載の信号送信システム。
【請求項１１８】
前記ゲートウェイ装置は、第１メッセージプロトコルの前記データ信号を受信し、前記データ信号を処理し、前記データ信号を、前記第１プロトコルとは異なる第２メッセージプロトコルに変換するように適合されている請求項１１５に記載の信号送信システム。
【請求項１１９】
前記複数の回路保護器はヒューズであり、前記状態素子は、前記ヒューズに関連するデータを送信し、前記データは、固有識別コード、アドレスコード、および故障コードを備える請求項１１５に記載の信号送信システム。
【請求項１２０】
疝気電子ゲートウェイ装置と通信状態にある電子概要および応答急送システムを更に備え、前記概要および応答急送システムは前記ゲートウェイ装置に応答し、前記回路保護器が作動して前記電流路の１つまたは２つ以上を開いたときに、有責要員に自動的に警報を発し、召集して前記作動した回路保護器の位置を特定するように適合されている請求項１１５に記載の信号送信システム。
【請求項１２１】
前記電子ゲートウェイ装置は、入信データ信号をフィルタ処理し、繰り返しまたは重複信号送信を破棄するように適合されている請求項１１５に記載の信号送信システム。
【請求項１２２】
前記電子ゲートウェイ装置は、認証、検証、およびセキュリティアルゴリズムを実行するように適合されている請求項１１５に記載の信号送信システム。
【請求項１２３】
前記電子ゲートウェイ装置は、前記中継器／ルーター素子の適正な作動を確実なものにするために、構成および監視アルゴリズムを実行するように適合されている請求項１１５に記載の信号送信システム。
【請求項１２４】
前記電子ゲートウェイ装置は、前記状態素子と前記ゲートウェイ装置の間の通信路におけるエラーを検出するために、タイムスタンプアラートアルゴリズムを実行するように適合されている請求項１１５に記載の信号送信システム。
【請求項１２５】
前記複数のルーター中継器素子は、信号送信を前記ゲートウェイ装置に転送するための複数の信号路を有するメッシュネットワークを確定する請求項１１５に記載の信号送信システム。
【請求項１２６】
前記メッシュネットワークは、自動ルーティングおよび再ルーティング機能を有する自己構築型および自己治癒型である請求項１２５に記載の信号送信システム。
【請求項１２７】
複数の過電流保護ヒューズ用回路保護器信号送信システムであって、前記過電流保護ヒューズのそれぞれは、第１および第２端子素子の間に延伸する主要ヒューズ素子を有し、前記主要ヒューズ素子は、前記主要ヒューズ素子介して指定した電流状態が発生したときにそこを介する前記遮断可能電流路を画定し、前記信号送信システムは、前記回路保護器のそれぞれに対応する状態素子であって、前記個々のヒューズの作動状態を感知するように適合された監視モジュールと、低電力無線周波数（ＲＦ）送信機を有する少なくとも１つの通信モジュールであって、前記ヒューズにおいて前記電流路の作動が感知されたときに、第１メッセージプロトコルを有するＲＦデータ信号を生成するように適合されている前記通信モジュールを備える状態素子と、前記通信モジュールの送信範囲に位置する複数の無線中継器／ルーター素子であって、ＲＦデータ信号を受信し、前記状態素子のいずれからインテリジェント電子ゲートウェイ装置に転送するように適合されている前記中継器／ルーター素子を備え、前記ゲートウェイ装置は、前記中継器／ルーター素子を介して転送された前記ＲＦデータ信号を受信し、前記データ信号を、前記第１メッセージプロトコルとは異なる、ネットワーク通信プロトコルに変換するように適合されている。
【請求項１２８】
前記ゲートウェイ装置と通信状態にある電子概要および応答急送システムを更に備え、前記概要および応答急送システムは、１つまたは２つ以上の作動したヒューズの有責要員に警報を発し、召集して、影響を受けた回路を効率よく再作動するために、交換する前記作動したヒューズの位置を特定するように適合されている請求項１２７に記載の信号送信システム。
【請求項１２９】
前記データ信号は、デジタル無線周波数信号を備える請求項１２７に記載のシステム。
【請求項１３０】
前記監視モジュールは、前記ヒューズ本体の外部のある位置において前記個々のヒューズの第１および第２端子素子に機械的および電気的に接続されており、それにより設置されたヒューズへの後付け設置が提供される請求項１２７に記載のシステム。
【請求項１３１】
前記データ信号は、固有識別コード、アドレスコード、および故障コードを備える請求項１２７に記載のシステム。
【請求項１３２】
前記電子ゲートウェイ装置は、前記複数の中継器／ルーター素子からの入信メッセージをフィルタ処理し、繰り返しまたは重複信号送信を破棄するように適合されている請求項１２７に記載の信号送信システム。
【請求項１３３】
前記電子ゲートウェイ装置は、認証、検証、およびセキュリティアルゴリズムを実行するように適合されている請求項１２７に記載の信号送信システム。
【請求項１３４】
前記電子ゲートウェイ装置は、診断、テスト、および故障探求手順を、前記中継器／ルーター素子の適正な作動を確実なものにするために実行する請求項１２７に記載の信号送信システム。
【請求項１３５】
前記電子ゲートウェイ装置は、前記システムへの中継器／ルーター素子および状態素子の追加または前記システムからの削減をインテリジェントな方法で管理するように適合されている請求項１２７に記載の信号送信システム。
【請求項１３６】
前記電子ゲートウェイ装置は、前記状態素子の監視モードを特定するように適合されており、前記監視モードは、登録状態と、発見状態と、起動状態と、中断状態と、非起動状態と、およびオフライン状態とを備えるグループから選択されている請求項１２７に記載の信号送信システム。
【請求項１３７】
前記複数のルーター中継器素子は、信号送信を前記ゲートウェイ装置に転送するための複数の信号路を有するメッシュネットワークを確定する請求項１２７に記載の信号送信システム。
【請求項１３８】
前記メッシュネットワークは、自動ルーティングおよび再ルーティング機能を有する自己構築型および自己治癒型である請求項１２７に記載の信号送信システム。
【請求項１３９】
回路保護器が作動して、電気システムの一部分を、前記電気システムの別の部分から隔離したときに、前記電気システムにおいて影響を受けた回路を効率よく再作動する方法であって、前記方法は、関心対象の前記個々の回路保護器に近接する状態素子であって、前記連結された回路保護器の作動状態に応答するデータ信号を生成するように適合された前記状態素子と、前記状態素子の前記信号送信範囲内の少なくとも１つの中継器／ルーター素子と、前記中継器／ルーター素子から信号を受信するように適合された電子ゲートウェイ装置と提供することと、前記状態素子を使用して、前記電気システムに設置されたときに、前記回路保護器の作動状態を感知することと、前記回路保護器の前記感知された状態に基づいて、前記状態素子の少なくとも１つから前記中継器／ルーター素子へデータ信号を通信することと、前記中継器／ルーター素子を使用して、前記データ信号を前記電子ゲートウェイ装置に転送することとを備える。
【請求項１４０】
前記回路保護器の１つが作動して前記電気システムの一部分を隔離したときに、前記ゲートウェイ装置を使用して、信号を電子概要および応答システムに通信することを更に備える請求項１３９に記載の方法。
【請求項１４１】
前記状態素子からデータ信号を送信することは、前記作動した回路保護器の位置を特定するための識別コードとアドレスコードを少なくとも備えるデータ信号を送信することを備える請求項１３９に記載の方法。
【請求項１４２】
前記回路保護器の作動状態を感知することは、前記回路保護器の両端にかかる電圧降を感知することを備える下請求項１３９に記載の方法。
【請求項１４３】
前記状態素子の少なくとも１つからデータ信号を送信することは、前記データ信号をワイヤレスに送信することを備える請求項１３９に記載の方法。
【請求項１４４】
前記ゲートウェイ装置を使用して、遠隔管理システムと通信する前に、前記中継器／ルーターから受信した信号を処理することを更に備える請求項１３９に記載の方法。
【請求項１４５】
関心対象の前記個々の回路保護器に近接する状態素子を設けることは、関心対象の前記回路保護器の外部表面に感知モジュールを取り付け、それにより電気システムに既存ヒューズの後付け設置を容易にすることを備える請求項１３９に記載の方法。
【請求項１４６】
回路保護器システムであって、電気システムにおける複数の回路保護器の作動状態を感知する手段と、前記回路保護器の１つまたは２つ以上の感知された作動に対応するデータ信号を通信し、それにより前記電気システムの少なくとも一部分を、前記電気システムの別の部分から隔離する手段と、前記送信手段から遠く離れて位置している、前記データ信号を受信し、転送する手段と、前記転送されたデータ信号を処理し、遠隔概要および応答急送システムと通信する手段を備える回路保護器システム。
【請求項１４７】
前記送信手段は、低電力ワイヤレス信号を送信する手段を備える請求項１４６に記載のシステム。
【請求項１４８】
前記受信手段は、インテリジェントゲートウェイ装置素子を備える請求項１４６に記載のシステム。
【請求項１４９】
前記回路保護器はヒューズであり、前記作動状態感知手段は、電圧センサを前記ヒューズの外部表面に取り付ける手段を備える請求項１４６に記載のシステム。
【請求項１５０】
回路保護器信号送信キットであって、電気システムにおいて、回路保護器への後付け設置に適合された少なくとも１つの状態素子であって、前記回路保護器が遮断するように作動して、前記電気システムの一部分を、前記電気システムの別の部分から隔離したときに、低電力ワイヤレスデータ信号を生成するように適合された前記状態素子と、前記状態素子の信号送信範囲内のある位置において、前記ワイヤレスデータ信号を受信するように適合された少なくとも１つのルーター中継器と、前記少なくとも１つの中継器／ルーター素子から転送されたデータ信号を受信するように適合されたゲートウェイ装置であって、前記データ信号を、ネットワークベースの概要および応答急送システムとの通信のためにネットワーク通信プロトコルに変換するように適合された前記ゲートウェイ装置を備える回路保護器信号送信キット。
【請求項１５１】
電気システムにおいて回路保護器を管理する方法であって、回路保護器状態素子は前記回路保護器に連結され、前記状態素子は、遠隔電子作動システムへの通信のためにデータ信号を生成するように適合されており、前記方法は、前記電気システムにおける、前記作動システムへの、前記個々の回路保護器に対応する設置データを容認することと、前記回路保護器の作動状態に対応するデータメッセージを受信することと、前記データメッセージがアラーム状態に対応するかを判断することと、アラーム状態が判断されたときに、ユーザーによる検査のために、前記アラーム状態に関する情報を提示することを備える。
【請求項１５２】
アラーム要約ディスプレイ、アラーム詳細ディスプレイ、およびアラームオプションディスプレイを含む画面ディスプレイに前記情報を提示することを更に備える請求項１５１に記載の方法。
【請求項１５３】
前記アラームオプションディスプレイは、アラーム確認応答、アラーム除去、またはアラーム転送オプションを備える請求項１５２に記載の方法。
【請求項１５４】
サイト平面図における前記情報と、回路保護器概要ディスプレイを提示することを更に備え、前記電気システムにおける前記回路保護器の前記相対位置を決定することができる請求項１５１に記載の方法。
【請求項１５５】
前記情報は、回路保護器位置と回路保護器の型の少なくとも１つを備える請求項１５１に記載の方法。
【請求項１５６】
ｅメール通知、ファックス通知、ページャー通知、ウェブページ通知、または音声通知の少なくとも１つを介して指定された要員へのアラーム通知と召集を電子的に生成することを更に備える請求項１５１に記載の方法。
【請求項１５７】
アラーム状態の電子確認応答を待ち、前記アラーム状態が確認応答されたかったときは、自動的に指定された要員に通知することを更に備える請求項１５１に記載の方法。
【請求項１５８】
前記アラーム状態が確認応答されなかったとき、前記アラーム状態の段階を引き上げることを更に備える請求項７に記載の方法。
【請求項１５９】
前記電気システムに関する特別手段を開始することを更に備える請求項１５１に記載の方法。
【請求項１６０】
前記データメッセージは、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数ビットの少なくとも１つを含む請求項１５１に記載の方法。
【請求項１６１】
情報を提示することは、情報を表形式およびグラフィック形式で提示することを備える請求項１５１に記載の方法。
【請求項１６２】
前記データメッセージは、ヒューズを介して流れる所定の電流条件で開くように構築された主要ヒューズ素子を有する回路保護器ヒューズの作動状態に対応する請求項１５１に記載の方法。
【請求項１６３】
前記ディスプレイ情報は、前記電気システムと連結された回路保護器を示す設備ツリーを備える請求項１５１に記載の方法。
【請求項１６４】
前記情報は、回路保護器位置を含む設備ツリーを含む請求項１５１に記載の方法。
【請求項１６５】
電気システムに対応する回路保護器情報を管理するネットワークベースシステムであって、前記システムは、ブラウザを備えるクライアントシステムと、情報格納用のデータベースと、前記クライアントシステムと前記データベースに結合されるように適合されたサーバーシステムを備え、前記サーバーは更に、前記電気システムにおける個々の回路保護器に対応する設置データを容認し、前記回路保護器の作動状態に対応するデータ信号を受信し、アラーム状態が存在すれば、ユーザーによる検査のために、前記アラーム状態に関する情報を表示するように適合されているネットワークベースシステム。
【請求項１６６】
前記ディスプレイ情報は、アラーム状態要約画面を備える請求項１６５に記載のシステム。
【請求項１６７】
前記ディスプレイ情報、回路保護器要約ディスプレイを備える請求項１６５に記載のシステム。
【請求項１６８】
前記ディスプレイ情報は、前記電気システム用サイト平面図を備える請求項１６５に記載のシステム。
【請求項１６９】
前記ディスプレイ情報は、表形式で提示される請求項１６５に記載のシステム。
【請求項１７０】
前記ディスプレイ情報、アラーム深刻度情報を備える請求項１６５に記載のシステム。
【請求項１７１】
前記ディスプレイ情報は、アラーム確認応答情報を備える請求項１６５に記載のシステム。
【請求項１７２】
前記ディスプレイ情報は、アラーム除去情報を備える請求項１６５に記載のシステム。
【請求項１７３】
前記ディスプレイ情報は、回路保護器位置と回路保護器の型の少なくとも１つを備える請求項１６５に記載のシステム。
【請求項１７４】
前記ディスプレイ情報は、アラーム転送情報を備える請求項１６５に記載のシステム。
【請求項１７５】
前記システムは、ｅメール通知、ファックス通知、ページャー通知、または音声メッセージ伝達の少なくとも１つを介して指定された要員へのアラームおよび召集を自動的に生成するように適合されている請求項１６５に記載のシステム。
【請求項１７６】
前記サーバーシステムは、アラーム状態の確認応答を待ち、前記アラーム状態が確認応答されないときは、指定された要員に通知するように更に適合されている請求項１６５に記載のシステム。
【請求項１７７】
前記サーバーシステムは、前記アラーム状態が確認応答されないときは、前記アラーム状態の段階を引き上げるように適合されている請求項１７６に記載のシステム。
【請求項１７８】
前記サーバーシステムは、前記電気システムに関連する特別手順を開始するように適合されている請求項１７６に記載のシステム。
【請求項１７９】
前記データ信号は、固有無線識別子と、前記状態素子用製造者シリアル番号と、前記回路保護器用装置型コードと、前記回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数データビットの少なくとも１つを含む請求項１６５に記載のシステム。
【請求項１８０】
前記アラーム状態は、閾値アラームまたは開いた回路保護器アラームの少なくとも１つを備える請求項１６５に記載のシステム。
【請求項１８１】
前記クライアントシステムに関連するユーザーは、電気システム技術者、保守者、回路保護製造元技術サポート者、前記電気システムの設備管理者、および回路保護器流通業者の少なくとも１人を含む請求項１６５に記載のシステム。
【請求項１８２】
前記サーバーシステムは少なくとも１つの遠隔システムと通信状態にあり、前記少なくとも１つの遠隔システムは、在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択されている請求項１６５に記載のシステム。
【請求項１８３】
前記サーバーシステムは、ヒューズを介して流れる所定の電流条件で開くように構築された主要ヒューズ素子を有する回路保護器ヒューズの作動状態に対応するデータ信号を受信し、前記データ信号が閾値アラームまたは開いたヒューズアラームに対応するかを判断し、アラーム状態が検出されると、ユーザーによる検査のために、前記アラームに連結された前記ヒューズに関連する情報を表示するように適合されている請求項１６５に記載のシステム。
【請求項１８４】
前記サーバーシステムは、前記電気システムにおける回路保護器に対応するマップ情報と、アラーム通知情報と、アラーム確認応答情報を提示するように適合されている請求項１６５に記載のシステム。
【請求項１８５】
前記ディスプレイ情報は、前記電気システムと連結された回路保護器を示す設備ツリーを備える請求項１６５に記載のシステム。
【請求項１８６】
電気システムに対応する回路保護器情報を管理するネットワークベースシステムであって、前記回路保護器は、そこを流れる電流条件に応答して開く主要ヒューズ素子を備えるヒューズを備え、前記状態素子は、前記ヒューズの作動状態に関連するデータ信号を生成し、前記ネットワークベースシステムは、ブラウザを備えるクライアントシステムと、前記回路保護器と前記電気システムに関連する設置情報格納用のデータベースと、前記クライアントシステムと前記データベースに結合されるように適合されたサーバーシステムを備え、前記サーバーは更に、前記回路保護器の作動状態に対応するデータ信号を受信し、前記データ信号がアラーム状態に対応するかを判断し、アラーム状態が存在すれば、ユーザーによる検査のために、前記アラーム状態に関する情報であって、前記アラームに対応するヒューズ位置とヒューズの型を少なくとも含み、それにより、アラームに応答した要員が前記アラーム源の位置を迅速に突き止め、前記アラーム状態を修正できる前記情報を表示するように適合されている。
【請求項１８７】
前記ディスプレイ情報は、ヒューズアラーム状態要約画面を備える請求項１８６に記載のシステム。
【請求項１８８】
前記ディスプレイ情報は、ヒューズ要約ディスプレイを備える請求項１８６に記載のシステム。
【請求項１８９】
前記ディスプレイ情報は、前記電気システム用のサイト平面図を備える請求項１８６に記載のシステム。
【請求項１９０】
前記ディスプレイ情報は、アラーム深刻度情報を備える請求項１８６に記載のシステム。
【請求項１９１】
前記ディスプレイ情報、ヒューズアラーム詳細画面を備える請求項１８６に記載のシステム。
【請求項１９２】
前記ディスプレイ情報は、アラーム確認応答情報を備える請求項１８６に記載のシステム。
【請求項１９３】
前記ディスプレイ情報は、アラーム除去情報を備える請求項１８６に記載のシステム。
【請求項１９４】
前記ディスプレイ情報は、アラーム転送情報を備える請求項１８６に記載のシステム。
【請求項１９５】
前記システムは、ｅメール通知、ファックス通知、ページャー通知、または音声メッセージ伝達の少なくとも１つを介して指定した要員へのアラーム通知および召集を自動的に生成するように適合されている請求項１８６に記載のシステム。
【請求項１９６】
前記サーバーシステムは、アラーム状態の確認応答を待ち、前記アラーム状態が確認応答されなかったときは、指定された要員に通知するように更に適合されている請求項１８６に記載のシステム。
【請求項１９７】
前記サーバーシステムは、前記アラーム状態が確認応答されなかったときは、前記アラームの段階を引き上げるように適合されている請求項１８６に記載のシステム。
【請求項１９８】
前記クライアントシステムに関連するユーザーは、電気システム技術者、保守者、回路保護製造元技術サポート者、前記電気システムの設備管理者、および回路保護器流通業者の少なくとも１人を含む請求項１８６に記載のシステム。
【請求項１９９】
前記ディスプレイ情報は、前記電気システムと、連結されたヒューズを示す設備ツリーを備える請求項１８６に記載のシステム。
【請求項２００】
コンピュータ読み取り可能媒体上に埋め込まれた、電気システムに対応する回路保護器情報を管理するコンピュータプログラムであって、前記プログラムは、前記回路保護器の作動状態に対応するデータ信号を受信し、前記受信信号に応答して、前記データ信号がアラーム状態に対応するかを判断し、ユーザーによる検査のために、アラーム状態に関する情報を表示する少なくとも１つのコードセグメントを備えるコンピュータプログラム。
【請求項２０１】
回路保護器位置と回路保護器の型を備えるアラーム状態要約画面を表示する少なくとも１つのコードセグメントを更に備える請求項２００に記載のプログラム。
【請求項２０２】
前記電気システム用のサイト平面図であって、前記電気システムにおける回路保護器の位置を含む前記サイト平面図を表示する少なくとも１つのコードセグメントを更に備える請求項２００に記載のプログラム。
【請求項２０３】
アラーム深刻度情報を表示する少なくとも１つのコードセグメントを更に備える請求項２００に記載のプログラム。
【請求項２０４】
アラーム確認応答情報を表示する少なくとも１つのコードセグメントを更に備える請求項２００に記載のプログラム。
【請求項２０５】
アラーム除去情報を表示する少なくとも１つのコードセグメントを更に備える請求項２００に記載のプログラム。
【請求項２０６】
前記アラーム状態に対応する回路保護器の型の絵を表示する少なくとも１つのコードセグメントを更に備える請求項２００に記載のプログラム。
【請求項２０７】
アラームを、ユーザー入力接触番号またはアドレスに転送する少なくとも１つのコードセグメントを更に備える請求項２００に記載のプログラム。
【請求項２０８】
ｅメール通知と、ファックス通知と、ページャー通知と、および音声メッセージ伝達の少なくとも１つを介して指定された要員へのアラーム通知および召集を自動的に生成する少なくとも１つのコードセグメントを更に備える請求項２００に記載のプログラム。
【請求項２０９】
アラーム状態の確認応答を待ち、前記アラーム状態が確認応答されなかったときは、指定された要員に通知する少なくとも１つのコードセグメントを更に備える請求項２００に記載のプログラム。
【請求項２１０】
前記アラーム状態が確認応答されなかったときは、前記アラーム状態の段階を引き上げる少なくとも１つのコードセグメントを更に備える請求項２００に記載のプログラム。
【請求項２１１】
前記電気システムに関連する特別手順を開始する少なくとも１つのコードセグメントを更に備える請求項２００に記載のプログラム。
【請求項２１２】
在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択された少なくとも１つの遠隔システムを通信する少なくとも１つのコードセグメントを更に備える請求項２００に記載のプログラム。
【請求項２１３】
回路保護器状態に応答するための、危険情報と予防策を特定する少なくとも１つのコードセグメントを更に備える請求項２００に記載のプログラム。
【請求項２１４】
ヒューズを介して流れる所定の電流条件で開くように構築された主要ヒューズ素子を有する回路保護器ヒューズの作動状態に対応するデータ信号を受信する少なくとも１つのコードセグメントを更に備える請求項２００に記載のプログラム。
【請求項２１５】
前記電気システムと、連結された回路保護器を示す設備ツリーを表示する少なくとも１つのコードセグメントを更に備える請求項２００に記載のプログラム。
【請求項２１６】
少なくとも１つの回路保護器と、前記回路保護器に連結された状態素子を有する電気システムに対応する回路保護器情報を管理する電子システムであって、前記電気システムにおける少なくとも１つの回路保護器に関連する設置データを格納する手段と、前記少なくとも１つの回路保護器の作動可能状態に関連するデータメッセージを受信する手段と、回路保護器アラーム状態および前記アラーム状態を引き起こした回路保護器の位置と、回路保護器の型を少なくとも含む情報をユーザーに表示する手段を備えたシステム。
【請求項２１７】
前記設置データ格納手段はデータベースを備える請求項２１６に記載のシステム。
【請求項２１８】
前記設置データは、固有無線識別子と、回路保護器シリアル番号と、装置型コードと、回路保護器位置コードと、通信装置用ワイヤレスアドレスと、前記ゲートウェイ装置用ＩＰアドレスと、入信データ信号用時間／日付スタンプと、ハードウェアバージョンコードと、入信メッセージ用データパケットカウントと、入信データパケットおよびメッセージ用エラーカウントと、エラーコードと、サイトレイアウト図と、電気システムサイト模式図と、顧客識別子と、および自動化警報通知接触情報のグループから選択されている請求項２１６に記載のシステム。
【請求項２１９】
前記受信手段はネットワークベースシステムを備える請求項２１６に記載のシステム。
【請求項２２０】
前記表示手段は、コンピュータ読み取り可能媒体上に埋め込まれたコンピュータプログラムを備える請求項２１６に記載のシステム。
【請求項２２１】
前記アラーム状態は、アラーム閾値または開いた回路保護器アラームを備える請求項２１６に記載のシステム。
【請求項２２２】
前記アラーム状態に応答して、前記回路保護器を評価する手段を更に備える請求項２１６に記載のシステム。
【請求項２２３】
前記アラーム状態は、アラーム深刻度指定を備える請求項２１６に記載のシステム。
【請求項２２４】
指定された要員に直接接触する手段を更に備える請求項２１６に記載のシステム。
【請求項２２５】
前記直接接触手段は、電話、ページャー、ファックス装置、テキストメッセージ伝達装置、または個人デジタル支援（ＰＤＡ：携帯情報端末）装置を備える請求項２２４に記載のシステム。
【請求項２２６】
前記表示手段はクライアントシステムを備え、前記クライアントシステムに関連するユーザーは、電気システム技術者、保守者、回路保護製造元技術サポート者、前記電気システムの設備管理者、および回路保護器流通業者の少なくとも１人を含む請求項２２４に記載のシステム。
【請求項２２７】
回路保護器管理用応答ツールであって、ユーザーにより電気システム内の回路保護器のサイトへ持ち運ばれるように適合されている携帯電子装置と、前記装置に取り付けられ、回路保護器データを前記ユーザーに提示するディスプレイを備え、前記情報は、前記電気システムにおける回路保護器に対応する位置データを備え、識別情報は、前記回路保護器に対応する応答ツール。
【請求項２２８】
前記コントローラに結合された通信装置を更に備える請求項２２７に記載の応答ツール。
【請求項２２９】
前記通信装置はページャー装置を備える請求項２２８に記載の応答ツール。
【請求項２３０】
前記通信装置は、携帯電話装置を備える請求項２２８に記載の応答ツール。
【請求項２３１】
前記通信装置はブルートゥース装置を備える請求項２２８に記載の応答ツール。
【請求項２３２】
デジタルマルチメータ装置を更に備える請求項２２７に記載の応答ツール。
【請求項２３３】
スキャナー装置を更に備える請求項２２７に記載の応答ツール。
【請求項２３４】
前記スキャナー装置はＲＦＩＤスキャナーを備える請求項２３３に記載の応答ツール。
【請求項２３５】
前記スキャナー装置は文書スキャナーを備える請求項２３３に記載の応答ツール。
【請求項２３６】
前記スキャナー装置はバーコードスキャナーを備える請求項２３３に記載の応答ツール。
【請求項２３７】
前記ツールはウェブブラウザを備える請求項２２７に記載の応答ツール。
【請求項２３８】
前記回路保護器の位置を突き止めるために使用する測位装置を更に備える請求項２２７に記載の応答ツール。
【請求項２３９】
前記測位装置は全地球測位システム装置を備える請求項２３８に記載の応答ツール。
【請求項２４０】
温度計を更に備える請求項２２７に記載の応答ツール。
【請求項２４１】
スペクトラムアナライザを更に備える請求項２２７に記載の応答ツール。
【請求項２４２】
撮像装置を更に備える請求項２２７に記載の応答ツール。
【請求項２４３】
オーディオ／ビデオ装置と、エンタテイメント装置と、教育装置の少なくとも１つを更に備える請求項２２７に記載の応答ツール。
【請求項２４４】
前記情報は、前記電気システムにおけるヒューズに対応する位置データを備え、識別情報は、前記ヒューズに対応する請求項２２７に記載の応答ツール。
【請求項２４５】
前記情報は、作動した回路保護器に応答するときに利用される危険情報と予防策情報を備える請求項２２７に記載の応答ツール。
【請求項２４６】
少なくとも１つの過電流回路保護器と、前記回路保護器に連結され、前記回路保護器の作動状態に対応するデータ信号を生成する状態素子を有する電気システムにおける回路保護器管理用応答ツールであって、ユーザーにより電気システムにおいて回路保護器のサイトへ持ち運ばれるように適合された保護ハウジングを備える携帯電子装置と、前記ハウジング内にあり、指定された電流状態が発生して前記回路保護器の１つが作動し、前記回路保護器を介する電流路を遮断して、前記電気システムの一部分を隔離したときに、アラーム状態の自動化警報および通知を受信する通信装置と、前記ハウジング内にあり、前記通信装置に接続され、前記電気システムにおける回路保護器に対応し、識別情報は前記回路保護器に対応する警報および通知データを前記ユーザーに提示するディスプレイを備える応答ツール。
【請求項２４７】
デジタルマルチメータ装置を、前記ハウジング内に更に備える請求項２４６に記載のツール。
【請求項２４８】
前記通信装置は、ページャー装置、携帯電話、およびブルートゥース装置のグループから選択されている請求項２４７に記載の応答ツール。
【請求項２４９】
ＲＦＩＤ走査、文書走査、およびバーコード走査の少なくとも１つに適合されたスキャナー装置を更に備える請求項２４７に記載の応答ツール。
【請求項２５０】
前記ツールは更にウェブブラウザを備える請求項２４７に記載の応答ツール。
【請求項２５１】
全地球測位システム装置を更に備える請求項２４７に記載の応答ツール。
【請求項２５２】
温度計を更に備える請求項２４７に記載の応答ツール。
【請求項２５３】
前記警報および通知データは、前記電気システムにおいて指定した電流状態に応答して遮断可能な電流路を画定する過電流保護ヒューズに対応する位置データを備え、識別情報は前記ヒューズに対応する請求項２４７に記載の応答ツール。
【請求項２５４】
エンタテイメント装置と、オーディオ／ビデオ記録装置と、撮像装置と、トレーニングおよび教育装置と、スペクトラムアナライザ装置の少なくとも１つを更に備える請求項２４７に記載の応答ツール。
【請求項２５５】
ヒューズを流れる電流状態に応答してシステムの一部分を隔離するように適合された少なくとも１つの過電流保護ヒューズと、前記ヒューズに連結され、過電流保護ヒューズの作動状態に対応するデータを生成する状態素子と、前記状態素子とワイヤレスで通信する概要および応答急送システムを有する前記システムにおける前記回路保護器管理用応答ツールであって、ユーザーにより、電気システムにおいて選択された回路保護器設置個所に持ち運ばれるように適合され、保護ハウジングを備える携帯電子装置と、前記ハウジングに固定され、指定した電流状態が発生し、前記ヒューズが作動して前記回路保護器を介しての電流路を遮断して前記電気システムの一部分を隔離したときに、前記概要および作動システムからアラーム状態の自動化された警報と通知を受信する通信装置と、前記ハウジングと前記通信装置に固定され、前記電気システムにおける前記ヒューズに対応する位置データを備える警報と通知データを前記ユーザーに提示し、識別情報はヒューズに対応するディスプレイと、前記ハウジングに固定されたデジタルマルチメータ装置を備える応答ツール。
【請求項２５６】
ＲＦＩＤ走査、文書走査、およびバーコード走査の少なくとも１つに適合したスキャナー装置を更に備える請求項２５５に記載の応答ツール。
【請求項２５７】
前記ツールは、ネットワークベースの概要および作動システムとの通信のためのウェブブラウザを更に備える請求項２５５に記載の応答ツール。
【請求項２５８】
全地球測位システム装置を更に備える請求項２５５に記載の応答ツール。
【請求項２５９】
エンタテイメント装置と、オーディオ／ビデオ記録装置と、撮像装置と、トレーニングおよび教育装置と、スペクトラムアナライザの少なくとも１つを更に備える請求項２５５に記載の応答ツール。
【請求項２６０】
回路保護器が作動して、電気システムの一部分を前記電気システムの別の部分から隔離したときに、前記電気システムにおいて影響を受けた回路を効率よく再作動する方法であって、関心対象の前記個々の回路保護器に近接する状態素子と、前記状態素子に応答する電子管理システムを設けることと、前記状態素子を使用して、前記電気システムに設置されたときに、前記回路保護器の作動状態を感知することと、前記回路保護器の前記感知された状態に基づいて、前記回路保護器の１つが作動して前記電気システムの一部分を隔離したときに、前記状態素子の少なくとも１つから遠隔位置へ、前記作動した回路保護器の位置を特定するために、少なくとも識別コードとアドレスコードを備えるデータ信号を送信することと、前記送信された信号に応答して、前記作動した回路保護器と、前記作動した回路保護器の前記位置の有責要員への警報および召集を生成することと、前記警報および召集を、ユーザーにより前記作動した回路保護器へ持ち運ばれるように適合された手持ち、多機能応答ツールへ送ることを備える方法。
【請求項２６１】
前記多機能応答ツールは、全地球測位システム装置を含み、前記方法は、前記全地球測位装置を使用して前記作動した回路保護器を見つけることを更に備える請求項２６０に記載の方法。
【請求項２６２】
前記多機能応答ツールは、デジタルマルチメータ装置と、温度計と、スペクトラムアナライザの１つを備え、前記方法は、前記マルチメータ装置と、前記温度計と、前記スペクトラムアナライザの１つを使用して前記回路保護器の前記作動状態を調べることを更に備える請求項２６０に記載の方法。
【請求項２６３】
前記多機能応答ツールはウェブブラウザを含み、前記電子管理システムはネットワークベース概要および回路保護器システムを含み、前記方法は、前記ウェブブラウザを使用して、前記概要および回路保護器システムにログオンして、アラーム要約ディスプレイと、アラーム詳細ディスプレイと、アラームオプションディスプレイの少なくとも１つを含む、アラーム状態情報を得ることを更に備える請求項２６０に記載の方法。
【請求項２６４】
前記多機能応答ツールはウェブブラウザを含み、前記電子管理システムは、ネットワークベース概要および応答急送システムを含み、前記方法は、前記ウェブブラウザを使用して前記概要および応答急送システムにログオンし、前記警報および召集を確認応答、除去、および転送することを更に備える請求項２６０に記載の方法。
【請求項２６５】
前記多機能応答ツールは走査装置を含み、前記方法は、前記特定された回路保護器の位置を突き止めることと、前記走査装置で前記回路保護器を走査することと、前記回路保護器の正体と、前記回路保護器の状態の少なくとも１つを確認することを更に備える請求項２６０に記載の方法。
【請求項２６６】
前記回路保護器の作動状態を感知することは、前記回路保護器の両端にかかる電圧降下を感知することを備える請求項２６０に記載の方法。
【請求項２６７】
前記状態素子の少なくとも１つからデジタル信号を送信することは、前記データ信号をワイヤレスで送信することを備える請求項２６０に記載の方法。
【請求項２６８】
作動した回路保護器に応答するときに、利用すべき危険情報と予防策情報を特定することを更に備える請求項２６０に記載の方法。
【請求項２６９】
回路保護器システムであって、複数の過電流保護ヒューズであって、それぞれが第１および第２端子素子の間に延伸する主要ヒューズ素子を有し、前記主要ヒューズ素子は、前記主要ヒューズ素子を介して指定した電流状態が発生したときにそこを介する遮断可能電流路を画定する前記過電流保護ヒューズと、前記回路保護器のそれぞれに連結された状態素子であって、前記個々のヒューズの前記第１および第２端子素子の両端にかかる電圧差を感知するように適合された監視モジュールと、低電力無線周波数（ＲＦ）送信機を有する少なくとも１つの通信モジュールであって、前記第１および第２端子素子の両端にかかる電圧降下が感知されたときに、ＲＦデータ信号を生成するように適合されている前記通信モジュールを含む状態素子と、前記状態素子のいずれからインテリジェントゲートウェイ装置へＲＦデータ信号を転送するように適合されている複数の無線ルーター／中継器素子と、前記ルーター／中継器素子を介して転送されたデータ信号を受信するように適合されている前記ゲートウェイ装置と、前記ゲートウェイ装置と通信状態にある電子概要および応答急送システムであって、１つまたは２つ以上の作動したヒューズの有責要員に警報を発し、召集して、影響を受けた回路を効率よく再作動するために、交換する前記作動したヒューズの位置を特定するように適合されている前記概要および応答急送システムと、警報および召集に応答するために、前記ヒューズに持ち運ばれるように適合された多機能応答ツールであって、前記警報および召集を受信し、交換する前記作動したヒューズの位置を表示するように適合された前記応答ツールを備える回路保護器システム。
【請求項２７０】
前記多機能応答ツールは、デジタルマルチメータ装置を備える請求項２６９に記載の応答ツール。
【請求項２７１】
前記多機能応答ツールは、ＲＦＩＤ走査、文書走査、およびバーコード走査の少なくとも１つに適合したスキャナー装置を更に備える請求項２６９に記載の応答ツール。
【請求項２７２】
前記概要および応答急送システムはネットワークベースシステムであり、前記多機能応答ツールは、ネットワークベース概要および作動システムとの通信のためにウェブブラウザを更に備える請求項２６９に記載の応答ツール。
【請求項２７３】
前記多機能応答ツールは、全地球測位システム装置を更に備える請求項２６９に記載の応答ツール。
【請求項２７４】
電気システムにおける複数の回路保護器の作動状態を感知する電気システム手段と、前記回路保護器の１つまたは２つ以上の感知された作動に対応するデータ信号を送信する手段用の回路保護器管理システムであって、前記作動した回路保護器の型と位置の有責要員への警報および召集を、人間の介在なしに生成し、前記回路の効率的な再作動を可能にする手段と、前記回路保護器の１つまたは２つ以上の感知された作動に対応する前記警報および召集を受信する手段と、前記情報を、前記回路保護器の前記位置において、前記警報および召集に応答するためにユーザーに表示する手段を備える応答ツールを備える回路保護器管理システム。
【請求項２７５】
前記応答ツールは、前記回路保護器の電圧またはそこを介して流れる電流を感知する手段を更に備える請求項２７４に記載のシステム。
【請求項２７６】
前記応答ツールは、前記ユーザーを前記電流保護器の前記位置へ導く手段を更に備える請求項２７５に記載のシステム。
【請求項２７７】
前記応答ツールは、前記回路保護器の電圧またはそこを介して流れる電流を感知する手段を更に備える請求項２７５に記載のシステム。
【請求項２７８】
前記応答ツールは、前記回路保護器の温度を感知する手段を備える請求項２７５に記載のシステム。
【請求項２７９】
前記応答ツールは、前記回路保護器を走査する手段を備える請求項２７５に記載のシステム。
【発明の詳細な説明】
【技術分野】
【０００１】
関連出願へのクロス・レファレンス
本出願は２００４年９月１０日に出願され、「回路保護のための方法とシステム（Ｍｅｔｈｏｄｓ  ａｎｄ  Ｓｙｓｔｅｍ  ｆｏｒ  Ｃｉｒｃｕｉｔ  Ｐｒｏｔｅｃｔｉｏｎ）」という名称の、米国暫定特許出願第６０／６０８，５８０号の恩典を主張するものであり、その全体の開示はここに参照によりその全体が組み込まれたものとする。
【０００２】
本出願はまた、２００５年９月＿日に出願され、「回路保護器監視アセンブリ（Ｃｉｒｃｕｉｔ  Ｐｒｏｔｅｃｔｏｒ  Ｍｏｎｉｔｏｒｉｎｇ  Ａｓｓｅｍｂｌｙ）」という名称の、米国出願第１０／＿号と、２００５年９月＿日に出願され、「回路保護器信号送信、方法、およびシステム（Ｃｉｒｃｕｉｔ  Ｐｒｏｔｅｃｔｏｒ  Ｓｉｇｎａｌ  Ｔｒａｎｓｍｉｓｓｉｏｎ，Ｍｅｔｈｏｄｓ，ａｎｄ  Ｓｙｓｔｅｍ）」という名称の、米国出願第１０／＿号と、２００５年９月＿日に出願され、「回路保護器監視および管理システムユーザーインタフェースの方法、システム、およびプログラム（Ｃｉｒｃｕｉｔ  Ｐｒｏｔｅｃｔｏｒ  Ｍｏｎｉｔｏｒｉｎｇ  ａｎｄ  Ｍａｎａｇｅｍｅｎｔ  Ｓｙｓｔｅｍ  Ｕｓｅｒ  Ｉｎｔｅｒｆａｃｅ  Ｍｅｔｈｏｄ，Ｓｙｓｔｅｍ，ａｎｄ  Ｐｒｏｇｒａｍ）」という名称の、米国出願第１０／＿号と、２００５年９月＿日に出願され、「回路保護器管理のための多機能手持ち応答ツール、方法、およびシステム（Ｍｕｌｔｉｆｕｎｃｔｉｏｎａｌ  Ｈａｎｄｈｅｌｄ  Ｒｅｓｐｏｎｓｅ  Ｔｏｏｌ，Ｍｅｔｈｏｄ  ａｎｄ  Ｓｙｓｔｅｍ  ｆｏｒ  Ｃｉｒｃｕｉｔ  Ｐｒｏｔｅｃｔｏｒ  Ｍａｎａｇｅｍｅｎｔ）」という名称の、米国出願第１０／＿号と、２００４年４月２０日に出願され、「ワイヤレスヒューズ状態インジケータシステムおよび方法（Ｗｉｒｅｌｅｓｓ  Ｆｕｓｅ  Ｓｔａｔｅ  Ｉｎｄｉｃａｔｏｒ  Ｓｙｓｔｅｍ  ａｎｄ  Ｍｅｔｈｏｄ）」という名称の、米国出願第１０／８２８，０４８号と、２００４年１０月２６日に出願され、「ヒューズ状態指示および光学回路およびシステム（Ｆｕｓｅ  Ｓｔａｔｅ  Ｉｎｄｉｃａｔｉｎｇ  ａｎｄ  Ｏｐｔｉｃａｌ  Ｃｉｒｃｕｉｔ  ａｎｄ  Ｓｙｓｔｅｍ）」という名称の、米国出願第１０／９７３，６２８号にも関連し、その全体の開示はここに参照によりその全体が組み込まれたものとする。
【背景技術】
【０００３】
発明の背景
本発明は一般的には、回路保護装置に関し、より特別には、回路保護装置を含む電気システムの管理システムに関する。
【発明の開示】
【発明が解決しようとする課題】
【０００４】
電気システムは典型的に、電気回路、機器、および構成部品を損傷から保護する多数の回路保護装置を含む。例えば、過電流保護装置は、回路内で指定された過電流状態が発生した場合に、回路経路を物理的に開いて、または遮断して電気構成部品を損傷から隔離するように構築されている。既知の回路保護装置には、電気システムにおける過電流、過負荷、および短絡状態に対処できる、ヒューズ、回路ブレーカ、およびリミッタのような装置と、他のスイッチング装置が含まれる。電気システムのサイズと複雑さが増加するにつれ、関連する回路保護装置の数も典型的に増加する。莫大な数の回路ブレーカを有する複雑な電気システムで、そのうちのいずれかが、随時作動して電気システムにおける回路の一部分を隔離するような電気システムを管理することは非常に困難な作業である。
【発明を実施するための最良の形態】
【０００５】
発明の詳細な説明
ここでは「回路保護器」と称される電気システムにおける過電流回路保護装置の監視と管理を促進するシステムおよび処理と、回路保護器と関連する回路の指定された作動状態に対する迅速な応答を促進するシステムと処理の典型的実施形態を下記に詳細に記述する。このシステムと処理は、例えば、作動した回路保護器の検出、権限を有する要員による応答と注意の喚起のために、システムにおける作動した回路保護器とそれらの位置の有責要員への通知、回路保護器と電気システムの診断と故障探求、および回路保護器在庫制御と設備管理のための管理を促進する。ここで記述されるシステムと処理の技術的効果には、設備管理とシステム監視のための回路保護器情報と電気システムデータの組織化と提示、回路保護器作動のためのリアルタイムなアラーム状態の検出および通知、回路保護器の１つまたは２つ以上の作動によるダウンした回路のリセットおよび復旧を迅速に行うための要員またはサイト技術者への自動化警報通知と召集、電気システムの故障事象の診断と故障探求のための回路保護器および関連電気システムの保管された設置および性能データ、および潜在的回路故障を予測しての電気システムの先制的管理の少なくとも１つが含まれる。
【０００６】
Ａ．序章
図１は、過電流回路保護器を利用するシステムのタイプを代表する典型的電気システム１００の概略ブロック図である。異なる実施形態においては、また２、３の例としては、電気システム１００は、車両、ビルディングのためのＡＣまたはＤＣ電力分配システム、産業プラントおよび／または制御システム、通信ネットワーク、他のシステムなどこの技術分野の者には理解されるように、バッテリ電力供給電気システムとして実現できる。
【０００７】
例示された実施形態において、電気システム１００は、電源または電源回路１０２、回路保護器パネル、回路保護器ホルダ、電源１０２に電線Ｌにより結合されている回路保護器ブロックまたは回路保護器キャビネット（ここではまとめて「パネル１０４」と称する）、およびパネル１０４に作動可能に接続されている多数の電気負荷１０６を含む。パネル１０４は、電源回路１０２を個々の負荷１０６に相互接続する１つまたは２つ以上の回路保護器１０８を含む。
【０００８】
種々の実施形態において、負荷１０６は、変圧器、インダクタ、集積回路のような電気構成部品と、機械、電気モーターおよび駆動構成部品、コンピュータ、プログラマブル論理制御システムのような機器と、より大型の電気システム１００のサブ回路を含んでよい。更に、負荷１０６は、同じまたは異なる電気システムの追加負荷に対する二次的電源として機能できる。
【０００９】
ある典型的実施形態における回路保護器１０８は、例えば、ヒューズ、回路ブレーカおよび／またはスイッチのような過電流保護装置である。各回路保護器１０８は、回路内に指定した電流状態、例えば、過電流、過負荷、および短絡状態などが発生した場合に、回路経路または電線と負荷回路の間の電流路を物理的に破断、開き、または遮断して負荷１０６を、例えば、電源回路１０２から隔離して、負荷１０６への損傷を防止するように構築されている。そのような状態が発生すると、回路保護器１０８は、電源回路１０２と個々の負荷１０６の間の電流の流れを遮断して、そのような状態での電流の流れに起因する潜在的損傷からそれらを保護する。つまり、通常の電流状態においては、回路保護器１０８は、電源回路１０２と負荷１０６の間の電気的接続を完成する電流搬送または開いていない状態にあり、回路における異常または容認できない電流状態に応答して、回路保護器１０８は非電流搬送状態に変化または作動し、これはときには電源１０２と負荷１０６の間の電気的接続を破断する、開いた、またはトリップした状態とも称される。
【００１０】
図１には１つの回路保護器パネル１０４が示されているが、電気システム１００は、異なる実施形態においては複数の回路保護器パネル１０４を含んでもよいということは理解される。パネル１０４は同じまたは異なる物理的位置に位置してもよく、回路保護器１０８のそれぞれは、システムの特別な電気的負荷１０６に連結されている。図を分かり易くするために４台の回路保護器１０８がパネル１０４内に示されているが、パネル１０４には単一の回路保護器１０８という場合も含めて、より多数または少数の回路保護器１０８を採用してもよいということが考えられる。つまり、この技術分野の者には理解されるように、回路保護器パネル１０４は、システム１００に単一の回路保護器１０８を接続するように構成または適合されてもよく、または複数の回路保護器１０８を接続するように適合されてもよい。
【００１１】
複雑な電気システムにおいては、種々のサイズおよび構成の異なったパネル１０４内において、多数の回路保護器１０８が典型的に要求される。また、複雑な電気システムは、負荷１０６および、連結された電気サブシステムの特別な必要性を満たすために、典型的には回路保護器１０８の種々のタイプおよび構成を含む。多数の回路保護器１０８と、異なる位置における種々の数のパネル１０４と、電気システム１００における回路保護器１０８の種々のタイプの組み合わせは、電気システム１００における１つまたは２つ以上の回路保護器１０８が、システム１００における、連結された負荷１０６を保護するように作動したときに、作動した回路保護器１０８の位置を突き止め、回路をリセットまたは復旧する場合に非常に困難な問題を提起する。
【００１２】
電気システム１００のサイズと複雑さが増加するにつれ、システム１００における回路保護器１０８の潜在的位置もまた増加する。回路保護器１０８を含むパネル１０４は、異なるビルディング、領域、区画、および電気システムサイトまたは設備の一部を含めて、電気システム１００内の異なる場所に位置する可能性がある。従って、１つまたは２つ以上の回路保護器１０８が作動して、電気システム１００内の回路の一部分を開いた場合、回路保護装置１１０のいずれが作動し、影響を受けた回路および負荷１０６をリセットまたは復旧するための適切な行動を取ることは恐ろしく大変な作業になる。
【００１３】
１つまたは２つ以上の回路保護器１０８が作動してから、電気システム１００の完全な動作を復旧するために連結された回路を再作動するまでの経過時間は、多くの適用例において重要である。例えば、産業プラント制御システムまたはオフィスビルディングにおいては、影響を受けた機械またはコンピュータが、作動した回路保護装置のために利用できない時間は、生産性の喪失および経済的損失につながる。実質的にいかなる電気システムに対して、および特に重要な電気システムに対して、作動した回路保護器１０８の位置を突き止め、適切な行動を取るために必要な時間と労力を最小限に抑えることが望まれている。
【００１４】
回路保護器１０８が回路ブレーカの場合、作動した回路ブレーカの適切な位置がいったん特定されると、ブレーカまたは複数のブレーカは、迅速にリセットできる。しかし、適切なブレーカの位置を突き止めることは、異なる位置に多数のブレーカがある場合や、電気システム１００内に多数のパネル１０４がある場合は、常に迅速または容易な作業であるとは限らない。作動したブレーカを迅速にその位置を突き止めるには、典型的にはダウンした回路または機器は、システム１００の適切なブレーカとの整合が取られるが、これには、いかなる時点において、保守要員が有している、または有していない場合もある電気システム１００のいくつかの詳細な知識が必要となる。または、そしておそらくほとんどのケースでよく起こりえることであるが、保守要員は電気システム内の回路保護器ブレーカのすべてを体系的に調査してトリップしたブレーカの位置を突き止めようとする。そのような作業は、要員が作動したブレーカの領域で調査を開始したという単なる偶然による状況を除いて、普通は非能率的である。また、トリップしたブレーカの位置を突き止めることは、２個所以上のブレーカがトリップした場合は複雑であり、トリップはしないが、故障したまたは作動しないブレーカの場合は、回路保護器１０８の１つまたは２つ以上が作動したときに電気システム１００の回路を復旧することは非常に困難であり得るし、時間のかかるものとなる。
【００１５】
回路保護器１０８がヒューズを含む場合は、作動したヒューズの位置を突き止め、交換ヒューズを取得して、作動したヒューズを交換して電気システム１００の回路をリセットしなければならない。交換ヒューズが手元にあり、作動した位置が分かっている場合は、ヒューズは典型的に迅速に交換でき回路を復旧できる。しかし、１個または複数のどのヒューズが開いたのかを突き止め、適切な交換ヒューズを得ることは常に容易であるとは限らない。異なるタイプのヒューズが電気システム１００全体を通じて種々の場所に位置している場合もあり、異なるヒューズタイプの膨大な在庫から適切な交換ヒューズを見つけることはサイトであろうが、遠隔地であろうが時間のかかるものとなる。回路ブレーカと同様に、作動したヒューズの位置を突き止めることは、２つ以上のヒューズが作動した場合は複雑であり得、電気システム１００において故障したヒューズまたは不適切に設置されたヒューズの位置を突き止めることは、非常に困難であり得る。また、電気システム１００の実際の、予想される要求を満たすために、交換ヒューズの在庫を適切に管理し、保守し、補充することは困難であり得る。
【００１６】
また、回路保護器１０８は、事前の警告がほとんどなく、または全くなしに作動する傾向にある。このように、多くの電気システムにおいて、回路保護器１０８が作動する前に電気システム１００の故障探求および／または先制的な行動を取ることは不可能ではないが困難である。更に、電気システム１００を診断して、回路保護器１０８がなぜ、またはどのように作動したかを決定することは、しばしば事後分析となり、本質的に推測の域を出ない。
【００１７】
Ｂ．回路保護器管理システム
ある典型的実施形態において、およびこれらのおよび他の困難を緩和するために、回路保護器１０８のそれぞれは、回路保護器１０８に対して内部または外部に位置する状態素子１１０に連結されている。つまり、状態素子１１０は、回路保護器１０８の内部または外部、または回路保護器１０８の外部表面上または外側、または回路保護器１０８からある距離離れた別の位置に位置してもよい。下記に更に記述するように、異なる実施形態においては、状態素子１１０は、電子形態で実現されるか、または状態素子１１０の回路保護器管理システム１１２へのインタフェースを取るように機械的に起動される。回路保護器１０８が作動して電気システム１００の回路経路を開くと、連結された状態素子１１０は、回路保護器を特定する支援を行い、それにより回路は最小限の時間遅延で効率よく再作動できる。
【００１８】
回路保護器１０８の状態素子１１０の各々は、個々の回路保護器１０８の作動に応答し、典型的実施形態においては、状態素子１１０は信号またはデータを回路保護器管理システム１１２に送信または通信する。いくつかの実施形態においては、状態素子１１０は、下記に更に説明するように、電気システム１００における回路の作動状態に関するデータ収集器として使用できる。
【００１９】
ある典型的実施形態において、回路保護器管理システム１１２は、回路保護器１０８の状態素子１１０と通信状態にある通信装置１１４、通信インタフェースまたはリンク１１６、リンク１１６と通信状態にある概要および応答急送システム１１８、およびリンク１１６および／または概要および応答急送システム１１８と通信状態にある在庫管理システム１２０の全体または一部を含んでもよい。
【００２０】
電気システム１００の作動中に、信号が回路保護器１０８の状態素子１１０から、通信装置１１４および通信リンク１１６を介して、概要および応答急送システム１１８に送られる。通信装置１１４は、回路保護器１０８に連結された状態素子１１０が、概要および応答急送システム１１８と在庫管理システム１２０と、通信インタフェース１１６を介して通信することを可能にする。特に、回路保護器１０８のいずれかが作動して負荷１０の１つまたは２以上への回路経路を遮断、破断、または開いたときは、信号が個々の識別素子１１２から、通信装置１１４および通信リンク１１６を介して、概要および応答急送システム１１８および／または在庫管理システム１２０に通信される。
【００２１】
概要および応答急送システム１１８および／または在庫管理システム１２０は、今度は、回路保護器および自動化または手動の分配システム１２４に連結されて、在庫が使用されるときに、在庫１２２を補給、補充する。在庫１２２は、現場または電気システム１００とは別の位置に位置してもよい。
【００２２】
ある典型的実施形態において、通信装置１１４は、パネル１０４の構成に統合されるか、パネル１０４の近接位置のいずれかにおいて回路保護器１０８に近接して位置している。通信インタフェースまたはリンク１１６は、下記に更に説明するように、ハードワイヤ通信リンク、光学リンク、ワイヤレス通信リンク、衛星リンク、およびそれらの等価物であってよい。また、通信インタフェースまたはリンク１１６は、電気システム１００の既存の基盤構造を利用することもでき、および、例えば、電気システム１００における既存のワイヤおよびコンダクタ上で、既知の送電線周波数キャリア技術またはその等価物を使用して作動してもよい。そのような通信リンクは同様に、管理システム１１２の異なる実施形態において設けてもよい。
【００２３】
通信リンク１１６は、管理システム１１２により、回路保護器管理目的のためのみに使用される専用のインタフェースまたはリンクであってよく、または他の無関係な目的のために機能して、所望すれば、他の信号、データおよび通信事項を送信するために使用してもよい。通信装置１１４と概要および応答急送システム１１８の間の通信は、デバイスネット（ＤｅｖｉｃｅＮｅｔ）およびデータハイウェイ（Ｄａｔａｈｉｗａｙ）プロトコルのような既知のデータ送信プロトコルおよびネットワーク通信技術を使用して確立してもよい。この技術分野の者には理解されるように、イーサネット（登録商標）（Ｅｔｈｅｒｎｅｔ（登録商標））接続多重化通信方式、ワイヤレス技術、衛星送信方式、それらの等価物などもまた使用できる。
【００２４】
図１には１つの通信装置１１４が示されているが、回路保護器管理システム１１２において、２つ以上の通信装置１１４を採用できることは想定される。更に複数の通信装置１１４を、パネル１０４内の回路保護器１０８の数と、管理システム１１２の技術レベルに依存して同一パネル１０４内に採用することもできる。典型的実施形態において、下記に更に説明するように、１つの通信装置１１４を使用して複数の回路保護器１０８を監視し、情報を概要および応答急送システム１１８に送信することもできる。
【００２５】
種々の実施形態において、概要および応答急送システム１１８はネットワークベースシステム、パーソナルコンピュータ、コンピュータワークステーション、プログラマブル論理コントローラまたは他の電子コントローラ、プロセッサベースの手持ち装置または別の電子装置またはリンク１１６からの信号を受信および処理、または解釈する等価物であってよい。１つの実施形態において、概要および応答急送システム１１８は、電気システム１００において回路経路を破断した作動した回路保護器１０８のような、電気システム１００に関する問題に関して、オペレータまたは保守要員に警報を発するためのユーザーディスプレイ１２６を含んでもよい。
【００２６】
異なる実施形態において、在庫管理システム１２０は、ネットワークベースシステム、パーソナルコンピュータ、コンピュータワークステーション、プロセッサベースの手持ち装置、プログラマブル論理コントローラまたは他の電子コントローラ、またはリンク１１６および／または概要および応答急送システム１１８からの信号を受信する他の電子装置であってよく、適切に応答することができる。在庫管理システム１２０は、所望するのであれば概要および応答急送システム１１８に統合してもよく、または概要および応答急送システム１１８と同一の、または異なる位置における分離した装置であってよい。在庫管理システム１２０は、直接または間接的に、在庫１２２に連結されており、自動分配システム１２４と通信状態にある。自動分配システム１２４は、補給品への遮断のないアクセスを提供する産業および事業設備において現在使用されている既知のタイプであってよい。そのような自動分配システムは、市販されており、時折、スマート在庫システム（Ｓｍａｒｔ  Ｉｎｖｅｎｔｏｒｙ  Ｓｙｓｔｅｍ）と称される。自動分配システム１２４は、回路保護製品の注文を電子的に受信して処理し、それにより、製品の注文は受理され、最小限の遅延で在庫１２２に送られる。または、手動在庫システムを採用して回路保護装置を分配および補充してもよい。
【００２７】
図１には１つの自動分配システム１２４が示されているが、概要および応答急送システム１１８および在庫管理システム１２０は、２つ以上の自動分配システム１２４と通信して、所望するように、同一のまたは異なる回路保護製品販売業者、分配者、または供給者から在庫製品を得ることができることは理解される。また、概要および応答急送システムは、在庫管理システム１２０に追加して、またはその代わりに、既知のコンピュータ化保守管理システム（ＣＭＭＳ）、監視制御およびデータ取得（ＳＣＡＤＡ）システム、産業制御および自動化システム、事業資源計画（ＥＲＰ）システム、電子データ交換（ＥＤＩ）システム、製造資源計画（ＭＲＰ）システム、および供給チェーン管理システムと通信してもよい。
【００２８】
ヒューズ１１０に連結された状態素子１１０により、および下記に更に説明するように、概要および応答急送システム１１８は、回路のリセットまたは復旧のために、オペレータまたは保守要員を正確な位置、およびに電気システム１００内の１つまたは２つ以上の回路保護器１０８に導くことができる。または、概要および応答急送システム１１８は、一方では、今まで使用されているように、手動または自動分配システム１２４を介して在庫１２２を補給するために、追加回路保護器を同時に注文しながら、在庫１２２内の適切な交換回路保護器の位置を突き止め、要員を正確な位置に導き適切な交換回路保護器を得るようにもできる。このようにして、電子管理システム１１２は、回路保護器１０８に関して、要員に正確な指示を与えることができ、それにより作動した回路保護器１０８による、連結された負荷１０６のダウン時間を最小限にすることができる。従って回路保護器１０８は、可能な限り効率的に対応され、回路保護器在庫１２２の交換部品の自動化された注文は、在庫の迅速な補充を確実なものにし、在庫管理におけるエラーを除去する。工場自動化技術およびその等価物を使用して、交換回路保護器が使用できる状態にあり、保守要員による検索のために実際のプラントにおけるその位置を正確に示し、在庫管理が、人間の介在または保守要員の行動なしに自動化された方法で実行されることを確実なものにすることができる。
【００２９】
図２は、図１に示された回路保護器管理システム１１２を利用した、回路保護器１０８を監視するための典型的方法１３０のフローチャートである。この方法１３０は、負荷１０６の１つまたは２つ以上を電源１０２から分離するように、分離回路保護器１０８の１つまたは２つ以上が作動して、電気システム１００の一部分を電気システム１００の別の部分から分離した場合に、電気システム１００における影響を受けた回路の効率的な再作動を促進する。
【００３０】
ある典型的実施形態において、本方法１３０は、その実施形態は下記に説明するが、状態素子を、電気システム内の関心対象の個々の回路保護器に近接して設けること（ステップ１３２）と、状態素子に応答する電子概要および応答急送システムを設けること（ステップ１３４）と、を含む。いったん状態素子が設置される（ステップ１３６）と、それらは回路保護器の作動状態を監視すること（ステップ１３８）に使用できる。
【００３１】
回路保護器の１つが作動して、電気システムの一部を分離した場合、回路保護器の感知された状態に基づき、状態素子の少なくとも１つから遠隔装置または位置へ信号が送信される（ステップ１４０）。データ信号は、例えば、作動した回路保護器の位置を特定するための識別コードおよびアドレスコードと、回路を迅速かつ効率的にリセットまたは復旧させるための適切な要員への詳細情報と指示を含んでもよい。概要および応答急送システムにより遠隔位置において解釈されると、データ信号は、オペレータまたは技術者への指示に変換され、それは、例えば、作動した回路保護器の位置に関する情報、作動した回路保護器により影響を受けた回路の適切なリセットまたは復旧に必要な情報、回路を適切に復旧するために必要な交換回路保護器のための在庫情報、および診断および故障探求の目的のための、回路の作動状態に関する情報を含んでもよい。要員への指示は、回路保護器の位置における潜在的危険要素に関する特別情報と、作動した回路保護器に応答するときに取るべき予防策と要員保護機器に関する情報を更に含んでよい。
【００３２】
概要および応答急送システムに通信された（ステップ１４０）データ信号に応答して、概要および応答急送システムは有責要員への警報および召集を生成し（ステップ１４２）、彼らに作動した回路保護器、および作動した回路保護器の位置を通知する。例えば、概要および応答急送システムは、オペレータ、保守要員、または他の者と、コンピュータ、ページャー、ディスパッチャ、パーソナルデジタルアシスタント（ＰＤＡ：携帯情報端末）、パーソナル情報マネージャ（ＰＩＭ：個人情報マネージャ）、または電子オーガナイザのような手持ち装置、携帯電話、または概要および応答急送システムとネットワークで接続されているか、概要および応答急送システムと通信状態にあり、適切な要員とコンタクトが取れる等価装置を介して直接通信を行ってもよい。つまり、概要および応答急送システムは、受動的ではなく能動的であり、単に警報を発して、人間の応答を待つのではなく、概要および応答急送システムは、電気システムを適切に管理するために必要であれば、複数の方法で実際に特別要員を探し、直接コンタクトを取り、彼らを召集して応答させ介在させることができる。
【００３３】
警報と召集は、例えば、ｅメール通知、ファックス通知、ページャー通知、ウェブページ通知、音声通知、または他の手段により提供される。概要および応答急送システムは、指定した要員の１人または２人以上からの、警報および召集の確認応答を待ち（ステップ１４４）、確認応答が受信されない場合は、別の警報および召集を送る。随意に、概要および応答急送システムは、指定した要員の応答または電気システムの実際の作動状況に応じて、警報および召集の頻度または強度を高めること（ステップ１４６）ができる。例えば、複数の回路保護器がほぼ同時に開いたときは、電気システムに関してより大きな問題が内包されている可能性があり、管理システムは、可能性のある問題に対処するために、より緊急的にアラーム、警報、および召集を生成する。
【００３４】
随意に、概要および応答急送システムはまた、回路保護器１０８が電気システム１００の一部分を開くように作動した場合、特別な機械または機器に対応する影響を受けた負荷への補助電力を起動したり、特別な機械または機器に対応する危険システムまたは負荷において遮断したり、解析のために重要な回路データを保存したりするなど、人間を介在させずに自動的に他の所望の行動に着手して開始し（ステップ１４８）、そのような着手と行動を、更なる評価および応答のために指定した要因に通信することもできる。
【００３５】
概要および応答急送システムにより２人以上の人間とコンタクトを取ってもよく、例えば、作動したヒューズを交換することにより、影響を受けた回路の再作動を支援させるために召集してもよい。指定された要員による行動のための警報と要求は、概要および応答急送システムから、適切な要員により確認応答されるまで指定の時間内に繰り返し送られ、段階を高められた警報および召集が生成され、回路保護器管理システム１１２の技術レベルに従って、異なる状況に対処するために適切に、特別な手順を実行してもよい。
【００３６】
警報と通知は、回路保護器の作動とほぼ同時に送られるので、そして概要および応答急送システムは能動的に要員を探し、コンタクトを取り、召集しようと試み、作動した回路保護器の少なくともタイプと位置を含む、影響を受けた回路を再作動するために必要な完全情報を提供するので、ダウンした回路は迅速に再作動され、可能な限り素早い時間内で完全な電気システムが復旧できる。自動化された警報と召集は、必要であれば、人間の介在なしに休むことなく送ってもよい。作動した回路保護器に関する情報は、使用しやすい表形式またはグラフ形式で、回路保護器の作動とリアルタイムにエンドユーザーに提示することができ、情報の受信者であるエンドユーザーは、回路再作動の作業を完成するために追加情報を収集する必要なない。
【００３７】
人間の応答に依存する受動システムとは反対に、能動的に適切な要員を探しコンタクトを取ることにより、概要および応答急送システムは、または作動した回路保護器の警報通知を受信するワークステーション、ターミナル、作業領域などのような、いかなる特別な位置にいる特別な人間または指定された要員に依存しない。そうではなく、概要および応答急送システムは、指定された要員を直接探し、どこであろうと見つけることができれば彼らとコンタクトを取る。このように、作業時間または非作業時間に、人間または要員が机、ワークステーション、ターミナル、または作業領域から離れていても、概要および応答急送システムは、彼が机、ワークステーション、ターミナル、または作業領域において警報メッセージを受け取るために戻るのを待つのではなく、他の手段により彼らに連絡を取り、作動した回路保護器を彼らに即座に通知することができる。
【００３８】
データ収集器として使用された場合は、状態素子は、回路保護器が監視され（ステップ１３８）、信号が概要および応答急送システムに通信されるとき（ステップ１４０）に、電気システムの監視、故障探求、おおよび診断を促進する。そのようなデータの監視および解析により、システムにおける潜在的問題がより正確に特定されて解決され、電気システムのより信頼性のある作動が達成される。そのような実施形態においては、概要および応答急送システムにより生成（ステップ１４２）された警報または召集は、システムオペレータまたは要員への警告またはアラームを含んでもよく、それにより回路保護器を作動させる原因となり得る潜在的回路作動事象および回路の障害を予測し、回路保護器の１つまたは２つ以上が作動して、電気システムにおける、連結された回路経路を破断するように作動する前に、先制的手段を取るための時間をもたらすことが可能である。従って、電気システムの先読み管理を有する第１例においては、電気システムにおける開いた回路に関連する時間、コスト、経費、および不便さ、および作動した回路保護器による回路のリセット、復旧、または再作動に関連する関連時間、コスト、経費、および不便さを回避することが可能である。
【００３９】
概要および応答急送システムは更に、電気システムにおいて作動したヒューズまたは複数の作動したヒューズが交換されたときに、補給のための交換部品の注文を開始すること（ステップ１５０）もできる。
【００４０】
Ｃ．状態素子および回路保護器監視
多数の異なる状態素子および回路保護器監視アセンブリを回路保護器管理システム１１２に設けることが考えられる。典型的実施形態が、例証目的のためにのみここで記述される。他の監視アセンブリも、同等の効果で、下記に記述される例に加えて使用できることは理解される。
【００４１】
１．リーダー／問合せ器監視システム
図３−図８は、保護回路器管理システム１１２および方法１３０で使用できる状態素子および回路保護器監視アセンブリ１５８の第１タイプの典型的実施形態を示している。
【００４２】
図３は、回路保護器パネル１０４と、典型的な回路保護器１０８を含む監視アセンブリ１５８の概略ブロック図である。パネル１０４は、回路保護器１０８、および導電性端子１６０を収容するようにサイズ調整された領域を含む。図３の実施形態において、回路保護器１０８はヒューズ１６２であり、端子１６０は、導電性ヒューズクリップまたはその等価物であり、ヒューズ１６２への電線と負荷の接続を確立する。
【００４３】
既知のヒューズに従って、ヒューズ１６２は、絶縁性、または非導電性材料から製造された保護本体またはハウジング１６４と、本体１６４へ結合されている導電性端子素子１６６、１６８と、本体１６４内で延伸し、端子素子１６６、１６８の間に電気的に接続され、その間に導電性電流路を画定する主要ヒューズ素子１７０を含む。主要ヒューズ素子１７０は、過負荷、過電流、または短絡状態のような所定の過電流状態が起こると、溶融、分解、蒸発、または構造的に開きまたは遮断して、導電性電流路およびヒューズ１６２を介しての電気接続を、端子素子１６６、１６８の間の電流の流れを阻止することで破断または開くように構築され、寸法に合わせて作られ、サイズ調整されている。そのような方法で主要ヒューズ素子１７０が開くと、上記に説明したように、電気システムの一部分を電気システムの別の部分から隔離し、結果として可能性のある損傷からヒューズ１６２に連結された電気構成部品および機器を保護する。そのような過電流保護を提供する種々のタイプのヒューズ素子、溶融リンク、およびアセンブリが知られているが、本発明は、主要ヒューズ素子のいかなる特別なタイプまたは構成に限定されるわけではない。
【００４４】
ある例示的実施形態において、ヒューズ１６２は、第１端部１７２、第２端部１７４、およびその間に延伸する孔を有する円柱形本体１６４を含む円柱形カートリッジヒューズである。主要ヒューズ素子１７０は孔を通して延伸し、端子素子１６６および１６８に、導電性ワッシャ、半田付け、溶接、蝋付け、それらの等価方法、または他の容認できる機械的および電気的接続方法のような既知の方法で接続されている。１つの実施形態において、端子素子１６６、１６８は、導電性フェルールまたは端部キャップであり、クリンピング技術のような既知の方法で、本体１６４の個々の端部１７２、１７４に取り付けられている。端子素子１６６、１６８が、図１に示される電源１０２および負荷１０６のような、電線側および負荷側の電気回路に接続されているときは、電流路は主要ヒューズ素子１７０を介して形成される。図３に円柱形または管状本体１６４が例示されているが、代替実施形態においては、それに限定されるわけではないが、長方形のヒューズモジュールを含む、本体またはハウジングの他の形状および構成を採用できることは理解される。同様に、種々の端子素子を、図３に示されている端部キャップの代わりに使用できる。
【００４５】
状態素子１１０は、主要ヒューズ素子１７０に平行に電気的に接続され、またはそこに取り付けられ、ある代替実施形態において状態素子１１０は、本体１６４の外側表面または別の場所に位置してもよいことは理解されるが、１つの実施形態においてはヒューズ本体１６４の内部にある。例示されている実施形態において、状態素子１１０は、既知の方法で、主要ヒューズ素子１７０よりもはるかに大きな電気抵抗を有する微細ヒューズワイヤ１７６または他の導電性材料を介して端子素子１６６、１６８に接続されている。このように、ヒューズ１６２を介して流れる電流の非常に小さな部分が状態素子１１０を介して流れ、従って、状態素子１１０は、下記に記述するように、ヒューズ１６２の状態を示す相対的に小さな電流を監視できる。
【００４６】
ある典型的実施形態において、状態素子１１０は、既知のトランスポンダ装置１７８であり、通信装置１１４とワイヤレスで通信を行う。ある典型的実施形態において、通信装置１１４もまたトランスポンダであり、下記に説明するようにリーダーまたは問合せ器として機能する。
【００４７】
トランスポンダ装置１７８とリーダー装置１８０は、お互いに通信して、ヒューズ１６２が作動可能状態にあるのか、またはヒューズ１６２が作動した状態にあるのかを判断する。ここで使用されているように、作動可能状態は、ヒューズを介しての電気的接続を完成する電流搬送または開いていない状態を称し、作動した状態は、ヒューズを介しての電気的接続を破断する、開いた状態を称する。更に、トランスポンダ装置１７８は、ヒューズの開いた状態または開いていない状態に加えて、電気システム１００の作動に関する関心対象の他のデータまたは情報を通信することもできる。
【００４８】
例えば、１つの実施形態において、トランスポンダ装置１７８は、ヒューズ１６２が遭遇した時間経過における電流、温度、および／または電圧データを収集する。例えば、電流および電圧の表示値は、例えば、ヒューズ１６２内の分路の両端を測定した既知のセンサ素子、またはこの技術では既知の等価技術により得ることができる。または、温度センサは、ヒューズハウジング１６４、端子素子１６６と１６８、またはヒューズクリップ１６０の作動温度を監視するために使用できる。感知された温度表示値、またはヒューズ１６２またはヒューズクリップ１６０の導電性部分の温度決定を、所定の電流レベルおよび強度に対応する経験的に決定された温度と比較することにより、ヒューズ１６２を介しての作動電流が推測され、リーダー装置１８０を介して概要および応答急送システム１１８に通信される。電流、電圧、および温度の表示値は、リーダー装置１８０への通信のために、トランスポンダ装置１７８に入力される。
【００４９】
ある典型的実施形態において、トランスポンダ装置１７８と問合せ装置１８０は、無線周波数を介してワイヤレスで通信を行い、システムは、既知の無線周波数識別（ＲＦＩＤ）または等価システムに従って作動する。このように、そしてこの技術分野の者には理解されるように、トランスポンダ装置１７８は、ＲＦＩＤ識別タグまたは等価物であってよく、時折、ＲＦチップと称せられ、リーダーまたは問合せ装置１８０は、ＲＦＩＤリーダーまたは問合せ器である。このように、ＲＦトランスポンダ装置１７８とリーダー装置１８０は、トランスポンダ装置１７８とリーダー装置１８０の近接電磁または誘導結合により作動してお互いに通信を行うか、または伝播電磁波を使用して作動する。しかし、他のワイヤレス通信の形態およびタイプを、それに制限されるわけではないが、赤外線通信を含めて、ＲＦＩＤの代わりに使用することもできる。
【００５０】
ある典型的実施形態において、トランスポンダ装置１７８とリーダー装置１８０は、所定の無線周波数キャリア、例えば、１００−５００ｋＨｚで、またはより特別には１２５ｋＨｚで大気(air)インタフェースを介して通信する。しかし、適用可能なＲＦＩＤ規格に従って、他の周波数キャリアを採用してもよいことは理解される。また、トランスポンダ装置１７８とリーダー装置１８０の間の送信速度は、信号送信用に選択されたキャリア周波数により影響されることも認識される。つまり、周波数が高ければそれだけ、装置間の送信速度も高くなる。
【００５１】
リーダー装置１８０とトランスポンダ装置１７８間の通信の作動範囲または距離は、装置の電力レベル、例えば、１００−５００ｍＷに依存、または適用可能な規制基準に従う。この範囲は、トランスポンダ装置１７８と通信するためにリーダー装置１８０で利用できる電力、応答するためにトランスポンダ装置１７８内で利用できる電力、および環境条件と、作動環境における構造の存在に主に影響される。１つの実施形態において、トランスポンダ装置１７８の電力レベルはリーダー装置１８０の電力レベルよりもはるかに小さい。一般的に、トランスポンダ装置１７８は、特別な作動環境に対する所望の仕様および目的を満たすように選択される。
【００５２】
ここで図４を参照すると、トランスポンダ装置１７８の略図が示されている。トランスポンダ装置１７８はプロセッサ１８２、種々の実施形態においては、リードオンリメモリ（ＲＯＭ）、ランダムアクセスメモリ（ＲＡＭ）、または電気的消去可能プログラマブルメモリ（ＥＥＰＲＯＭ）のような不揮発性プログラミングメモリ、またはトランスポンダ装置１７８の技術レベルに依存するそれらの等価物であるメモリ１８４、およびアンテナ１８６を含んでよい。１つの実施形態において、プロセッサ１８２は、リーダー装置１８０により問合せを受けたときは無線周波数を介してリーダー装置１８０と通信を行い、アンテナ１８６は、作動中のリーダー装置１８０により生成されるデータフィールドを感知する。アンテナ１８６はまた、既知の方法で応答をリーダー装置１８０に通信または送信する。メモリ１８４は、例えば電圧、電流および／または温度の表示値のデータ格納、および実行可能命令およびリーダー装置１８０への応答の格納のために使用される。
【００５３】
ここで図５を参照すると、リーダー装置１８０の略図が示されている。リーダー装置１８０は、プロセッサ１９０と、アンテナ１９２と、メモリ１９４を含む。プロセッサ１９０は無線周波数を介してトランスポンダ装置１７８と通信し、アンテナ１９２は、信号をトランスポンダ装置１７８に送り、信号を動作中のトランスポンダ装置１７８から受信するために使用される。メモリ１９４は、リードオンリメモリ（ＲＯＭ）、ランダムアクセスメモリ（ＲＡＭ）、または電気的消去可能プログラマブルメモリ（ＥＥＰＲＯＭ）のような不揮発性プログラミングメモリ、およびリーダー装置１８０の技術レベルに依存する等価物であってよい。メモリ１９４は、実行可能命令を含んでもよく、プロセッサ１９０による実行のためのルーチンを制御できる。
【００５４】
ここで図３−図５を参照すると、リーダー装置１８０は、ヒューズ１６２近傍のパネル１０４に搭載してもよい。定期的に、リーダー装置１８０は、時折、問合せとも称される信号を、ヒューズ１６２に連結されているトランスポンダ装置１７８に送る。具体的には、リーダー装置１８０は、リーダー装置１８０のアンテナ１９２の送信データフィールドが、トランスポンダ装置アンテナ１８６の送信データフィールドと相互作用するように、大気インタフェース上でワイヤレス通信によりトランスポンダ装置１７８に問合せをする。この問合せに応答して、トランスポンダ装置１７８はリーダー装置１７８に応答する。通信プロトコルの技術レベルと、トランスポンダ装置の、ヒューズ１６２の主要ヒューズ素子１７０に対する関係に依存して、ヒューズ１６２の作動状態は、プロセッサベースのリーダー装置１８０により種々な方法で決定してもよい。ヒューズ１６２の作動状態は、リーダー装置１８０による問合せに対するトランスポンダ装置１７８からの応答、または応答が無いことにより決定できる。
【００５５】
例えば、およびある典型的実施形態において、トランスポンダ装置１７８は、受動的無線周波数送信機であり、リーダー装置１８０に応答する電力を、リーダー装置１８０により生成される送信データフィールドに依存する。図６は、回路保護器の作動状態を決定するためのそのような実施形態に対する典型的方法１９８を示している。
【００５６】
ここで図６を参照すると、プロセッサベースのリーダー装置は、システムにおける回路保護器状態素子をポーリングし（ステップ２００）、トランスポンダ装置からの応答を待つ（ステップ２０２）ようにプログラムできる。ポーリング工程において問合せに対して受信された応答は解釈され（ステップ２０４）、概要および応答急送システムへ提供、出力、または通信される（ステップ２０６）。例えば、１つの実施形態において、リーダー装置による問合せへの応答で、トランスポンダ装置から受信された（ステップ２０２）いかなる信号も、連結されているヒューズの主要ヒューズ素子が作動可能であることを示すものとして解釈してよい。図３に類似したある実施形態において、主要ヒューズ素子１７０が開くと、全体の電流はトランスポンダ装置１７８に向けられるようになり、トランスポンダ装置１７８が選択されて電流がトランスポンダ装置１７８を破壊または作動不能にする場合は、トランスポンダ装置１７８は、ヒューズ１６２が開いた後は応答するように機能できない。このように、そのような状況で応答が受信されたという事実は、主要ヒューズ素子１７０が開いていないことを示し、従って、ヒューズ１６２の作動可能状態は、概要および応答急送システムに提供される。状態素子は、このようなシステムにおいては繰り返しポーリングされ、応答は収集されてより大きな電気システムを監視する。
【００５７】
方法１９８は、トランスポンダ装置１７８の戦略的な選択を介して、およびトランスポンダ装置１７８のヒューズ１６２への戦略的接続により、トランスポンダ装置１７８は主要ヒューズ素子１７０が開いたことに抵抗でき、主要ヒューズ素子１７０が開いたことを、例えば、ヒューズ１６２を介しての電気回路の電流または電圧の感知、またはヒューズクリップ１６０またはヒューズ１６２の端子素子１６６、１６８の温度感知を介して決定できる実施形態において採用することができる。そのような実施形態においてトランスポンダ装置１７８は、ヒューズ１６２が作動状態のときは、第１の方法で応答でき、ヒューズ１６２が開いて、ヒューズ１６２を介しての回路を破壊する非作動可能状態にあるときは、第１とは異なる第２の方法で応答できる。リーダー装置は、応答する２つの方法を区別し、ヒューズの状態を概要および応答急送システムに通信する（ステップ２０６）ようにプログラムできる。
【００５８】
図７に例示された別の典型的方法１２０において、リーダー装置１８０は、状態素子をポーリングし（ステップ２１２）、ヒューズに連結されたトランスポンダ装置からの応答を待つ（ステップ２１４）ことができる。トランスポンダのいずれからも応答がないことは、連結されたヒューズが開いたことを示すのに使用でき、ヒューズが作動した状態は、概要および応答急送システムに通信される（ステップ２１６）。応答が受信されると（ステップ２１４）、ヒューズの作動可能状態は、概要および応答急送システムに通信される。
【００５９】
方法１２０は、トランスポンダ装置が単に、ヒューズの端子素子に電気的に接続されることなく、または主要ヒューズ素子に接続されることなく、ヒューズの主要ヒューズ素子に近接して物理的に位置している実施形態において同様に使用できる。そのような実施形態においては、主要ヒューズ素子が開くことに関連する熱および電気的アークは、トランスポンダ装置に損傷を与える可能性があり、それが問合せに応答することを妨げる可能性がある。このように、所与のトランスポンダから応答が受信されない場合は、連結されたヒューズが開いたと推定できる。
【００６０】
方法１９８または２１０のいずれかを使用して、リーダー装置１８０は、パネル１０４における複数のヒューズ１６２をトランスポンダ装置１７８に問合せて、受信した応答のタイプに基づいて、もしあれば、パネル１０４におけるヒューズ１６２のどれが作動して、負荷１０６への回路を開いたかを決定できる。より進んだ通信プロトコルにおいては、トランスポンダ装置１７８からの応答は、リーダー装置１８０により復号され、それにより、トランスポンダ装置メモリ１８４内に格納され、リーダー装置１８０に通信される特別データの通信が可能になる。例えば、データは下記のような典型的データ情報、つまり、システム内の特別ヒューズ１６２に対する識別コードと、ヒューズ１６２に対するタイプまたはサイズコードと、電気システム１００におけるヒューズ１６２に連結されたパネル、ブロック、またホルダに対する位置コードと、ヒューズ１６２に連結された特別パネル１０４に対する識別コードと、ヒューズ１６２に対する在庫コードと、ヒューズ１６２の製造日または所望する他の情報の１つまたは２つ以上を含んでもよく、時間経過における電流、電圧、および温度特性に関するデータでも、トランスポンダ装置１７８のメモリ１８４に格納できる。このように、作動データを収集することにより、トランスポンダ装置１７８は、電気システムの故障探求を支援することができ、また作動中のヒューズ１６２の異常または予期せぬ電流、電圧、または温度特性を示すことにより、不具合に設置されたヒューズまたは動作不良のヒューズを検出する支援を行うことができる。
【００６１】
電気システムおよびヒューズ１６２に接続された負荷に関しての関心対象であるデータもまた、較正されたトランスデューサにより感知され、トランスポンダ装置１７８および／またはリーダー装置１８０に通信される。例えば、伝動モーターの振動および変位状態と、応力／ひずみ測定値および表示値と、音響放射およびノイズの表示値と、熱映像およびサーマログラフィによる表示値と、抵抗の表示値と、圧力の表示値と、湿度の表示値に関連してデータを収集し、通信できる。
【００６２】
別の実施形態において、および図８に示されているように、回路保護器の状態を決定する別の方法２２０が提供される。本方法２２０は、例えば、トランスポンダ装置１７８が能動的無線周波数トランスポンダであり、バッテリ２２２（図４では点線で示されている）のような搭載電源により電力を供給される場合や、または図３に示されるように、ヒューズの二次的ヒューズリンクを介して流れる電流により電力を供給される場合に使用できる。このように、トランスポンダ装置１７８はデータを格納することができ、問合せされたときにデータをリーダー装置１８０に送信できる。つまり、そのような実施形態においては、トランスポンダ装置１７８は読み込みおよび書き込み装置であり、問題診断および故障探求などの高機能を果たすことができる。
【００６３】
リーダー装置１８０のプロセッサ１９０は、問合せられたときに、および返答を受信したときに、回路保護器の電流、電圧、または温度状態などの作動データを収集し（ステップ２２３）て、収集されたデータを処理して、パネル１０４におけるヒューズ１６２の状態に関するデータと情報を編集（ステップ２２６）でき、データと情報はリーダー装置１８０のメモリ１９４内に格納される（ステップ２２８）。メモリ１９４に格納されたそのようなデータと情報は、通信リンク１１６を使用して概要および応答急送システム１１８および／または在庫管理システム１２０にダウンロード、送信、または通信（ステップ２３０）できる。データは、定期的にまたは、それに限定されるわけではないが、過電流、過電圧、および温度の制限超過状態を含む関心対象の事象が起きたときに、概要および応答急送システムに通信（ステップ２３０）でき、方法２２０は、リーダー装置から作動のためのポーリングまたは問合せを要求しない。
【００６４】
方法２２０を利用して、概要および応答急送システムは、解析用に、ユーザーによる評価のために情報とデータを処理および格納し、概要および応答急送システムは、方法１３０に従って指定したデータが得られた場合に、ユーザーに警報を発するようにプログラムできる。このように、および例えば、ヒューズ１６２の１つまたは２つ以上が、正常な、または予測される作動範囲以内にない電圧、電流、または温度を体験した場合に、ユーザーに警報を発するようでき、従って、管理システム１１２は、１つまたは２つ以上のヒューズ１６２を作動させ、負荷１０６への回路を開かせる可能性のある問題についての事前警告を提供できる。可能であれば、電気システム１００を管理するための適切な行動が取られ、ヒューズ１６２の作動を回避し、その結果として個々の電気的負荷１０６を切断できる。方法２２０はまた不適切に設置されたヒューズまたは作動不良のヒューズを特定し、回路保護器に関する問題とは別に、電気システム１００の診断および故障探求を可能にできる。
【００６５】
回路保護器管理システム１１２により、および上記の典型的方法１９８、２１０、および２２０のいずれかに従い、ヒューズを備える電気システム１００に関しての関心対象の他のデータと共に、開いて交換が必要ないかなるヒューズ１６２をも特定できる。不適切に設置されたヒューズ、パネル１０４内におけるヒューズの存在または存在しないこと、または作動不良のユニットまたはパネル１０４もまた同様に、トランスポンダ装置１７８、リーダー装置１８０、および概要および応答急送システム１１８の適切なプログラミングにより検出および診断できる。
【００６６】
概要および応答急送システム１１８からのデータは同様にリーダー装置１８０に転送でき、送信されたデータは、例えば選択されたトランスポンダ装置１７８からの応答を、パネル１０４内の特別なヒューズ１６２と整合するために使用できる。そのようなデータは、診断または故障探求の目的で、電気システムの特別なヒューズ１６２の問合せを生成するために使用できる。そのような実施形態においては、ヒューズ１６２のトランスポンダ装置１７８は、リーダー装置１８０からのある問合せは無視し、他の問合せに応答するようにプログラムできる。更に、ヒューズ１６２のトランスポンダ装置１７８は、異なる問合せがなされたときは、異なる方法で応答するようにプログラムできる。例えば、トランスポンダ装置１７８は、基本的な問合せには非常に基本的な応答を送り、より高度な問合せに対しては、支援データを含む詳細な応答を送ることができる。また、そのようなシステムにおいては、リーダー装置１８０は、異なる問合せによりパネル１０４内のあるヒューズ１６２の状態を確認し、作動したヒューズ１６２を概要および応答急送システム１１８に通知する前にある情報を収集するように使用できる。
【００６７】
ここまで状態素子トランスポンダおよび概要および応答急送システム１１８とのインタフェースを取るリーダー／問合せ素子のいくつかの典型的実施形態を記述したので、慣習に従って、ヒューズ１６２と、連結された電気システム１００の状態を監視するための所望の出力を達成するためのシステム構成要素のプログラミングについて述べる。
【００６８】
２．送信機およびトランスポンダ監視システム
図９は、回路保護器管理システム１１２および方法１３０において使用できる状態素子と、回路保護器監視アセンブリ２３８の別のタイプ概略ブロック図である。
【００６９】
アセンブリ２３８は、ヒューズ２４０およびパネル１０４の形態の回路保護器１０８を含む。ヒューズ２４０はヒューズ１６２に類似するが、送信機２４２の形態の状態素子１１０と、送信機２４２から信号を受信し、信号およびデータを概要および応答急送システム１１８に送信または通信するトランスポンダ装置２４４の形態の通信装置１１４を含む。送信機２４２は、能動的装置であってよく、それに限定されるわけではないが、電圧、電流、または温度データを含むデータを定期的にトランスポンダ２４４に送信する。今度は、トランスポンダ２４４が上記の通信技術のいずれかにより、概要および応答急送システム１１８にデータを通信する。このように、ヒューズ２４０の送信機２４２は能動的であり、トランスポンダ２４４は一般的に概要および応答急送システム１１８へデータを送信することにおいて受動的である。ヒューズ２４０内の主要ヒューズ素子２４６が開いてヒューズ２４０を介する回路を破断すると、送信機２４２は、上記の感知方法のいずれかにより、作動したヒューズと開いた回路を検出する。
【００７０】
作動したヒューズ２４０がいったん検出されると、送信機２４２は信号をトランスポンダ２４４に送る。今度は、トランスポンダ２４４が作動したヒューズについての信号を概要および応答急送システム１１８に送り、概要および応答急送システム１１８は、要員に通知し、交換ヒューズの位置に関して要員に指示し、作動したヒューズの正体を正確に指摘し、交換ヒューズを注文するという適切な行動を取る。全地球測位技術を採用して作動したヒューズおよび交換ヒューズの正確な位置を決定し、要員のために、作動したヒューズおよび交換ヒューズの位置を突き止めるときのいかなる不確定要素または混乱を避けるようにしてもよい。
【００７１】
１つの実施形態において、送信機２４２とトランスポンダ２４４は、特定用途向け集積回路として実現され、既知のＲＦＩＤ、赤外線、または他のワイヤレス送信技術およびその等価物によりお互いにワイヤレスで通信する。ワイヤレス通信は、送信機２４２とトランスポンダ２４４の間のポイント・ツー・ポイント導電性経路を防止するためには有利と信じられているが、代替実施形態においては、他の既知の送信および受信装置と方法も採用できることは理解される。バッテリ２４５のような搭載電源を送信機２４２に採用して、通信事項をヒューズ２４０が作動した後に送ることもでき、またはコンデンサのようなエネルギー保存構成部品２４７をヒューズ２４０中に採用して、ヒューズが作動した後に短時間内に通信を作動するようにもできる。更に、スイッチング装置を使用して、ヒューズ２４０が作動して、ヒューズ２４０を介しての回路が破断された後に、送信機２４２をバッテリや、バックアップ電源や、または電気システムの他の回路のような代替電源に接続して、トランスポンダ２４４が概要および応答急送システム１１８と通信できるようにもできる。バッテリ２４５に加えて。またはその代わりに、使用されていないときにエネルギーを格納するリチャージャブルバッテリなどを含む電力収穫装置を、エネルギー格納構成部品として利用できる。
【００７２】
しかし、ある代替実施形態においては、送信機２４２からの信号送信がないことは、ヒューズ２４０が開き、送信機２４２がもはや電力を有していないことを示すと見なされ、概要および応答急送システム１１８が、ヒューズ２４０が開いたという能動的な信号送信なしに適切に応答することが考えられる。このように、例えば、所与の時間内にトランスポンダ２４４からの送信が受信されない場合は、トランスポンダが、関連するヒューズが開いたということを概要および応答急送システムに信号で伝えることができる。
【００７３】
更なる実施形態において、可燃性ヒューズ状態インジケータ２４８および光学的起動指示回路２４９を設けて、インジケータ２４８が点火、燃焼、および焼失されたときに、インジケータ２４９における光の放射を感知するようにできる。燃焼が起きて、光がいったん感知されると、光は遠隔位置へのワイヤレス送信のために送信機２４２に入力される電気信号に変換される。可燃性ヒューズ状態インジケータおよび光学的起動指示回路は、共通に所有される米国特許出願第１０／９７３，６２８号に詳細に記載されており、その開示内容はここに参照により組み込まれたものとする。
【００７４】
２つ以上の送信機２４２が１つまたは２つ以上のトランスポンダ２４４と通信して、複数の回路保護器を監視できるということは理解される。トランスポンダ２４４は、パネルのハードウェアに統合してもよいし、分離して提供される構成部品でもよい。パネル１０４内のヒューズ２４０の数または回路保護器管理システム１１２の技術レベルに依存して、複数のトランスポンダ２４４を単一のパネル１０４に採用してもよい。
【００７５】
３．ＩＣカード監視システム
図１０は、回路保護器管理システム１１２および方法１３０で使用できる状態素子と回路保護器監視アセンブリ２５０の別のタイプの概略ブロック図である。
【００７６】
図１０に示されるように、アセンブリ２５０は、ヒューズ２５１の形態の回路保護器１０８と、図１に示されている回路保護器管理システム１１２と、図２に示されている方法１３０のためのパネル１０４を含む。ヒューズ２５１は、図３に関連して示され記述されたヒューズ１６２に類似しているが、スマートカード２５２の形態の状態素子１１０を含む。
【００７７】
ある典型的実施形態において、スマートカード２５２は、データ送信、格納、および処理機能を有する、埋め込み集積回路（ＩＣ）を含む薄膜基板装置であってよく、カード２５２は時折、チップカードまたはＩＣカードと称される。１つの実施形態において、スマートカード２５２はマイクロプロセッサカードまたはその等価物であり、例えば、Ｊａｖａ（登録商標）プログラミング言語を使用するＪａｖａ（登録商標）  Ｃａｒｄ  Ａｐｐｌｉｃａｔｉｏｎｓ  Ｅｎｖｉｒｏｎｍｅｎｔ上で展開されるＡｐｐｌｅｔｓと称されることもある、自己実行型Ｊａｖａ（登録商標）コードを含む。新しいコードをスマートカード２５２にダウンロードして、Ａｐｐｌｅｔの回路保護特性を変更し、カード２５２上の情報を更新または変更することができる。Ｊａｖａ（登録商標）  Ｃａｒｄ技術仕様および展開キットは、Ｓｕｎ  Ｍｉｃｒｏ  Ｓｙｓｔｅｍｓから入手可能で、カードは適切に構成または適合できる。
【００７８】
スマートカード２５２上の回路保護ロジックを使用して、情報を格納し、そのメモリ内において情報を追加、削除、および操作することができる。スマートカード２５２は、ヒューズ２５１の主要ヒューズ素子２５６に平行に接続されたチップヒューズ２５４と組み合わせて使用でき、スマートカード２５２は、チップヒューズ２５４の電流と温度を監視して、主要ヒューズ素子２５６の作動を検知するために使用される。主要ヒューズ素子２５６が作動すると、電流はチップヒューズ２５４に導かれ、チップヒューズ２５４が体験する電流と熱の劇的増加が引き起こされる。電流に起因する増加した電流および／または増加した熱は、スマートカード２５２により感知され、信号が、データをそこから読み取るためにカード２５２に接続されたリーダーまたはリーダー端子２５８であってよい通信装置１１４に送られる。
【００７９】
リーダー２５８への通信は、スマートカード２５２と通信状態にあるアンテナ構造体２６０またはトランスポンダ装置２６２によりワイヤレスに確立できる。または、スマートカード２５２からリーダー２５８への直流電流路を設けることもできる。２つ以上のスマートカード２５２はリーダー２５８と通信し、回路保護器と連結されたスマートカード２５２のそれぞれは、データ収集および応答のための同一または異なるモジュラープログラミング方式を含むことができる。所望するのであれば、カード２５２は、物理的にリーダー２５８に接続する接触インタフェースまたは、物理的アクセスなしにカード２５２に遠隔アクセスするためにカードに埋め込まれたアンテナ構造体を有する非接触インタフェースを含むことができる。
【００８０】
信号がリーダー２５８によりいったん受信されると、リーダー２５８は信号とデータを、上記の方法のいずれかにより概要および応答急送システム１１８に送信または通信する。今度は、概要および応答急送システム１１８は、要員に通知し、交換ヒューズの位置に関して要員に指示し、作動したヒューズの正体を正確に指摘し、交換ヒューズを注文するという適切な行動を取る。
【００８１】
４．機械的監視システム
図１１は、回路保護器管理システム１１２および方法１３０で使用できる状態素子と回路保護器監視アセンブリ２６８の別のタイプの概略ブロック図である。
【００８２】
図１１に示されるように、アセンブリ２６８は、回路保護器１０８とパネル１０４を含む。回路保護器１０８は図３に関連して示され、記述されたヒューズ１６２に類似するヒューズ２７０であるが、ヒューズ２７０が作動して回路を破断した場合、ヒューズ２７０が第２の位置へ作動可能なときに、第１の位置へ移動可能な機械的状態素子２７２の形態の状態素子１１０を含む。例示された実施形態において、状態素子２７４は、スプリング搭載ピンであり、主要ヒューズ素子２７６がヒューズ２７０を介しての回路を開いて破断した場合に、ヒューズが端部キャップ２７４から突出する第２の位置（図１１において点線で示されている）へ作動可能ときに、一般的に端部キャップ２７４と同じ高さにある第１の位置から移動可能である。そのような機械的インジケータおよびその等価物は既知であり、ここでは詳細には記述しない。ピン２７２が第２の位置（図１１において点線で示されている）へ移動されると、ピン２７２は通信装置１１４を起動して開いたヒューズについての信号を概要および応答急送システムに送る。
【００８３】
いったん通信装置１１４が起動されると、通信装置１１４は、上記の方法のいずれかにより概要および応答急送システム１１８にデータを送信または通信する。今度は、通信装置１１４が、作動したヒューズについての信号を概要および応答急送システム１１８に送り、概要および応答急送システムは、要員に通知し、交換ヒューズの位置に関して要員に指示し、作動したヒューズの位置を突き止め、交換ヒューズを注文するという適切な行動を取る。
【００８４】
それに限定されるわけではないが、近接センサとリミットスイッチを含む追加構成部品を、機械的ピン２７２と、バネ搭載素子および電磁素子を含む別の機械的指示機能と連係して、信号を通信装置１１４に送り、開いたヒューズを示すトリガーとするために使用することができる。また、光学システムとスキャナーを採用して、ヒューズが作動するときのピン２７２の相対的動きまたはヒューズ２７０の他の機械的機能を検出することができる。これらのまたは他の追加的構成部品を使用して、センサおよびスイッチを通信装置１１４に入力することにより、複数のヒューズ２７０を単一の通信装置１１４に採用することができる。
【００８５】
５．監視モジュールシステム
図１２は、回路保護器管理システム１１２と方法１３０において使用できる典型的回路保護器１０８とパネル１０４の斜視図であり、状態素子１１０は監視モジュールアセンブリ３００の形態で設けられている。監視モジュールアセンブリ３００は、ヒューズ３０２の形態の、複数の回路保護器に連結されており、アセンブリは、個々のヒューズ３０２の本体に取り付けられた複数の監視モジュール３０４を含む。ある典型的実施形態において、監視モジュール３０４は、個々のヒューズ本体３０６の外部表面へのクリップ３０８を介して個々にヒューズ本体３０６に搭載されており、それにより、電気システムにおいてヒューズ３０２への後付け設置が容易になる。上述したように、ヒューズ３０２は電気システム内のパネル１０４に収納および配置され、電気システム内で電源回路１０２と種々の負荷１０６を相互接続する。
【００８６】
監視モジュール３０４は、それぞれがモジュール３０４から外方向へ、実質的に個々のヒューズ本体３０６に平行な方向に延伸する接触アーム３１０を含んでよい。個々のモジュール３０４の接触アーム３１０は、機械的にかつ電気的にヒューズ３０２の端子素子３１２に、ヒューズ３０２が使用に監視されるように係合する。主要ヒューズ素子３１３は、遮断可能電流路を、ヒューズ３０２のそれぞれの端子素子３１２間に画定し、過電流状態において電流路が開いたとき、または遮断されたときに、モジュール３０４はリアルタイムでヒューズ３０２の作動を感知する。
【００８７】
ある典型的実施形態において、監視モジュール３０４はヒューズ３０２のいくつかに連結されたセンサモジュール３１４と、ヒューズ３０２の１つに連結された通信モジュール３１６を含む。センサモジュール３１４と通信モジュール３１６は、例えば図１２に示されるように、インタフェースプラグ３１８と３本の配線接続を介して相互に接続できる。
【００８８】
ここで図１３を参照して、センサモジュール３１４と通信モジュール３１６の構成を説明する。各センサモジュール３１４は、センサ３３０と、センサ３３０に接続された入力／出力素子３３２と、信号ポート３３４を含む。センサ３３０は接触アーム３１０に接続され、接触アーム３１０は回路保護器ヒューズ３０２Ａの１つの端子素子Ｔ1とＴ2に接続されている。ある実施形態において、センサ３３０は、お互いに光学的に隔離された第１部および第２部を有する電圧感知ラッチ回路である。ヒューズ３０２Ａの主要ヒューズ素子３１３が開いてヒューズ３０２Ａを介しての電流路を遮断すると、センサ３３０はヒューズ３０２Ａの端子素子Ｔ1とＴ2の両端にかかる電圧降下を検出する。この電圧降下により、例えば、回路部の１つが高電圧にラッチして、入力／出力素子３３２に入力信号を供給する。センサ３３０に対して容認できる感知技術は、例えば、Ｓｏｕｔｈ  ＤａｋｏｔａのＲａｐｉｄ  ＣｉｔｙのＳｙｍＣｏｍ，Ｉｎｃ．で入手可能である。
【００８９】
典型的実施形態においては、センサ３３０は電圧センサであるが、代替実施形態において他の感知のタイプを使用して、それに限定されるわけではないが、主要ヒューズ素子３１３が過電流状態で遮断され、連結された電気システムの一部分を隔離したかどうかを決定するために使用できる電流温度および温度センサを含む、回路保護器３０２Ａの作動状態を監視して感知することができるということは理解される。
【００９０】
更なるある実施形態においては、１つまたは２つ以上の追加センサまたはトランスデューサ３３１がセンサモジュール３１４の内部または外部に設けられ、電気システムおよびヒューズ３０２Ａに接続された負荷に関する関心対象のデータを収集することができる。例えば、センサまたはトランスデューサ３３１は、ヒューズ３０２Ａおよび連結された負荷の近傍において、振動および変位状態、機械的応力およびひずみ状態、音響放射およびノイズ状態、熱映像およびサーマログラフィ状態、電気抵抗、圧力状態、および湿度状態を監視し、感知するように適合できる。センサまたはトランスデューサ３３１は、信号入力として入力／出力装置３３２に結合できる。ビデオ撮像および監視装置３３３を設けて、ビデオデータおよび入力を入力／出力素子３３２に供給することもできる。
【００９１】
ある典型的実施形態において、入力／出力素子３３２は、ヒューズ３０２Ａが作動してヒューズ３０２Ａを介しての電流路を遮断したときに、センサ３３０からの入力信号を受信するマイクロプロセッサまたは等価電子パッケージを有するマイクロコントローラであったよい。入力／出力素子３３２は、センサ３３０からの入力信号に応答して、所定のメッセージプロトコルでデータパケットを生成し、そのデータパケットを信号ポート３３４へ出力する。データパケットは、いかなる所望のプロトコルでもフォーマットできるが、ある典型的実施形態においては、少なくとも識別コード、故障コード、および位置またはアドレスコードをデータパケットに含み、それにより、作動したヒューズが容易に特定され、電気システムにおけるその位置と共にその状態も確認できる。もちろん、データパケットは、それに限定されるわけではないが、システムテストコード、データ収集コード、セキュリティコードなど通信プロトコルで所望されるまたは有利な関心対象の他の情報およびコードを含むこともできる。
【００９２】
また、センサまたはトランスデューサ３３１からの信号入力は入力／出力素子３３２に入力でき、入力／出力素子３３２は所定のメッセージプロトコルでデータパケットを生成してそのデータパケットを信号ポート３３４に出力できる。データパケットは、例えば、ヒューズ３０２Ａおよび接続されている負荷の近傍における、振動および変位状態、機械的応力およびひずみ状態、音響放射およびノイズ状態、熱映像およびサーマログラフィ状態、電気抵抗、圧力状態、および湿度状態に関するコードを含んでもよい。撮像および監視装置３３３により供給されたビデオおよび撮像データもまたデータパケットで供給できる。
【００９３】
ある典型的実施形態における通信モジュール３１６は、センサ３３０と、入力／出力素子３３２と、信号ポート３３４も含めることができる。センサモジュール３１４と同様に、通信モジュール３１６のセンサ３３０は、回路保護器ヒューズ３０２Ｂの１つの端子素子Ｔ1とＴ2に接続されている接触アーム３１０に接続されており、通信モジュール３１６のセンサ３３０は、上記と実質的に同様な方法で作動して、ヒューズ３０２Ｂにおける主要ヒューズ素子３１３の作動状態を感知する。しかし、センサ３３０がヒューズ３０２Ｂの作動を感知すると、入力／出力素子３３２は、概要および応答急送システム１１８と通信状態にある送信機３４０に、対応するデータパケットを生成して出力する。通信モジュール３１６から送信されたデータパケットは、上記のデータパケットコードに加えて、固有送信機識別子も含み、それにより概要および応答急送システムは、データパケットを送っている特別な通信モジュール３１６を特定することができる。
【００９４】
１つの実施形態において、送信機３４０は、ワイヤレスな方法でデータパケットをデジタル的に送信する低電力無線周波数（ＲＦ）信号送信機である。従って、ヒューズ監視システム用の電気システムにおいて、ポイント・ツー・ポイント配線は回避されるが、ポイント・ツー・ポイント配線は、本発明のいくつかの実施形態においては利用できるということは理解される。また、低電力デジタル無線周波数送信機が具体的に記述されたが、所望するならば、上記のワイヤレス通信方式および等価物のいずれもが代替的に使用できるということは理解される。
【００９５】
通信モジュール３１６は更に、電子センサ３３０および／または入力／出力素子３３２と、通信モジュール３１６の送信機３４０に電力を供給する搭載バッテリ電源３４２を含む。バッテリ３４２は、インタフェースプラグ３１８を介して、入力／出力素子３３２と通信モジュール３１６のセンサ３３０に電力を供給できる。このように、複数のセンサモジュール３１４は、単一の通信モジュール３１６により複数のヒューズ３０２を監視するために電力の供給を受けることができる。例えば、図１２に示された３つの配線接続の１つはバッテリ３４２を１つまたは２つ以上のセンサモジュール３１４に接続する送電線であってよい。バッテリ３４２は必要であれば、監視アセンブリ３００の寿命を延ばすために交換することができ、例えば、テストボタンが通信モジュール３１６に設けられ、バッテリ３４２に電力が供給され、通信モジュール３１６内のモジュール電子機器と、接続されているセンサモジュール３１４が適切に作動していることを確実にすることもできる。リセットボタンもまた、テストおよび診断の目的でモジュール内に設けてもよい。リチャージャブルバッテリのような、使用されていないときにエネルギーを保存する電力収穫装置３４３を、バッテリ３４２に加えて、またはその代わりに利用することもできる。バックアップ電源３４５または電気システムの他の回路を、センサおよび通信モジュール３１４、３１６に電力を供給するために使用できる。コンデンサのようなエネルギー保存構成部品を採用することもでき、スイッチング装置を設けてエネルギー保存素子、電力収穫装置、バッテリ、およびバックアップ電源、または回路保護器３０２Ａが作動した後に通信を作動するための他の回路の間で切替えることもできる。
【００９６】
また、センサモジュール３１４の信号ポート３３４は、インタフェースプラグ３１８を介して、通信モジュール３１６の信号ポート３３４と通信できる。このように、例えば、図１３の実施形態を考慮すると、センサモジュール３１４に連結されたヒューズ３０２Ａ内で主要ヒューズ素子３１３が開くと、センサモジュール入力／出力素子３３２はデータパケットを生成し、それはインタフェースプラグ３１８を介してセンサモジュール信号ポート３３４に送られ、また送信機３４０を介しての送信のために、通信モジュール入力／出力素子３３２に送られる。このように、信号は単にインタフェースプラグ３１８を介して個々の信号ポート３３４を介して通過するだけで、複数のセンサモジュール３１４を、インタフェースプラグ３１８を信号ポート３３４に相互接続することにより単一の通信モジュール３１６に接続できる。このような方法で、回路保護器管理システムにおける通信モジュール３１６と送信機３４０の数は、関連するコストおよび保守の問題と共に削減することができる。
【００９７】
また、発光ダイオード（ＬＥＤ）のような状態インジケータなどを、センサおよび通信モジュール３１４、３１６に設けて作動したヒューズ３０２を局所的に表示することもできる。このように、保守要員が作動したヒューズ３０２の位置に到着したときに、状態インジケータはモジュール３１４、３１６に連結されているヒューズの局所状態識別を提供できる。
【００９８】
注目すべきことであるが、センサ３１４と通信モジュール３１６を含める監視モジュール３０４をモジュラーの形態で設け、異なるサイズの搭載クリップ３０８と、異なるサイズに調整された接触アーム３１０を、種々のサイズと構成のヒューズを格納するために設けることができる。種々の搭載クリップと搭載構造を、種々の接触アームと接触構造と共に設けてヒューズとの電気的接触を確立することにより、モジュール３０４は、たとえすべてではないにしても、ほとんどのタイプのヒューズを格納するように容易に適合され、モジュール３０４はスナップオン係合により複雑な電気システムに後付けでき、それにより、設置時間と、既存の電気システムにおける複雑さを最小限に抑えることができる。
【００９９】
図１４−図２１は、監視モジュール３０４の種々のタイプの回路保護器とシステムへの適合性を示している。
【０１００】
例えば、図１４は、監視モジュール３０４と、ヒューズ３５２の形態の回路保護器を含む単相監視アセンブリ３５０を示している。モジュール３０４は、そこに搭載されている本体またはハウジング３５４と、センサ基板３５６と、通信基板３５８と、バッテリ３６０を含み、その周りに保護囲いを形成している。センサ基板３５６は、例えば、上述の電圧感知、電流感知、または温度感知回路のような、ヒューズの作動を検出する感知回路３３０を含み、通信基板は、例えば、ヒューズ３５２が作動して回路を開いたときにデータメッセージおよび信号を生成するための入力／出力素子３３２および送信機３４０を含む。
【０１０１】
信号ポート３３４は、モジュール３０４の外部表面３６２を介して露出され、ある典型的実施形態においては、信号ポート３３４は、例えば、プラグ３１８のような噛み合せ相互接続プラグとインタフェースを取る接点３６４を含む。従ってモジュール３０４は、より大きな電気システムにおいて別の監視モジュール３０４に接続できる。
【０１０２】
通信基板３５８およびバッテリ３６０により、モジュール３０４は上述の通信モジュール３１６として機能できる。通信基板３５８およびバッテリ３６０がなければ、モジュール３０４は上述のようにセンサモジュール３１４として機能できる。通信基板３５８は、上述のように低電力無線周波数送信機を含んでもよく、または上記の方法のいずれかにより遠隔装置と通信することもできる。
【０１０３】
テスト／リセットボタン３６６は、ハウジング３５４の外部表面３６２を介して延伸し、状態インジケータ開口部３６８が外部表面３６２に設けられる。例えば、発光ダイオード（ＬＥＤ）をセンサ基板３５６に接続して、ヒューズ３５２が開いてそこに接続されている電気回路の一部分を隔離したときに点灯させてもよく、それにより、ハウジング３５４において視覚的局所識別が可能になる。接触アーム３７０はハウジング３５４に取り付けられ、接触アーム３７０が機械的にヒューズ３５２の端子素子に係合されているときに、ヒューズ３５２の監視のためにセンサ基板３５６に電気的に接続される。
【０１０４】
搭載素子３７２は、ヒューズ本体の外部表面に取り付けられ、それによりヒューズ３５２が電気システムに設置されるときにヒューズ３５２への後付け設置が可能になる。
【０１０５】
図１５は、監視アセンブリ３０４の側正面図であり、ハウジング３５４からヒューズ３５２に向かって延伸している接触アーム３７０と、ヒューズ３５２の個々の端子素子３８２を係合している弾力性接触素子または延伸部３８０を示している。接触アーム３７０は、内側に向かって、およびお互いに向かって延伸してもよく、モジュール３０４と比べて相対的に小さなヒューズ３５２を収納できる。
【０１０６】
搭載素子３７２が矢印Ａの方向に設置されているので、ヒューズ本体３８４の外部表面にぴったり収まり、ヒューズ３５２へモジュール３０４を弾性的に固定する。接触素子３８０は、モジュールが設置されるときに、ヒューズ端子素子３８２に係合するにつれ圧縮されて曲げられ、端子素子３８２のこの曲げまたは圧縮により、矢印Ａの方向におけるヒューズ端子素子６８２に対する正常接触力またはバイアス力が提供される。従って、モジュール３０４とヒューズ端子素子３８２の機械的および電気的係合が保証される。接触素子３８０はセンサ基板３５６に電気的に接続されて、ヒューズ３５２の作動状態を監視する。
【０１０７】
リムーバブルバッテリドア３８６をハウジング３５４の一方の側に搭載して、例えば、矢印Ｂの方向に取外し可能にして、モジュール３０４内において検査および交換のためのバッテリ３６０へのアクセスを提供するために、矢印Ｂの方向において可動にできる。信号ポート３３４は、使用中はモジュール３０４の前面を画定するモジュールハウジング３５４の外部表面３６２から延伸し、およびそこを介して露出される。ヒューズ３５２に対向するモジュール３０４の前面において信号ポート３３４の位置を突き止めることにより、上述のように、インタフェースプラグ３１８を介しての他のモジュールへの容易な相互接続のための、信号ポート３３４への妨害されないアクセスが可能になる。
【０１０８】
図１６は、種々のタイプの回路保護器用のモジュール３０４を構成するために使用できる回路保護器監視アセンブリキット４００の底部分解図である。キット４００は、センサモジュール３１４または監視モジュール３１６であってよい監視モジュール３０４へ組み込むこともできる。
【０１０９】
キット４００は、例えば、上述の感知回路、通信送信機、およびバッテリ電源を格納する箱状構造を形成する上面４０４と、底面４０６と、対向する側壁４０８と４１０と、対向する端部壁４１２、４１４を含む略長方形に形成できるハウジング４０２を含む。ハウジング４０２は、１つの実施形態においては、ツールなしでスナップフィット係合により組み立てることができる。ある典型的実施形態においては、略長方形が示されているが、ハウジングの他の形状および構成を代替実施形態において使用できることは認識される。
【０１１０】
底面４０６は、搭載ショルダ４１５と、保持フランジ４１６と、接触アームレセプタクル４１８を含むことができる。搭載素子４２０を保持フランジ４１６に取り付け可能で、接触アーム４２２は、接触レセプタクル４１８に取り付け可能である。
【０１１１】
搭載素子４２０は、１つの実施形態においては、Ｕ字形ベース４２４と、ベース４２４から延伸し、ヒューズ本体の外部表面に内部フィットするように選択された曲率を有する弾性アーム４２６を含めることができる。外部に向け先細りするエッジ４２８がアーム４２６の基端部に設けられて、例えば、クリップオンまたはスナップフィット係合によりヒューズの外部表面上に搭載素子４２０が設置されるときに、矢印ＣおよびＤの方向にお互いから離れるようにアーム４２６を分離する。保持開口部がベース４２４内に形成され、ベース４２４がハウジング保持フランジ４１６上に挿入され、ハウジング搭載ショルダ４１５の間に位置するときに、保持開口部は保持フランジ４１６と整列する。ベース４２４をハウジング４０２に向けて押すことにより、保持フランジ４１６は弾力的に曲げられ、ベース４２４における保持開口部を強制的に通される。フランジ４１６が元の位置に戻ると、フランジ４１６はベース４２４を、これもまたスナップオンまたはクリップオン係合によりハウジング４０２の底面４０６に固定する。
【０１１２】
ある典型的実施形態において、接触アーム４２２はそれぞれが接続部４３０と、延伸部４３２と、シュラウド４３４を含む。導電性配線素子または等価物のような弾性接触素子４３６は、延伸部および接続部４３０、４３２を介して延伸し、それぞれの延伸部のシュラウド４３４の下で曲げられ、またはカーブ状にされる。接続部および延伸部４３０、４３２は、プラスチックのような非導電性または絶縁性材料から形成でき、キット４００が作動している回路保護器に設置されるときに、使用中の素子４３６との不慮の接触を防止する。接続部４３０および接触素子４３６の一方の端部は、ハウジング底面４０６においてレセプタクル４１８に挿入でき、スナップフィットまたはクリップオン係合によりそこに保持することができる。接触素子４３６は、接続部４３０がレセプタクル４１８に収容されるときに、直接または間接的にセンサ基板に電気的に接続される。
【０１１３】
従って、キット４００は構成部品のスナップフィット接続により手動で、ツールなしで素早く組み立てることができ、それにより回路保護器の、便利で低コストの監視アセンブリを提供できる。搭載素子４２０の種々のサイズ、形、および構成と、接触アーム４２２の種々のサイズ、形、および構成を設けることにより、キット４００は種々の異なる構成に組み立てられて、異なるタイプのヒューズを収納できるようになる。
【０１１４】
例えば、図１７は、ナイフブレードヒューズ４５０に取り付けられたキット４００の１つの典型的バージョンを示している。搭載素子４２０Ａが設けられて、ヒューズ本体４５２の外部表面を係合し、細長接触アーム４２２Ａが設けられて、ヒューズ４５０のナイフブレード４５４に機械的および電気的に接続する。接触アーム４２２Ａは外側に向けて延伸し、モジュールハウジング４０２から離れて、モジュールハウジング４０２からある距離においてナイフブレード４５４に到達する。
【０１１５】
図１８は、図１７に示されるヒューズ４５０よりも大きな径を有するヒューズ４６０に取り付けられたキット４００の別の典型的バージョンを示しているが、ヒューズ４５０に比べて軸長は短い。従って、ヒューズ４６０のヒューズ本体４６２に内部フィットするようにサイズ調整された、異なる搭載素子４２０Ｂがハウジング４０２に採用され、異なる接触アーム４２２Ｂが設けられて、ヒューズ４６０の端子素子４６４に機械的および電気的に接続する。
【０１１６】
このようにして、図１４−図１８に示されるように、搭載素子４２０と接触アーム４６４を混合して整合し、それらを普遍的使用可能ハウジング４０２に取り付けることにより、センサモジュールまたは通信モジュールのいずれかに対して、キット４００は多数の異なる構成に容易に組み立てられて、多数のサイズおよび形のヒューズを係合および監視することができる。キット４００がいったん組み立てられてヒューズに設置されると、キット４００は、上述した様に、ハウジング４２０の上面４０４において信号ポート３３４を介して相互接続することができる。
【０１１７】
図１９と図２０は、図１に示された回路保護器管理システム１１２と図２に示された方法１３０で使用できる回路保護監視アセンブリ５００の別の実施形態を例示している。アセンブリ５００は、それぞれが三相電気電力システムの１つの相に対応する、回路保護器ヒューズ５０４とインタフェースを取る三相装置である監視モジュール５０２を含む。
【０１１８】
モジュール５０２は保護ハウジング５０６と、ハウジング５０６内の複数のセンサ基板５０８と、搭載電源バッテリ５１２により電力が供給される通信基板５１０を含むことができる。上記の実施形態同様、センサ基板５０８は、ヒューズ５０４のそれぞれを監視するための電圧感知回路、電流感知回路、または温度感知回路を含んでよく、通信基板５１０は、低電力無線周波数送信機を含んでよく、または上述したように他の方法で通信してもよい。センサ基板５０８は相互に、および通信基板５１０と接続されており、それにより、ヒューズ５０４のいずれかが開いてヒューズ５０４を介する電流の１つの相を遮断したときに、信号が生成され、概要および応答急送システム１１８のような遠隔装置への送信のために通信基板５１０に送られる。
【０１１９】
テスト／リセットボタン５１４を通信基板５１０上に設けることができ、センサ基板５０８は、所望するように、ＬＥＤまたは他の局所状態インジケータを含んで、電力の三相に連結されているヒューズ５０４の作動状態を表示することができる。
【０１２０】
アセンブリ５００は、ヒューズ５０４の１つの端子素子５２２を係合しているセンタ接触アーム５２０と、他のヒューズ５０４の端子素子５２２を係合している側面接触アーム５２４を含む。側面接触アーム５２４は、その中に複数の搭載開口部を含んでもよく、接触シュラウド５２６は、位置決めピン５２７を介して側面接触アーム５２４の搭載開口部において選択的に位置取りができる。このように、接触アーム５２４上の接触シュラウド５２６の、センタ接触アーム５２０に対する相対的位置は、矢印Ｅの方向に調整可能であり、それによりアセンブリ５００は、電気システムに設置されるときに、ヒューズ５０４よりも大きなまたは小さな径を有し、ヒューズの中心線間の空間的距離がより大きなまたは小さなヒューズと共に使用できる。
【０１２１】
単一の搭載素子５３０は、ヒューズ５０４の１つを係合し、接触アーム５２４は外側へ向かいハウジング５０６から離れるように延伸して、ヒューズ５０４の端子素子５３２を機械的および電気的に係合して、それによりモジュール５０２内のセンサ回路がヒューズ５０４の作動状態を監視できる。ある代替実施形態においては、搭載素子５３０は、２つ以上のヒューズを係合してアセンブリ５００をヒューズに固定することができる。
【０１２２】
リムーバブルバッテリドア５２８を、バッテリ５１２へのアクセスのためにモジュール５０２の一方の側に設けることができる。モジュール５０２は上述したケット４００と同様にキットの形態で供給でき、三相電流への適用において種々のタイプのヒューズを監視するために異なる構成に組み立てられる種々の搭載素子５３０と接触アーム５２４を有している。
【０１２３】
図２１と図２２は、図１に示された回路保護器管理システム１１２と図２に示された方法１３０において使用できる回路保護器監視アセンブリ５４０の別の実施形態を示している。アセンブリ５００は監視モジュール５０２と、バッテリ５１２へのアクセスを提供するリムーバブルバッテリカバーまたはドア５４２を含む。
【０１２４】
アセンブリ５００と異なりアセンブリ５４０は、ヒューズ５４６の１つの端子素子を係合するセンタ接触アーム５４４と、他のヒューズ５４６の端子素子を係合する側面接触アーム５４８を含む。側面接触アーム５４８は、矢印ＦおよびＧの方向に、モジュールハウジング５０６に関して旋回軸の役目を果たして回転可能であり、モジュールハウジング５０６に関して接触アーム５４４、５４８の間隔を調整し、三相への適用において種々の径または外形を有するヒューズを収納する。
【０１２５】
アセンブリ５４０を、種々の長さの接触アーム５４４、５４８を有するキットの形態で設けて、ヒューズの種々のサイズの端子素子を機械的および電気的に係合するようにでき、また種々の搭載素子５３０を設けてモジュール５０２を異なるヒューズ本体に係合することもできる。
【０１２６】
三相監視モジュールと単相監視モジュールのいくつかの典型的実施形態を記述してきたが、三相モジュールおよび単相モジュールを、回路保護器が採用されて単相および三相電気負荷および電源をお互いに隔離する複雑な電気システムにおいて組み合わせて使用できるということが認識される。監視モジュール、監視素子、および接触アームのモジュラー構成およびアセンブリは、種々のサイズ、形、および構成のヒューズを有する既存の電気システムへ、監視モジュールを広く適用することを可能にする。上述したような回路保護器管理システム１１２に使用されて信号を概要および応答急送システム１１８に通信する場合は、監視モジュールと監視アセンブリは、多様な異なるタイプの回路保護器を有する電気システムに対して効果的な監視状態および検出方法を提供する。
【０１２７】
従って、多用途で、相対的に低コストの、拡張可能で適合可能な回路保護器監視システムが設けて、電気システムおよびインフラストラクチャを修正することなしに既存の電気システムに後付けできる。しかし、将来の機器においては、またはおそらくより小型の電気システムに対しては、監視、通信、および管理構成部品は電気システムおよび回路保護器製品それ自体に内蔵することができるということは理解される。
【０１２８】
６．監視アセンブリおよびシステムの組み合わせ
上述の監視アセンブリは所望するならば、あるいは必要であれば、特別な適用のために電気システム１００において混合され整合される。このように、例えば、システムにおいて重要な負荷を保護する電気システムにおける回路保護器は、データ収集器として作動するより高度な状態素子を含んでもよく、一方、システムの他の回路保護器は、より基本的な、より低コストの状態素子により監視するようにしてもよい。同様に、データ収集は、いくつかの回路保護器に対しては要求されるが、他に対しては要求されず、電気システムのいくつかは監視モジュールに後付けでき、一方、システムの他の部品は、システムのハードウェアおよびインフラストラクチャに統合された監視技術を含むようにしてもよい。
【０１２９】
更に、上述したアセンブリの状態素子は異なるアセンブリにおいて混合して整合できるということが考えられる。例えば、リーダーまたは問合せ素子をモジュラー監視アセンブリに採用して、スナップオン後付け設置で回路保護器に係合することができる。別の例として、スマートカード技術または機械的起動状態素子を、モジュール監視アセンブリに組み込むことができる。
【０１３０】
回路保護器と状態素子の上記の実施形態のいずれも、ユーザーの利便性のために、他の既知のヒューズ状態指示機能と組み合わせることができる。例えば、ヒューズは、可燃性ヒューズ状態インジケータ、温度応答材料、およびヒューズの状態を、開いているまたは開いていないと視覚的に示す他の既知の材料を含んでもよい。このように、ヒューズの一部分の外見において、色の変化あるいは他の物理的変化を示すことにより、保守要員は概要および応答急送システム１１８により特定された領域において作動したヒューズをより容易に特定できる。即ち、視覚的ヒューズ状態指示機能は、保守要員が指定された位置に到着したときに、概要および応答急送システム１１８により特定されたヒューズ状態の確認を可能にする。
【０１３１】
更に、パネル１０４と回路保護器１０８の上記の実施形態は、ヒューズに関連した状況で記述されたが、同様な技術および方法は、例えば、装置の作動を検出して、より効率よくトリップしたブレーカおよび開いたスイッチ路の位置を突き止め、リセットし、同時に電気システムの監視、診断、および故障探求を容易にする回路ブレーカおよびスイッチのような他のタイプの回路保護器と共に採用することができる。
【０１３２】
Ｄ．信号送信システム
図２３は、図１で示された回路保護器管理システム１１２と図２で示された方法１３０と共に使用される典型的信号送信システム５８０を図で例示している。複数の回路保護器パネル１０４は、電気システム全体に分布され、監視される電気システムにおける回路保護器パネル１０４は、例えば、上述したように、ブロック１０６におけるヒューズのような１つまたは２つ以上の回路保護器の作動可能状態に対応するデータ信号を送信するための監視アセンブリを含む。上述したように、通信モジュール３１６は、監視アセンブリに連結されたヒューズの１つが開いたときに、ワイヤレスデータ信号またはデータパケットを生成する。ある典型的適用においては、監視アセンブリは上述の通信モジュール３１６を含む。
【０１３３】
通信モジュール３１６からのワイヤレスデータ信号は、例えば、通信モジュール送信機３４０の送信範囲内に位置する１つまたは２つ以上の中継器／ルーター素子５８２により受信できる。ある典型的実施形態においては、中継器／ルーター素子５８２は、ワイヤレス、無線周波数送信装置、または、例えば、通信モジュール３１６からのデジタル的に送信されたＲＦデータ信号を受信し、そのデータ信号を、ここではゲートウェイ装置５８４と称する信号収集および調整装置に転送する等価装置であってよい。ゲートウェイ装置は、今度は、概要および応答急送システム１１８と通信状態になる。または、中継器／ルーター素子５８２は、通信モジュール３１６からの送信データをゲートウェイ装置５８４に供給するように機能する別の電子装置であってもよい。例えば、ＵＳＢ、シリアルポート接続、または他の接続手段、およびその等価物を利用して、中継器／ルーター素子５８２とゲートウェイ装置５８４を相互接続することもできる。
【０１３４】
ある典型的実施形態においては、複数の中継器／ルーター素子５８２が種々のパネル１０４の周囲および周りに設けられ、中継器／ルーター素子５８２は、通信モジュールからの信号送信を、概要および応答急送システム１１８と通信状態にある単一のゲートウェイ装置５８４へ転送する複数の信号路を画定するメッシュネットワークを形成する。中継器／ルーター素子５８２およびメッシュネットワーク構成は、例えば、Ｔｅｘａｓ、ＤａｌｌａｓのＲＦ  Ｍｏｎｏｌｉｔｈｉｃｓ，Ｉｎｃ．から入手可能である。多くの異なるメッシュトポロジーが知られており、それに限定されるわけではないが、スター構成、リング構成、クラウド構成、線形構成、などを含む構成を採用することができる。メッシュネットワークはアルゴリズムに基づいており、特別な設置のための特別な必要性を満たすように構成できる。
【０１３５】
１つの実施形態においては、中継器／ルーター素子５８２のネットワークは、ネットワークが変更するときの自動ルーティングおよび再ルーティング機能を有する自己構築型および自己治癒型であり、回路保護器管理システム１１２において数千の回路保護器が監視される場合に非常に拡張性が高い。種々のパネルまたはブロック１０６が異なる場所、および異なる建物にさえ位置していることを考慮すると、管理システム１１２は、多用途的で既存の電気システム１００に適合でき、電気システム内の追加的電気負荷および回路保護器の追加または削減に対して融通性がある。
【０１３６】
図２３には、複数の中継器／ルーター素子５８２が示されているが、ある代替実施形態においては、１つという少ない中継器／ルーター素子５８２を設けることができることは理解される。同様に、所望であれば、２つ以上のゲートウェイ装置５８４を採用することができる。
【０１３７】
ゲートウェイ装置５８４は、ネットワークに基づくコンピュータサーバーシステム、パーソナルコンピュータ、コンピュータワークステーション、プログラマブル論理コントローラまたは他の電子コントローラ、プロセッサに基づく手持ち装置または別の電子装置、または、中継器／ルーター素子５８２からの信号を受信、調整、処理、または解釈し、その信号を、下記に説明するように、概要および応答急送システム１１８に通信するそれらの等価物であってよい。
【０１３８】
図２４は、データ通信を、ゲートウェイ装置５８４を介して中継器／ルーター素子５８２と概要および応答急送システム１１８の間に提供する信号送信システム５８０を図として例示している。
【０１３９】
図２４に示すように、ゲートウェイ装置５８４は、例えば、上述の監視モジュール３０４または図３−図１１に関連して記述された状態素子のいずれかのような状態素子の１つまたは２つ以上が、電気システムにおいて電気回路のある部分を隔離した、開いた回路保護器に関して中継器／ルーター素子５８２に信号を送るときに、中継器／ルーター素子５８２からのワイヤレスデータ送信を受信するための受信機５８８を含む埋め込み型コンピュータ装置であってよい。受信機５８８は、ゲートウェイ装置５８４の一部であってもよく、または分離して設けられ、ゲートウェイ装置５８４とのインタフェースが取られ、中継器／ルーター素子５８２からの入信信号送信事項を受信できるようになっていてもよい。
【０１４０】
データパケットを、回路保護器監視アセンブリおよび／または中継器／ルーター素子５８２から、指定した時間内に繰り返し送信して、データパケットが、ゲートウェイ装置５８４および／または概要および応答急送システム１１８により完全に受信され、処理され、随意に確認応答されることを確実にすることができる。データ信号の繰り返しの送信は、２つ以上の回路保護器がほぼ同時に作動したときの信号の衝突を防止する。また、中継器／ルーター素子５８２は、ルーティングコード、タイムスタンプ、または他の情報をデータパケットに追加し、それにより概要および応答急送システム１１８が通信システムと、監視モジュールと概要および応答急送システム１１８間の信号路を監視することができるようにもできる。
【０１４１】
図２４に示すように、ゲートウェイ装置５８４は、中継器／ルーター素子５８２を介して入信するデータ信号を処理するためのゲートウェイアプリケーションソフトウェア５９０を含む。ゲートウェイアプリケーションソフトウェアは、この技術分野の者には理解されるように、例えば、Ｌｉｎｕｘ（登録商標）、ＵＮＩＸ（登録商標）またはＷｉｎｄｏｗに基づくオペレーティングシステムおよびそれらの等価物上で実現できる。
【０１４２】
アプリケーションソフトウェア５９０は、監視アセンブリ設置者およびシステムまたはサイト技術者５９４を、状態素子、中継器／ルーター素子５８２、およびゲートウェイ装置５８４間の通信の設定、テスト、および故障探求において支援するための、例えば、構成および監視アルゴリズム５９２と相互グラフィックユーザーディスプレイを含んでよい。設置者または技術者５９４は、例えばゲートウェイ装置５８４に接続されたウェブサーバー５９６を介してゲートウェイ装置から離れた位置においてゲートウェイ装置５８４にログオンすることができ、または設置者または技術者は、ゲートウェイ装置５８４自体に連結されたローカルユーザーインタフェースにより直接作業できる。監視構成部品の構成および回路保護器に連結された信号送信構成部品を設置、保守、または修正するために必要な情報を供給および受信するアプリケーションソフトウェア５９０にアクセスするために、２人以上の設置者または技術者がゲートウェイ装置５８４にログオンすることができる。
【０１４３】
構成および監視アルゴリズム５９２および相互グラフィックユーザーディスプレイを使用して、状態素子および中継器／ルーター素子は、その作動モードによりシステムにより判断され、考慮され、決定され、または識別される。例えば、状態素子に対する適用可能監視モードは、状態素子が認証されゲートウェイ装置と互換性のある「登録」状態と、状態素子が設置されたが管理システムと通信するように起動されていない「発見」状態と、状態素子が特別な回路保護器に連結され、管理システムと通信する「起動」状態と、状態素子が機能しないようにされた「中断」状態と、状態素子が除去されいかなる回路保護器とも連結されていない「非起動」状態と、状態素子が起動されているが管理システム１１２に報告しない「オフライン」状態を含むことができる。信号送信構成部品は、管理システムにより、それに限定されるわけではないが、中継器／ルーター素子５８２を含めて、同様に指定されて特定される。
【０１４４】
回路保護器に対する状態素子の追加的な特徴化、グループ化、または分類表示を、システムが拡張、縮小、あるいは使用法が変更され、より多くの電子負荷または電気システムの構成が時間経過と共に変更または適合されたときに、管理システム全体、および監視および信号送信構成部品の概観を提供するために情報の目的で設けることができる。作動モードはゲートウェイ装置５８４により自動的に検出されるか、または状態素子の設置者、技術者またはサービス要員により手動で入力できる。従って、ゲートウェイ装置５８４はインテリジェントな方法で、状態素子および中継器／ルーター素子５８２の、回路保護器管理システム１１２への追加、またはそこからの削減を管理できる。
【０１４５】
タイムスタンプ警報アルゴリズム５９８および関連するディスプレイもまた、状態素子、中継器／ルーター素子５８２、およびゲートウェイ装置５８４間の通信システムが、回路保護器管理システム１１２において監視および通信構成部品の作動を確実にするために定期的に検査される、検査および保守の目的のためのアプリケーションソフトウェア５９０に含まれてよい。１つの例として、回路保護器状態素子および／または中継器／ルーター素子５８２は、定期的にまたはある間隔、時折、監視間隔と称される間隔で、ゲートウェイ装置５８４と通信またはレポートするようにプログラムすることができ、ゲートウェイ装置５８４は、アプリケーションソフトウェア５９０を介して、状態素子および中継器／ルーター素子から受信した信号を、構成および監視アルゴリズムおよびディスプレイ５９２を介して、回路保護器管理システム１１２に存在することが知られている状態素子および中継器／ルーター素子のシステムに入力された情報と比較することにより、管理システムの作動状態または健全状態を監視することができる。例えば、もし中継器／ルーター素子５８２の１つが、または回路保護器状態素子の１つが所定時間内にリポートしない場合は、設置者／サイト技術者５９４に対して、ゲートウェイ装置５８４から直接に、または概要および応答急送システム１１８を介して間接的に、エラーフラッグが設定され警報が生成される。そして、タイムスタンプ警報アルゴリズム５９８および構成および監視アルゴリズム５９２は技術者により、回路保護器管理システム１１２の診断および故障探求のためにアクセスされる。
【０１４６】
データ削減アルゴリズム６００を、概要および応答急送システム１１８と通信する前に、中継器／ルーター素子５８２からの信号送信を処理するためのアプリケーションソフトウェア５９０に含んでもよい。例えば、ゲートウェイ装置５８４は入信データ信号にフィルタ処理をして、例えば、２つ以上の中継器／ルーター素子５８２が同一の信号をゲートウェイ装置に送信したとき、または別の例として、例えば、データの衝突を防止するために、同一の状態素子が２回以上中継器／ルーター素子５８２に信号を送ったときに起こる可能性のある重複した信号送信を特定することができる。重複した信号は、概要および応答急送システム１１８に信号を通信する前にゲートウェイ装置５８４により破棄または削除することができる。
【０１４７】
データ削減アルゴリズム６００はまた、概要および応答急送システム１１８の機能に必要のないデータ信号から情報を削減または削除することもできる。例えば、データ信号の無線周波数送信に関係するが、概要および応答急送システム１１８との通信用のネットワークメッセージ送信プロトコルに関係のないメッセージ送信プロトコル情報は、概要および応答急送システム１１８への送信の前にデータ信号から取り去られ、除去され、あるいは削除される。
【０１４８】
データロギングアルゴリズム６０２および関連するディスプレイもまた、情報およびデータを供給および受信し、管理システムの行動のレポートを生成するためのゲートウェイアプリケーションソフトウェア５９０に含まれてもよい。そのような情報およびレポートは、上記に説明したように、そのような情報とレポートは、１つまたは２つ以上の回路保護器を作動して回路のある部分を隔離する原因となる電気システムにおける問題を特定し、おそらく技術者５９４が、病院用電気システムのような、非常に重要な適用においては特に有利なことであるが、回路保護器の開いた状態を防止するように電気システムを制御および管理するための手段を取ることを可能にする電気システムの先制的管理のためには有効なツールとなり得る。
【０１４９】
データロギングアルゴリズム６０２およびディスプレイもまた、１つまたは２つ以上の回路保護器が作動したときに非常に危険な状態にある機械または回路のある部分を遮断するように、電気システムのリアルタイムな作動に応答して特別な手順を開始するために使用することができる。そのような手順は、例えば、三相電気電源の１つの相が作動した回路保護器のために隔離または遮断され、機械または負荷が一時的に電流の２相のみにより電力が供給されるときなどには特に適切となる。
【０１５０】
構成および監視アルゴリズム５９２、タイムスタンプ警報アルゴリズム５９８、データ削減アルゴリズム６００、およびデータロギングアルゴリズム６０２のそれぞれは、データベース６０４または、入力、収集、および受信されたデータと、作動パラメータおよび設定、およびゲートウェイ装置５８４が要求する可能性のある機械読み取り可能オペレーティングソフトウェアコードおよびアルゴリズムなどを格納するために必要なメモリ格納媒体に相互接続される。
【０１５１】
通信インタフェース６０６、通信ドライバ６０８、およびインタフェースドライバ６１０もまたゲートウェイアプリケーションソフトウェア５９０に設けて、回路保護器管理システム１１２における作動可能構成部品間に通信を確立するようにしてもよい。
【０１５２】
ゲートウェイ装置５８４はまた認証、検証、またはセキュリティアルゴリズムを実行して管理システム通信の完全性を確実なものにし、同時に、診断、テスト、および故障探求手順を実行して、回路保護器管理システム１１２全体における回路保護器状態素子および中継器／ルーター素子５８２の適切な設置と作動を確実なものにすることができる。
【０１５３】
ある典型的実施形態においては、ポータル監視および通信アプリケーション６１２を設けて、概要および応答急送システム１１８に情報を搬送するためのデータ信号の更なる処理をしてもよい。通信アプリケーション６１２は、メッセージデータを入信無線周波数データ送信プロトコルから、例えば、それに限定されるわけではないがＨＴＴＰＳ、ＳＯＡＰ、およびＸＭＬプロトコルと、この技術分野では既知のそれらの等価物を含む、好ましいネットワークメッセージ送信プロトコルに変換するプロトコルアルゴリズム６１４と、ネットワークメッセージ送信プロトコルデータパケットを、例えば、Ｅｔｈｅｒｎｅｔ（登録商標）接続６１８を介して概要および応答急送システム１１８に送信するインターネットプロトコルアルゴリズム６１６を含んでもよい。
【０１５４】
ある典型的実施形態においては、入信無線周波数データプロトコルは、関心対象の情報を表現する複数ビットを有するバイト指向プロトコルである。例えば、状態素子は、固有無線識別子と、状態素子用製造者シリアル番号と、回路保護器用装置型コードと、回路保護器用位置またはアドレスコードと、電力／制御コードと、機器識別コードと、テストコード、故障コード、および回路保護器および／または状態素子に連結された回路の作動状態に関連するコードのような状態パラメータコードに対応するビットを含むデジタルデータ信号を送信できる。データ信号はまた、温度コード、振動コード、変位コード、機械的応力コード、機械的ひずみコード、音響放射コード、ノイズコード、熱映像コード、電気抵抗コード、圧力コード、湿度コード、およびビデオ監視コードのような、回路保護器または連結された電気システムおよび負荷の周囲状況に関連するコードを含むことができる。
【０１５５】
中継器／ルーター素子５８２は、個々の中継器／ルーター素子のシリアル番号、中継器／ルーター用装置型コード、中継器／ルーター用ワイヤレスアドレス、データパケットシーケンス番号、中継器／ルーター用位置コード、および中継器／ルーター素子の作動状態に関係する状態パラメータに対応する信号プロトコルにビットを追加してもよい。
【０１５６】
ゲートウェイ装置５８４は、無線周波数送信プロトコルを、概要および応答急送システム１１８への送信用の第２の、異なるメッセージ送信プロトコルに変換する。第２メッセージ送信プロトコルもまたバイト指向であってよく、固有無線識別子、作動した回路保護器のシリアル番号、作動した回路保護器の装置型コード、作動した回路保護器の位置コード、ワイヤレスアドレス、ゲートウェイ装置用ＩＰアドレス、タイム／日付スタンプ、ゲートウェイ装置にロードされたゲートウェイアプリケーションソフトウェアおよび／または通信アプリケーションのソフトウェアバージョンコード、ゲートウェイ装置のハードウェアバージョンコード、パケットカウント、エラーカウント、および所定数のエラーコードに対応するビットを含む。概要および応答急送システム１１８により受信されると、ゲートウェイデータメッセージは、回路保護器の作動を迅速に決定し、電気システムにおいて作動した回路保護器の位置を突き止め、有責要員および技術者に、ダウンした回路の迅速な再作動のために通知し彼等を招集するために使用することができる。更に、システムにおける信号事象に関連するすべてのコードとデータは、回路保護器管理システム１１２全体の性能を評価するための将来の使用、検索、研究、および解析のために記録される。
【０１５７】
いくつかの典型的メッセージコードを記述したが、他のタイプのコード、情報、および回路保護器製品および作動状態を示すデータもまた代替実施形態においては含むことができることは理解され、また典型的プロトコルビットとコードのすべてより少ない部分が信号送信システム５８０の他の実施形態においては使用できることも認識できる。メッセージプロトコルの実現は、従来通りに行われ、ここでは更に詳細に具体的に記述はしない。
【０１５８】
ゲートウェイアプリケーションソフトウェア５９０および通信アプリケーション６１２は、それに限定されるわけではないが、Ｗｉｎｄｏｗｓ（登録商標）、ＰｏｃｋｅｔＰＣ、およびＬｉｎｕｘ（登録商標）オペレーティングシステムおよびこの業界では既知のその等価物を含む、ゲートウェイ装置５８４にロードされた既知のオペレーティングシステム６２０上で起動できる。ここまで種々の作動アルゴリズム機能を記述してきたので、上述した方法で作動するモジュールのプログラミングは、更なる説明なして、プログラミング技術における者により従来通りに提供され得る。
【０１５９】
ある典型的設置においては、ゲートウェイ装置５８４は電気システムサイトに位置し、概要および応答急送システム１１８は、電気システムと同様のサイトに位置することもできるが、遠くに離れて位置することもできる。
【０１６０】
図２５は、ある典型的実施形態においてゲートウェイ装置５８４により実行可能な方法６３０のフローチャートである。ゲートウェイ装置５８４は、中継器／ルーター素子からの信号を待ち、上述した方法のいずれかにより信号を受信する（ステップ６３２）。データ削減は、上述した方法により入信信号に対して実行され（ステップ６３４）、入信メッセージプロトコルは、入信メッセージプロトコルとは異なる第２メッセージプロトコルに変換される（ステップ６３６）。いったんメッセージプロトコルが変換される（ステップ６３６）と、ゲートウェイ装置は変換されたデータメッセージを、上述した方法で行動または注意のために遠隔概要および応答急送システム１１８に通信する（ステップ６３８）。
【０１６１】
適切であれば、または必要であれば、ゲートウェイ装置は、構成および監視アルゴリズムを起動し（ステップ６４０）、上述しようにタイムスタンプアルゴリズムを起動する（ステップ６４２）。エラーが検出される（ステップ６４４）と、ゲートウェイ装置は、技術者に通知し（ステップ６４６）、データ削減手順を実行して（ステップ６３４）エラー信号を概要および応答急送システムに送る準備をする。タイムスタンプアルゴリズムおよび手順中にエラーが検出されない（ステップ６４４）ときは、ゲートウェイ装置は、別のメッセージが中継器／ルーター素子から受信されるまで、一時停止状態に戻る。
【０１６２】
随意に、入信メッセージは認証（ステップ６４８）でき、または他の検証およびセキュリティアルゴリズムおよび手順を実行してシステム通信の完全性を確実なものにしてもよい。データロギング手順は、必要であればゲートウェイ装置５８４の作動中に起動され（ステップ６５０）、データは、所望であれば遠隔概要および応答急送システムによりアクセスでき、またはそこに通信できる。
【０１６３】
図２６は、電気システム１００と管理システム１１２に接続された信号送信システム５８０を図により例示している。電気システム１００は、回路保護器パネル１０４におけるヒューズ３０２のような複数の回路保護器に接続された電源または電源回路１０２を含む。ヒューズ３０２のそれぞれは、センサモジュール３１４または通信モジュール３１６に連結され、ヒューズ３０２のそれぞれは、電気負荷１０８に接続される。インタフェースプラグ３１８は、センサモジュール３１４を相互接続し、および上述の方法により通信モジュール３１６に相互接続する。モジュール３１４、３１６の相互接続により、ヒューズ３０２のいずれかが作動して負荷１０６のいずれかを隔離すると、データパケットは、通信モジュール３１６の送信機３４０に提供され、ワイヤレス信号６６０は、通信モジュール３１６により送信される。ワイヤレス信号６６０は、少なくとも１つの中継器／ルーター素子５８２により受信されてゲートウェイ装置５８４に転送される。ゲートウェイ装置５８４は、ファイヤウォール５８６に保護され、情報を概要および応答急送システム１１８に通信する。
【０１６４】
管理システム１１２は概要および応答急送システム１１８と、概要および応答急送システム１１８に接続されたユーザーインタフェースまたはディスプレイ６６２を含み、交換ヒューズの自動注文のための在庫管理システム１２０と通信状態にある。メモリまたはデータベース６６４もまた、システムの行動を記録し、概要および応答急送システム用に必要なデータを格納するために設けてもよい。例えば、データベース６６４は、ゲートウェイ装置５８４からの入信データパケット送信を復号するために使用することができ、ユーザーインタフェース６６２は、下記に記述するメニュー駆動のディスプレイを有する表形式およびグラフィック形式で、有責要員に情報を提供するために使用することができる。データベース６６４はまた、保守要員を探し、召集するためのコンタクト情報の格納および検索のためにも使用できる。
【０１６５】
図２７は、設備６８０における種々のパネル１０４において監視される多数の回路保護器３０２を有する電気システムを収納する電気設備６８０の典型的サイト図である。監視モジュール３０４は、そのうちのいくつかは通信モジュール３１６であり、いくつかはセンサモジュール３１４であるが、設備６８０全体に分散されたヒューズ３０２のような回路保護器に連結されている。多数の中継器／ルーター素子５８２もまた、監視モジュール、具体的には通信モジュール３１６の作動範囲の設備６８０において異なる位置に戦略的に配置されている。中継器／ルーター素子５８２は、今度は、例えば、インターネットを介して遠隔位置における概要および応答急送システム１１８と通信する集中ゲートウェイ装置５８４と通信状態にある。
【０１６６】
図２７に示すように、管理システムは多数のヒューズ３０２を効率よく監視でき、設備６８０のサイズと複雑さが増したときに、システムは追加的監視モジュール３０４と中継器／ルーター素子５８２を追加することにより容易に適合できる。概要および応答急送システム１１８は直接設備管理と相互作用して、リアルタイムのシステム性能データと直接情報を提供し、それによりダウンした回路は可能な限り迅速に再作動できる。
【０１６７】
図２８は更に、図２６と図２７において示されている管理システムの追加機能を、その１つの具現例において例示している。ヒューズ監視モジュール３０４は、中継器／ルーター素子５８２のネットワーク６９０とインタフェースが取られ、中継器／ルーター素子５８２は、今度は、ゲートウェイ装置５８４とのインタフェースが取られる。ゲートウェイ装置５８４は、例えば、設備６８０のローカルネットワークインタフェースおよび処理監視インタフェースに接続することができる。ゲートウェイ装置５８４のポータル通信アプリケーション６１２は、ソフトウェアまたは機械読み取り可能コードで実現されるが、中継器／ルーターネットワーク６９０からの入信信号を処理する。ポータル通信アプリケーション６１２による処理の後、ゲートウェイ装置５８４はイーサネット（登録商標）接続６１８を介してインターネットと通信し、最終的に概要および応答急送システム１１８と通信する。ゲートウェイ装置５８４からの通信に応答して、概要および応答急送システム１１８は、インターネットおよび通信タワー６９２を介して電気システムの有責要員と通信し、例えば、電話６９４、ファックス６９８、ｅメール７００、または顧客ウェブサイトを介して指定された要員とコンタクトを取り、作動した回路保護器および再作動回路に関する指示と情報を提供する。
【０１６８】
図２９は、別の回路保護器管理システムの更なる実施形態を図により例示しており、監視モジュール３０４または上述した状態素子のいずれかのような複数の状態素子は、異なる位置または設備７１０と７１２における中継器／ルーター素子５８２と複数のゲートウェイ装置５８４と通信する。各設備７１０、７１２におけるゲートウェイ装置５８４は、例えば、設備７１０と７１２の両者から遠く離れた第３の位置において、概要および応答急送システム１１８と通信する。そのような方法で、ゲートウェイデータメッセージが顧客識別子を含むときに、概要および応答急送システム１１８は、設備７１０に対応する電気システムの作動に関するメッセージを設備７１２に対応する電気システムの作動に関するメッセージから区別できる。このように、設備７１０と７１２が図２９に示すように、異なる顧客ＡとＢにより所有される場合、概要および応答急送システム１１８は、回路保護器が作動して電気システムを保護したときに、複数の顧客に、彼らの電気システムのリアルタイム作動についてアドバイスして警報を発し、各顧客に電気回路を効率よく再作動するための具体的情報を提供することができる。
【０１６９】
ある典型的実施形態において、概要および応答急送システム１１８は回路保護器製造者のサイトに位置してもよく、それにより、現場におけるそのヒューズ保護製品の作動と性能に関するリアルタイムな情報を提供できる。製造者は、概要および応答急送システム１１８へ入力された、またはそれにより収集された情報にアクセスして、ヒューズ保護製品の全種類に対する上位の顧客サポートが提供でき、更には、その情報を利用して、既存の回路保護製品を改良し、新製品の機会を特定し、顧客と緊密に作業して複雑な電気システムにおける複雑な問題を解決することができる。
【０１７０】
使い易さ、グラフィカルインタフェース、およびディスプレイが実現されると、概要および応答急送システム１１８は、ある場所にいる顧客、別の場所にいるサイト技術者、および第３の場所にいる顧客サポート要員に、種々の電気システムと構成における回路保護器を管理するためのリアルタイム情報を提供できる。このように、電気システムサイトレベルにいる重要な要員、電気システムに責任のある顧客レベルにいる重要な管理者または要員、および製造者レベルにいる回路製品サポートおよび支援のために重要な要員は全員が、複数の個々の電気システムにおいて、回路保護器の実際の開いた状態についてタイムリにアドバイスを受けることができる。回路保護器小売業者や販売者のような他の団体もまた、所望するならば回路保護器情報を提供してもらうこともでき、上述したように、概要および応答急送システム１１８は、例えば、ヒューズ在庫を、それが使用されたときに補充するために交換ヒューズを自動的に注文するようにプログラムできる。
【０１７１】
Ｅ．ユーザーインタフェース
図３０−図４６は、典型的な概要および応答急送システム１１８の態様を示しており、従ってユーザーインタフェースは、ある実施形態においてはコンピュータ読み取り可能媒体に埋め込まれたコンピュータプログラムまたはソフトウェアであり、例えば、管理用クライアントユーザーインタフェースフロントエンドと、ユーザー入力、アクセス、および情報検索用ウェブインタフェースと、電気システムに対するサービス技術者と設備管理者によるレポートを備えるＳｔｒｕｃｔｕｒｅｄ  Ｑｕｅｒｙ  Ｌａｎｇｕａｇｅ（ＳＱＬ）を利用している。概要および応答急送システム１１８はウェブを可能にしてもよく、ビジネスエンティティイントラネット上で起動され、またはインターネットを介して、ビジネスエンティティのファイヤウォールの外側での認証されたアクセスを有する個人により全面的にアクセスするようにしてもよい。ある典型的実施形態において、概要および応答急送システム１１８は、ＷａｓｈｉｎｇｔｏｎのＲｅｄｍｏｎｄのＭｉｃｒｏｓｏｆｔ  Ｃｏｒｐｏｒａｔｉｏｎから入手できるＷｉｎｄｏｗｓ（登録商標）（Ｒ）ＮＴ環境またはオペレーティングシステムにおいて起動される。適用は柔軟性があり、いかなる主要な機能を減じることなく種々の異なる環境において起動できるように設計されている。
【０１７２】
図３０は、サーバーシステム７２０と、クライアントシステム７２２とも称される、サーバーシステム７２０に接続された複数のクライアントサブシステムを含む概要および応答急送システム１１８の典型的実施形態の簡略化されたブロック図である。下記に更に詳細に記述するコンピュータ化モデルおよびグループ化ツールはサーバーシステム７２０に格納されており、クライアントシステム７２２のいずれにおける要求者によりアクセス可能である。１つの実施形態において、クライアントシステム７２２は、ウェブブラウザを含むコンピュータまたは他の電子装置であり、サーバーシステム７２０が、例えば、インターネットを使用してクライアントシステム７２２によりアクセス可能となっている。
【０１７３】
クライアントシステム７２２は、例えば、ローカルエリアネットワーク（ＬＡＮ：構内通信網）またはワイドエリアネットワーク（ＷＡＮ：広域通信網）、ダイヤルイン接続、ケーブルモデム、および特別高速ＩＳＤＮラインのようなネットワークを含む多数のインタフェースを介してインターネットに相互接続することができる。クライアントシステム７２２は、ウェブベースの電話、パーソナルデジタルアシスタント（ＰＤＡ：携帯情報端末）、または他のウェブベースの接続可能機器またはその等価物を含んで、インターネットに相互接続できる装置であればいずれでもよい。データベースサーバー７２４は、下記に更に詳細に記述する多様な事項についての情報を含むデータベース７２６に接続される。１つの実施形態において、データベース７２６は集中化されてサーバーシステム７２０上に格納され、データベース７２６は、サーバーシステム７２０にクライアントシステム７２２の１つを介してログオンすることにより、クライアントシステム７２２の１つにいる潜在的ユーザーによりアクセスされる。ある代替実施形態においては、データベース７２６はサーバーシステム７２０から遠く離れて格納され、集中化されなくてもよい。
【０１７４】
図３１は、サーバーシステム７２０とクライアントシステム７２２を含む概要および応答急送システム１１８のサーバーアーキテクチャのある典型的実施形態の拡張ブロック図である。サーバーシステム７２０はデータベースサーバー７２４、アプリケーションサーバー７２８、ウェブサーバー７３０、ファックスサーバー７３２、ディレクトリサーバー７３４、およびメールサーバー７３６を含む。ディスク格納ユニット７３８はデータベースサーバー７２４とディレクトリサーバー７３４に結合されている。サーバー７２４、７２８、７３０、７３２、７３４、および７３６はローカルエリアネットワーク（ＬＡＮ）７４０において結合されている。更に、システムアドミニストレータワークステーション７４２、ユーザーワークステーション７４４、およびスーパーバイザーワークステーション７４６がＬＡＮ７４０に結合されている。または、ワークステーション７４２、７４６、および７４８はインターネットを利用してＬＡＮ７４０に結合されるか、またはイントラネットを介して接続される。
【０１７５】
各ワークステーション７４２、７４４、および７４６はパーソナルコンピュータまたはウェブブラウザを有する電子装置である。ワークステーションで実行される機能は、個々のワークステーション７４２、７４４、および７４６で実行されるものとして典型的に示されているが、そのような機能は、ＬＡＮ７４０に結合された多数のパーソナルコンピュータの１つにおいて実行できる。ワークステーション７４２、７４４、および７４６は、ＬＡＮ７４０へのアクセスを有する個人により実行可能な異なるタイプの機能を理解し易くするためだけに、分離した機能に連結されたものとして示されている。
【０１７６】
サーバーシステム７２０は、概要および応答急送システム１１８に連結された被雇用者７５０を含む、クライアントシステム７２２のいくつかを経由しての種々の個人へ、および、監視される電気システムに対して責任があり、例えば、ＩＳＰインターネット接続７５４を使用してサーバーシステム７２０と通信状態にある設置者、技術者または保守要員のような第三者７５２へ通信可能に結合されるように構成または適合されている。典型的実施形態における通信は、インターネットを使用して実行されるものとして示されているが、他の実施形態においては、他のいかなるワイドエリアネットワーク（ＷＡＮ）型通信もまた利用できる。つまり、概要および応答急送システムとその作動アルゴリズムと処理は、インターネットを利用して実行されることだけには限定されない。
【０１７７】
ある典型的実施形態において、ワークステーション７５６、７６８を有する認証されたいかなる個人も、クライアントシステム７２２の１つを経由してサーバーシステム７２０にアクセスできる。クライアントシステム７２２の少なくとも１つは、遠隔地に位置する管理ワークステーションを含む。ワークステーション７５６と７５８は、パーソナルコンピュータまたはウェブブラウザを有する他の電子装置であってよい。更に、回路保護器販売者や、回路保護器在庫を補充するための自動化配給システムのような第三者顧客は、例えば、ウェブブラウザを有するワークステーション７６０経由でサーバーシステム７２０と通信できる。
【０１７８】
ファックスサーバー７３２は、ワークステーション７５６、７５８、および７６０を含む、遠隔地に位置するクライアントシステム７２２と通信できる。ファックスサーバー７３２は、例えば、電話リンクまたはセルラー通信タワーを使用してワークステーションと通信して、回路保護器が作動したときに電気システムに対しての行動と注意のために指定された人間に警報を発して召集をかけることができる。ファックスサーバー７３２は、それに限定されるわけではないが、ワークステーション７４２、７４４、および７４６も含む他のクライアントシステムと、報告の目的のために通信するように構成または適合されている。
【０１７９】
図３２は、概要および応答急送システム１１８に利用されている典型的方法または処理７７０を示すフローチャートである。ここで記述されている処理およびシステムの技術的効果は、上述の信号送信システムにおける回路保護器、状態素子、および通信装置に関する設置情報が、概要および応答急送システムにより入力、送信、ダウンロードまたは別の方法で容認７７２されたときに達成される。この情報は上記のサーバーシステムに格納され、概要および応答急送システム１１８によるゲートウェイ装置からの入信データ信号の復号、解釈、または処理を可能にし、それによりこの情報が下記に記述するようにエンドユーザーに搬送される。ある典型的実施形態においては、この情報のほとんどが、上述のゲートウェイ装置５８４のゲートウェイ構成および監視アルゴリズム５９２に供給され、その後、概要および応答急送システム１１８に通信される。しかし、この情報は、サーバーシステムに接続されたワークステーションのいずれを介しても概要および応答急送システム１１８に供給できることは理解できる。
【０１８０】
ある実施形態においては、（ステップ７７２）容認された情報は、状態素子からゲートウェイへのデータパケットおよび信号送信を生成するために使用される上述した種々のコードおよび情報に対応し、従って、容認された情報は、例えば、監視されている電気システムにおける状態素子通信のそれぞれに対応する固有無線識別子と、状態素子により監視される回路保護器のシリアル番号と、回路保護器の種々のタイプに対する装置型コードと、各回路保護器の位置コードと、信号送信システムにおける通信装置用ワイヤレスアドレスと、ゲートウェイ装置用ＩＰアドレスと、ゲートウェイからの入信データ信号用タイム／日付スタンプと、ゲートウェイ装置にロードされたゲートウェイアプリケーションソフトウェアおよび／または通信アプリケーションのソフトウェアバージョンコードと、ゲートウェイ装置用ハードウェアバージョンコードと、入信メッセージ用データパケットカウントと、入信データパケットおよびメッセージ用エラーカウントと、状態素子、信号送信システム、および／または概要および応答急送システム用の異なるエラー状態に対応するエラーコードを含む。詳細サイトレイアウト図および配線図を含む電気システム自体に関する情報もまた概要および応答急送システムにより供給および容認される（ステップ７７２）。（ステップ７２２）容認された情報は、概要および応答急送システムにより生成される自動化警報通知に対する顧客識別子と接触情報もまた含む。
【０１８１】
いったん情報回路保護器設置データが容認される（ステップ７２２）と、概要および応答急送システムは、監視されている電気システムに対するサイト平面図と、回路保護器概要を表示する（ステップ７７４）。このサイト平面図および回路保護器概要は、電気システムが位置する電気システムサイトと設備、電気システムに連結された回路保護器および電気システムにおけるそれらの相対位置、回路保護器により保護される回路と負荷、および回路保護器の作動状態の図による説明を含む。回路保護器は、下記の例に示されるように、グループ化、分類され、メニュー駆動形態によりユーザーに提示される。
【０１８２】
概要および応答急送システムは、ゲートウェイ装置からのデータ信号またはメッセージの受信を待ち（ステップ７７６）、メッセージが受信され（ステップ７７６）ないときは、概要および応答急送システムは、サイト平面図と回路保護器概要を表示し続ける（ステップ７７４）。
【０１８３】
メッセージがゲートウェイ装置から受信される（ステップ７７６）と、概要および応答急送システムはメッセージを処理、復号、または解釈して、メッセージの内容により、メッセージがアラーム状態に対応するかを判断する（ステップ７７８）。概要および応答急送システムがメッセージはアラーム状態に対応していないと判断した（ステップ７７８）場合は、メッセージからのデータは更新され（ステップ７８１）、概要および応答急送システムは、メッセージにおいて受信されたいかなる新しいまたは更新された情報を含めて、サイト平面図と回路保護器概要を表示する（ステップ７７４）ことに戻る。例えば、ゲートウェイからのメッセージが、新しい回路保護器、状態素子、または回路保護器が設置されたこと、または信号送信システムがより多くの、または少ない中継器／ルーター素子を含むように修正されたことを示す場合は、サイト平面図および回路保護器概要は、概要および応答急送システムのユーザーによる検査のために、そのような変更を反映する。別の例として、状態素子が、回路保護器からの電圧、電流、または温度の表示値のような作動データを収集するとき、およびそのような表示値がゲートウェイ装置からのデータメッセージに含まれる場合は、そのようなデータおよび情報は、サイト平面図と回路保護器概要と共に表示することができる。
【０１８４】
概要および応答急送システムがメッセージはアラーム状態に関連すると判断した（ステップ７７８）場合は、概要および応答急送システムは、影響を受けた回路が迅速に評価されるように、上述の方法のいずれかにより、通知警報を生成し（ステップ７８０）、直接指定された要員を召集し接触を図る。種々のアラーム状態を設け、回路保護器監視および信号送信構成部品における故障状態を示すようにしてもよく、アラームとしては、所定の電圧、電流、または作動温度状態が接近してきたときの閾値アラームや、回路保護器が使用中に作動して回路のある部分を隔離したときの開回路アラームがある。アラーム状態は、その深刻度または緊急性に基づいて分類および段階分けしてもよく、概要および応答急送システムは、アラーム状態の種々のレベルにより異なる方法で応答する。
【０１８５】
いったんメッセージがアラーム状態を解釈され、通知が生成される（ステップ７８０）と、概要および応答急送システムは、関心対象のシステムのユーザーがリアルタイムに検出されたアラーム状態を見ることができるように、そのアラーム状態を表示する（ステップ７８２）。所望するのであれば、アラーム状態の深刻度に応じて、概要および応答急送システムは、危険のあるシステムを遮断し、ある機械を遮断するなど、アラーム状態が保証するように、特別な手順を開始する（ステップ７８５）。特別な手順は、回路保護器１０８が作動して電気システム１００のある部分を開いたときに、特別な機械または機器に対応する影響を受けた負荷への補助電源を起動し、特別な機械または機器に対応する危険なシステムまたは負荷を遮断し、解析のために重要な回路データを保存するなどを含み、そのような作業および行動を更なる評価および応答のために指定された要員に通信することができる。
【０１８６】
特別な手段を開始することにより、アラームメッセージを概要および応答急送システムに送ったゲートウェイ装置との通信が確立され、ゲートウェイ装置が電気システムサイトにおいてその手順を、例えば、コンピュータ化された保守管理システム、監視制御およびデータ取得システム、産業制御および自動化システム、事業資源計画システム、電子データ交換システム、製造資源計画システム、供給チェーン管理システム、自動化スイッチ制御、プログラマブル論理コントローラなど、作動可能に補助電源および電力分配機器に接続され、この技術分野の者にはなじみの他の既知制御手段と通信することにより実行できるようになる。または、特別な手順の開始は、アラーム通知の生成（ステップ７８０）において実行することができ、指定された要員は、例えばアラーム状態が修正されるまで、特別な機器および負荷を遮断するためのある行動を取ることが要求される。このように、異なる実施形態においては、特別手順は、人間の行動なしに、ゲートウェイ装置および／または概要および応答急送システムにより自動的に実行されるか、またはゲートウェイ装置および／または概要および応答急送システムはシステムユーザーまたはシステムに接触する人間に特別手順を遂行および実行するように要請する。
【０１８７】
概要および応答急送システムはまた、システムにログオンしたユーザーに、アラーム管理オプションも表示する（ステップ７８４）。アラーム管理オプションを使用して、ユーザーは、後日の研究および解析のためにアラーム概要と履歴を調べると共に、アラーム事象に対して確認応答し、それをクリアし、注釈を付けることができる。
【０１８８】
通知の生成およびアラーム状態の表示後は、概要および応答急送システムは１人または２人以上のユーザーまたは応答者によるアラーム状態の確認応答を待つ（ステップ７８６）。合理的な時間範囲内にアラーム通知に対して確認応答がなかった場合は、概要および応答急送システムはアラームデータを更新し（ステップ７８８）、アラームの段階を引き上げ（ステップ７９０）、再び別の通知を生成して指定された要員を召集する。アラームの段階を引き上げる前に確認応答を待つ時間範囲は、アラーム状態の深刻度に依存して変更してもよく、アラームの段階引き上げはまた、アラーム状態の性質に依存して変更、あるいは削除することさえもできる。アラームの段階引き上げにより、応答急送システムにより接触され、通知される人間あるいは要員が追加または交替され、追加通知が送られた後のアラームの確認応答までの時間枠が短縮され、１箇所または２個所以上の場所においてオーディオまたはビジュアルアラームが起動され、または他の手段により１人または２人以上のユーザーからシステムへの注意を集めて、影響を受けた回路が再作動され、または問題が迅速に対処できるようになる。回路の混乱を予測しての電気システムの先制的管理は、使用されているアラーム方式の技術レベルに依存して容易化できる。
【０１８９】
いったんアラームが確認応答されると、概要および応答急送システムは、電気システムに対して責任ある１人または２人以上の人間によりアラームがクリアされて（ステップ７９２）、概要および応答急送システムがアラーム状態に対して対応が取られ、アラーム状態はもはや存在しないことを知らせたかどうかを知るために待機する。アラームがクリアされない（ステップ７９２）ときは、メッセージデータは更新され（ステップ７８８）、別のアラーム状態の通知が生成される（ステップ７８０）前にアラームの段階が引き上げられる（ステップ７９０）。
【０１９０】
いったんアラームがクリアされる（ステップ７９２）と、メッセージデータは更新され（ステップ７９４）、概要および応答急送システムは、ゲートウェイ装置から別の信号が受信される（ステップ７７６）まで、サイト平面図と回路保護器概要を表示することに戻る。アラーム状態の確認応答およびクリアまでの応答時間を含む、アラーム事象に関する情報は、設備管理者による研究および解析のために概要および応答急送システムにより記録される。電気システムの性能、システムに連結された回路保護器、状態素子および信号送信システムの有効性、要員のシステムへの応答性、および他の関心対象の情報に関して、レポートが編集され生成されてもよい。
【０１９１】
図３３−図４２はある典型的実施形態における概要および応答急送システムに対するユーザーインタフェースの典型的ディスプレイを示している。
【０１９２】
図３３は、概要および応答急送システムのユーザーに対するログオン画面を示すユーザーインタフェースの例としての実施形態である。認証されたシステムのユーザーは、従来のユーザー名データフィールド８００、パスワードデータフィールド８０２、およびログインボタン８０４を有する概要および応答急送システム１１８にログオンできる。認証されていないシステムのユーザーは概要および応答急送システム１１８に入ることおよびアクセスすることが禁止される。
【０１９３】
図３４は、ログイン後にユーザーに提示される回路保護器レイアウトおよび概要画面を表示するユーザーインタフェースの例としての実施形態である。ナビゲーションバー８１０が画面の上部に設けられ、ナビゲーションバーは概要リンク８１２とアラームリンク８１４を含む。ログアウトリンク８１６が、システムを終了するためにナビゲーションバー８１０に隣接して設けられる。
【０１９４】
設備ツリー８１８がディスプレイの一部に設けられ、設備リンク８２０と、より大きな設備の異なる領域または部分に対応するサブ設備リンク８２４、８２６および８２８を含む。示された例においては、より大きな設備は３つの区別されたオペレーション領域、つまり、梱包領域、塗装領域、およびメッキ領域に分割される産業プラントである。これらの領域は、同一または異なる物理的設備または建物に位置してよく、ユーザーは監視されている設備およびサブ設備を一目で知ることができる。
【０１９５】
フロア平面図またはサイトレイアウト８３０は、選択された設備リンク８２０またはサブ設備リンク８２４、８２６および８２８に対して表示される。サイトレイアウトは、監視されている物理的設備を示し、それによりユーザーは、回路保護器の相対位置を特定でき、最小限の遅延でアラーム状態に対処するために設備内をナビゲートできる。設備またはサブ設備リンク８２２、８２４、８２６および８２８を選択することにより、ユーザーは種々の詳細レベルで監視されている電気システムを知ることができる。
【０１９６】
アラーム通知領域８３２は、サイト平面図と回路保護器概要画面に設けられ、ある典型的実施形態においては、マップデータフィールド８３４、アラーム領域データフィールド８３６、レシーバー名データフィールド８３８、アラーム時間データフィールド８４０、通知送信データフィールド８４２、およびアラーム確認応答データフィールド８４４を含み、ユーザーは一目でアラーム状態と関連する情報を見ることができる。マップデータフィールド８３４は、表示されているサイトレイアウト８３０にユーザーを導く。アラームデータフィールド８３６は、関心対象のサブ設備リンクを参照する。レシーバー名データフィールド８３８は、アラームデータフィールド８３６内の監視されているまたは影響を受けた電気負荷を参照する。データフィールド８４０、８４２、および８４４はユーザーに、アラーム状態発生、アラームの通知、および指定された要員によるアラームの確認応答の個々の時間をユーザーに通知する。
【０１９７】
回路保護器要約８４６もまたサイト平面図および回路保護器概要画面に設けられる。回路保護器要約８４６は、ある典型的実施形態においては表形式で設けられ、ヒューズ列８４８および状態列８４９を含む。このように、図３４に示される例においては、産業設備の塗装領域における機械に連結された４つのヒューズがあり、これら４つすべてのヒューズは閉じており作動可能である。従って、電気システムは正常に作動し、アラームデータフィールド８４０、８４２、および８４４は空である。
【０１９８】
続行ボタン８５０は、情報が単一のページまたは画面に表示しきれないときに、更に要約情報、アラーム状態、サイト平面図などにアクセスするために設けられる。
【０１９９】
図３５は、概要および応答急送システムがゲートウェイ装置からアラーム信号メッセージを受信したときに、アラーム状態が表示された後の回路保護器レイアウトおよび概要画面を示している。アラーム通知領域８３２は、現在はアラーム状態に関する情報を表示し、図３５に示されるように、データフィールド８３４、８３６、８３８、８４０。８４２、および８４４は概要および応答急送システムにより個々のマップ、アラーム領域、およびアラームに関連するレシーバー名、アラーム時間、通知時間、およびアラーム確認応答を示すために埋められている。また、回路保護器要約８４６は、現在は２つ以上の回路保護器ヒューズを示し、つまり、説明された例におけるヒューズ２は、現在は開いて、アラーム通知領域８３２において特定された機械の動作に影響を与えている。
【０２００】
図３６は、ユーザーが、例えば、図３５のナビゲーションバー８１０におけるアラームリンク８１４を選択することによりアクセスできる回路保護器アラーム管理要約を示すユーザーインタフェースのある例としての実施形態である。
【０２０１】
回路保護器アラーム管理要約画面は、上述のナビゲーションバー８１０と設備ツリー８１８を含む。ユーザーがサブ設備リンクを選択すると、ツリー８１８は選択されたサブ設備に連結された回路保護器を示すために拡張される。このように、示されている例において、梱包サブ設備リンク８２４が選択され、機械リンク８５１とパネルリンク８５２はそれぞれ、梱包領域に位置する機械および回路保護器パネルに対応するアイコンとして提示される。機械またはパネルリンク８５１と８５２を選択することにより、ユーザーは、監視されている電気システムにおける機械およびパネルに連結されている回路保護器を知ることができる。
【０２０２】
図３６に示された例においては、機械リンク８５１もまた選択され、この機械に連結された４つの回路保護器８５４がグラフィックで示されている。図３５の要約領域８４６において開いて示されているヒューズ２は、図３６の回路保護器アラーム管理要約画面で選択され、アラーム管理概要８５６が、特定された、開いた回路保護器ヒューズ２に対して対応する情報でユーザー提示される。
【０２０３】
アラーム管理概要８５６は、特別な時間および日付パラメータ内の選択された回路保護器ヒューズ２に対して生成されたアラームを調べるために使用される日付および時間データフィールド８５８と８６０を含む。このように、アラームは、アラームをトリガーした電気システムにおける根本的問題を診断および故障探求するために研究される。ヒューズ要約領域８６２は、例えば、選択された回路保護器が属するグループ名、選択された回路保護器の電気システムまたは設備領域の領域ゾーン名、選択された回路保護器の位置、および作動した回路保護器のタイプを識別する回路保護器のための部品番号を表示するために設けられる。このように、ユーザーは一目で、アラームを生成した回路保護器の正体、位置、およびタイプを知ることができ、従って、ユーザーは、ナビゲーションバー８１０における概要リンク８１２を選択することにより、必要であればサイト平面図および回路保護器概要画面を参照し直して、ヒューズのような交換回路保護器の位置を迅速に突き止めることができ、回路保護器の位置を効率よく突き止めることができる。回路保護器のタイプまたはモデルの絵を、交換回路保護器の位置を突き止めることを支援するためにユーザーに提示してもよい。
【０２０４】
１つの実施形態においては、エンティティ列８６５、状態列８６６、時間および日付列８６８、および説明列８７０を含む表形式アラーム状態領域８６４が設けられる。列８６５、８６６、８６８、および８７０のそれぞれは概要および応答急送システムにより情報で埋められていて、それによりユーザーは迅速にアラーム状態に対処できる。
【０２０５】
アラームへの調査および応答リンク８７２が設けられ、リンク８７２が選択されると、図３７に示されるように、回路保護器アラーム管理オプション画面がユーザーに提示される。アラーム管理オプション画面は、図３５に示されるアラーム管理概要画面に類似しているが、全アラーム調査リンク８８０、アラーム詳細調査リンク８８２、アラーム確認応答リンク８８４、アラームクリアリンク８８６、アラーム注釈追加リンク８８８、およびアラーム転送リンク８９０を含む。
【０２０６】
図３８は、ユーザーが図３７のアラーム詳細調査リンク８８２を選択することによりアクセス可能な回路保護器アラーム詳細画面の例としての実施形態である。
【０２０７】
回路保護器アラーム詳細画面は、関心対象の回路保護器に連結された負荷に対応するエンティティデータフィールド９０２と、アラーム深刻度データフィールド９０４と、アラーム用時間および日付データフィールド９０６、アラーム用簡略説明データフィールド９０８、およびアラーム用詳細説明データフィールド９１０を含む詳細要約９００を含み、そのためユーザーは、アラーム状態に関する重要情報を迅速に知ることができる。
【０２０８】
アラーム行動表９１２もまた設けられ、行動列９１４、注釈列９１６、日付列９１８、および行動者列９２０を含み、人間またはアラーム状態に対応する人間を特定する。このように、ユーザーは迅速に現在進行中の行動またはアラームに応答して取られた行動を迅速に評価できる。注釈は概要および応答急送システムにより自動的に追加され、または、応答した要員またはシステムユーザーにより手動で入力され、電気システムについての回路が開いた事象または問題を文書化できる。
【０２０９】
ある典型的実施形態において、概要および応答急送システムは、自動的に特別要員に通知および警報を発するようにプログラムされているが、ユーザーが所望するのであれば、アラーム転送リンク８９０を選択することにより、別の人間に警報および通知を提供することができる。
【０２１０】
リンク８９０が選択されると、回路保護器アラーム転送ウィンドウ９３０が、図３９に示されるようにユーザーに提示される。転送ウィンドウ９３０は、接触データフィールド９３２、送信ボタン９３４、およびキャンセルボタン９３６を含む。電話番号またはｅメールアドレスが接触データフィールド９３２にタイプ入力されてもよく、ボタン９３４と９３６は、転送アラームを送信またはキャンセルするために使用できる。ウィンドウ９３０は、例えば、アラームに応答できない指定された応答者により使用され、指定された人間はメッセージを応答してくれる可能性のある他人に転送することができる。概要および応答急送システムは、将来の使用目的のために接触データフィールド９３２に入力された情報、または接触情報に関連する人間が応答しない場合は段階を引き上げられたアラームを格納できる。
【０２１１】
応答者がメッセージを受信し、アラーム状態を調査できるときは、応答者はアラーム確認応答リンク８８４を選択することができ、そのように選択した場合は、回路保護器アラーム確認応答ウィンドウ９４０が表示される。ウィンドウ９４０において、応答者は、所望するのであれば、注釈データフィールド９４２に注釈を入力でき、ＯＫまたはキャンセルボタン９４４または９４６を選択することにより、確認応答を完了またはキャンセルできる。応答者により入力された注釈はいずれもアラーム詳細画面のアラーム行動表９１２に表示され、図３５に示されたサイト平面図および回路保護器概要画面における確認応答データフィールド８４４に表示することもできる。
【０２１２】
応答者は、アラームクリアリンク８８６を選択することによりアラームをクリアでき、所望するのであれば、アラームクリアランスウィンドウ９５０が図４１に示すようにユーザーに提示される。アラームクリアランスウィンドウ９５０は、注釈データフィールド９５２、および注釈を概要および応答急送システムに入力または破棄するための、ＯＫおよびキャンセルボタン９５４と９５６を含む。クリアランスの注釈はアラーム行動表９１２においてユーザーに表示できる。
【０２１３】
応答者またはそうでないユーザーは、アラームへの注釈追加リンク８８８を選択することにより将来のフォローアップまたは研究のためにアラームに注釈を追加することができ、そのように選択した場合は、図４２に示されるように、アラーム注釈ウィンドウ９７０がユーザーに提示される。アラーム注釈ウィンドウ９７０は、注釈データフィールド９７２、および注釈を概要および応答急送システムに入力するかまたは破棄するためのＯＫまたはキャンセルボタン９７４または９７６を含む。そのような注釈はいずれもアラーム行動表９１２においてユーザーに表示される。
【０２１４】
図４３−図４６は、概要および応答急送システムにおいて実現できるユーザーインタフェースの別の典型的実施形態を示している。
【０２１５】
図４３は、ユーザーがサーバーシステムにログオンした後に、ユーザーに対して提示される回路保護器レイアウトおよび概要表示のある実施形態である。ナビゲーションバーが画面の上部に設けられ、ナビゲーションバーは、モニタリンク１０００、アラームリンク１００２、行動リンク１００４、装置リンク１００６、およびレポートリンク１００８を含む。ログアウト１０１０はシステムを終了するために設けられている。
【０２１６】
モニタリンク１０００は、選択されると、電気システム概要と回路保護器に対する監視状態にアクセスするために使用できる。アラームリンク１００２は、保管されたアラーム情報を調べるために選択できる。行動リンク１００４は、入力画面およびディスプレイにアクセスして、接触情報およびシステムにより接触される特別な要員の選択、通知および警報優先権および転送オプション、アラーム確認応答およびクリアランスオプション、アラーム深刻度レベルの割り当て、段階引き上げオプション、および概要および応答急送システムとインタフェースを取るためのユーザーの他の優先権を含む、概要および応答急送システムに対するアラーム行動オプションを構成するために選択できる。装置リンク１００６は、回路保護器情報にアクセスするために選択でき、レポートリンク１００８は、ユーザーがレポートパラメータを選択でき、形式および優先権を選択できるレポート生成ウィンドウ、画面、およびディスプレイに入力するために選択できる。
【０２１７】
設備ツリー１０１２はディスプレイの一部に設けられ、設備リンク１０４、およびより大きな設備の異なる領域または部分に対応するサブ設備またはゾーンリンク１０１６、１０１８、および１０２０を含む。示された例においては、より大きな設備は自動車プラントであり、３つの区分けされた操作領域、つまり、自動車プラントのゾーン１、ゾーン２、およびゾーン３が示されている。この領域またはゾーンは、同一または異なる物理的設備または建物に位置してよく、ユーザーは監視されている設備およびサブ設備を一目で知ることができる。
【０２１８】
フロア平面図またはサイトレイアウト１０２２は、選択された設備リンク１０１４またはサブ設備リンク１０１６、１０１８および１０２０に対して表示される。サイトレイアウトは、監視されている物理的設備を示し、それによりユーザーは、回路保護器の相対位置を特定でき、最小限の遅延でアラーム状態に対処するために設備内をナビゲートできる。回路保護器リンク１０２３がサイトレイアウト１０２２に設けられ、リンク１０２３は、ユーザーにより選択されて、サイト平面図１０２２におけるリンク１０２３に対応する回路保護器の電流状態を知ることができる。設備またはサブ設備リンク１０１４、１０１６、１０１８および１０２０を選択することにより、ユーザーは種々の詳細レベルで監視されている電気システムおよび回路保護器を知ることができる。
【０２１９】
アラーム通知領域１０２４は、サイト平面図と回路保護器概要画面に設けられ、ある典型的実施形態においては、マップデータフィールド１０２６、アラーム領域データフィールド１０２８、レシーバー名データフィールド１０３０、アラーム時間データフィールド１０３２、通知送信データフィールド１０３４、およびアラーム確認応答データフィールド１０３６を含み、ユーザーは一目でアラーム状態と関連する情報を見ることができる。マップデータフィールド１０２６は、表示されているサイトレイアウト１０２２にユーザーを導く。アラームデータフィールド１０２８は、関心対象のサブ設備リンクを参照する。レシーバー名データフィールド１０３０は、アラームデータフィールド１０２８内の監視されているまたは影響を受けた電気負荷を参照する。データフィールド１０３２、１０３４、および１０３６はユーザーに、アラーム状態発生、アラームの通知、および指定された要員によるアラームの確認応答の個々の時間をユーザーに通知する。
【０２２０】
回路保護器要約１０３８もまたサイト平面図および回路保護器概要画面に設けられる。回路保護器要約１０３８は、ある典型的実施形態においては表形式で設けられ、例えば、ヒューズ列および状態列を含む。このように、図４３に示される例において、監視されている自動車プラントのゾーン２に連結された１２個のヒューズと、ヒューズ１−４、６−９、１１および１２は閉じていて作動可能であるが、ヒューズ５と１０は開いているとして示されている。要約１０３８においてヒューズの１つを選択することにより、アラームデータフィールド１０３２、１０３４、および１０３６はアラーム要約１０２４において埋められてアラーム状態に関する情報を提供する。
【０２２１】
ゾーンアラーム要約リンク１０４０が設けられ、アラーム要約画面を見るために選択できる。アラーム深刻度データフィールド１０４２は、アラーム状態の深刻度または緊急性をユーザーに迅速に搬送するために提供される。
【０２２２】
図４４は、ユーザーが、例えば、図４３のアラーム要約リンク１０４０を選択することによりアクセスできる回路保護器アラーム管理要約を示すユーザーインタフェースのある例としての実施形態である。
【０２２３】
回路保護器アラーム管理要約画面は、上記と同様に、ナビゲーションバーと、上述した設備ツリー１０１２を含む。ユーザーがツリー１０１２でリンクを選択すると、ツリー１０１２は、ツリーの選択されたリンクに連結された回路保護器を示すために拡張される。
【０２２４】
１つの実施形態においては、ゾーン列１０５２、アラーム列１０５４、時間および日付列１０５６、および事象列１０５８を含む表形式アラーム状態領域１０５０が設けられる。列１０５０、１０５２、１０５４、および１０５６のそれぞれは概要および応答急送システムにより情報で埋められていて、それによりユーザーは迅速にアラーム状態に対処できる。典型的実施形態において、ゾーン列１０５２は、アラーム状態が起きた監視設備の操作ゾーンを示しており、アラーム列１０５４は、アラーム状態の深刻度を示しており、事象列１０５８は、各アラーム状態の簡略説明を含んでいる。ゾーン列１０５８は、ユーザーがアラームの１つをより具体的な詳細を見ることができるために選択できるリンクで埋められている。
【０２２５】
図４５は、例えば、図４４に示されている状態領域１０５０のゾーン列１０５２におけるリンクの１つを選択することによりアクセスできる回路保護器グループ情報を表示するユーザーインタフェースの例としての実施形態である。グループ情報要約領域１０６０が設けられ、グループ名データフィールド１０６２、ゾーンデータフィールド１０６４、回路保護器位置データフィールド１０６６、および部品番号データフィールド１０６８を含む。データフィールド１０６２、１０６４、１０６６、および１０６８は概要および応答急送システムにより埋められ、それによりユーザーは、アラーム状態に関連する回路保護器の正体および位置を迅速に突き止めることができる。
【０２２６】
ヒューズアラーム履歴表１０７０もまた設けられ、ある典型的実施形態においては、ゾーン列１０７２、アラーム列１０７４、時間および日付列１０７６、および事象列を含む。列１０７２、１０７４、１０７６、および１０７８は、概要および応答急送システムにより情報で埋められ、それによりユーザーはアラーム状態を迅速に評価することができる。典型的実施形態においては、ゾーン列１０７２は、アラーム状態が起きた監視設備における関心対象のゾーンに対応する回路保護器を示し、アラーム列１０７４は、アラーム状態の深刻度を示し、事象列１０７８は、各アラーム状態の簡略説明を含む。ゾーン列は、ユーザーが回路保護器の１つに対するより具体的な詳細を見ることができるように選択できるリンクで埋められている。
【０２２７】
図４６は、例えば、図４５に示されているアラーム履歴表１０７０のゾーン列１０７２におけるリンクの１つを選択することによりアクセスできる回路保護器アラーム詳細画面を表示しているユーザーインタフェースの例としての実施形態である。アラーム詳細要約領域１０８０が設けられ、エンティティデータフィールド１０８２、深刻度データフィールド１０８４、発生時データフィールド１０８６、発生内容データフィールド１０８８を含む。エンティティデータフィールドは、対応するアラームに対する回路保護器とその位置を特定し、深刻度データフィールド１０８４はアラームの深刻度を示し、発生時データフィールド１０８６はアラームのタイミングを示し、発生内容データフィールド１０８８はアラームの簡略説明を提供する。
【０２２８】
ヒューズアラーム行動表１０９４もまた設けられ、ある典型的実施形態においては、行動列１０９６、注釈列１０９８、時間および日付列１１００、および行動者列１１０２を含む。列１０９６、１０９８、１１００、および１１０２のそれぞれは概要および応答急送システムにより情報で埋められており、それによりユーザーは、アラーム状態を迅速に評価できる。アラームオプションリンクが設けられ、全アラーム調査リンク１１０４、アラーム確認応答リンク１１０６、アラームクリアリンク１１０８、アラーム注釈追加リンク１１１０、およびアラーム転送リンク１１１２。アラームオプションリンクおよび関連する機能は上述してある。
【０２２９】
図３３−４６に示された、上述したディスプレイと画面は、回路保護器監視および信号送信システムが収容できるだけの多数の回路保護器と共に使用でき、あるシステムにおいては、回路保護器の数は数千にも達する。しかし、ユーザーインタフェースディスプレイおよび画面は、データおよび回路保護器状態詳細の莫大な量を、迅速に所望する情報に集中するための直感的リンクを伴う、使用し易く、グラフィックかつ表形式で提示することができる。ユーザーインタフェースディスプレイは、従来通りに、コンピュータ読み取り可能媒体に埋め込まれ、上述の電気システムに対応する回路保護器情報を管理するための種々の機能および特徴に対応する、コンピュータにより実行されるコードまたは命令セグメントを有するコンピュータプログラムで実現できる。そのような目的のためのソフトウェアプログラミングおよびコードセグメントおよび命令のプロバイダには、例えば、Ｔｅｘａｓ、ＤａｌｌａｓのＳｅｎｓｏｒＬｏｇｉｃおよびＣａｌｉｆｏｒｎｉａ、ＲｅｄｗｏｏｄのＱｕｅｓｔｒａがある。
【０２３０】
追加ディスプレイ、リンク、表、グラフィックス、情報、および特徴に対応する追加のコードのセグメントが、更なる実施形態で提供でき、上述したディスプレイおよび画面において提供される典型的情報のすべてが、本発明のいくつかの実施形態では使用される必要がないことは理解される。ユーザーインタフェースディスプレイは、特別な電気システム、設備管理システム、および異なるタイプの回路保護器の必要性に合わせて変更できる。ユーザーインタフェースディスプレイが、上述したように、ネットワークベースのシステム上で実現されるとき、システムは、複数のユーザーに同時に、メニュー駆動グラフィカルディスプレイおよび情報リンクを介して柔軟に情報を提示し、システムユーザーは、迅速に必要な情報にアクセスして、適切に電気システムを管理し、最小限の遅延でアラーム状態に応答し、研究および解析のために性能データおよび事象履歴にアクセスできる。
【０２３１】
上述したユーザーインタフェースは、過電流保護ヒューズ、従って電気システム内のデータを中心にして説明されているが、ユーザーインタフェースは、回路ブレーカおよびスイッチのような過電流回路保護器システムの他のタイプに対する種々の作動状態および問題を管理および応答するためのデータフィールド、リンク、グラフィック、および表を含むように適合できる。例えば、回路ブレーカシステムにおいて、概要および応答急送システム１１８を採用して、ブレーカの作動状態、ブレーカシステムに対する保守行動、トリップしたブレーカとシステム内におけるその位置、ブレーカがトリップしたときの事象履歴の記録などを監視して検証でき、ユーザーディスプレイはそのような情報をリアルタイムでユーザーに提示し、回路ブレーカおよび電気システムが種々の他のソースから情報を収集する必要がなく迅速に対処できるようにすることができる。
【０２３２】
Ｆ．多機能応答ツール
回路保護器アラーム状態への迅速な応答および注意と、管理システム１１２により特定された問題を調べるための警報および召集を更に容易にするために、１つの実施形態においては、多機能応答ツールが提供される。
【０２３３】
図４７は、回路保護器１０８の作動により影響を受けた回路を迅速に調査および復旧するために概要および応答急送システム１１８と共に使用できる典型的回路保護器応答ツール１１４０の模式図である。１つの例における回路保護器は、電気システム１００のおけるパネル１０４に位置するヒューズ本体１１４４を有するヒューズ１１４２である。ヒューズ１１４２は、端部端子１１４６、１１４８と、その間に延伸して、電気システム１００内の指定した電流状態になるとヒューズ１１４２を介して回路を開き、電気システム１００の一部を隔離する遮断可能電流路を画定する主要ヒューズ素子１１５０を有する。状態素子１１０はヒューズ１１４２に連結され、その作動可能状態を監視し、主要ヒューズ素子１１５０が開くと、状態素子１１０は、上述したように回路保護器に信号を送る。図４７には、１つの回路保護器１０８が示されているが、ツール１１４０を、概要および応答急送システム１１８により監視される複数の回路保護器１０８と連係して使用できることは理解される。
【０２３４】
ツール１１４０は、アラーム状態に応答して召集された保守要員、電気技術者、技術者、およびその他により使用することができる。下記に説明するように、ツール１１４０は、そのような要員が電気システムの障害に効率よく応答するために従来必要であって多様なツールおよび文書を運び、アクセスし、利用するときに直面する困難を軽減する。
【０２３５】
例えば、サービス技術者は従来、何にもまして、彼自身または彼女自身の電気システム内で位置を確定し、システム内の特別な回路保護器および負荷の位置を突き止めるための電気システムの回路図と電力分配設備のサイト平面図と、電気システム内のある場所における電圧および電流の表示値をチェックするための計測ツールと、電気システムの障害に応答するときに、他の技術者と話をし、および／または電気システムの構成部品と通信をするための通信装置を必要としていた。従来は、技術者はそのような装置および文書を障害に応答するときに、他の多様なハンドツールと共に繰り返し操作し、電気システムの窮屈な、あるいは到達するのが難しい領域で操作しなければならないこともしばしばであった。装置およびツールはツールベルトで運ばれたが、繰り返し複数の装置をツールベルトから出して広げ、使用しないときはそれらをツールベルトに戻して固定することは、時間がかかり不便な作業であった。そのような多数のツール、装置、および文書を管理することは、しばしば、首尾よく障害に応答して、回路を正常動作に復旧またはリセットする際の時間の遅延の原因となった。これは特に、１人の技術者が障害に応答するときは実情であった。
【０２３６】
そのような困難を軽減するために、ツール１１４０が設けられ、それにより複雑な電気システム全体におけるナビゲーション、適切な回路のチェックと回路保護器の正体の確認、他の有責関係者への情報の通信、および概要および応答急送システムとの相互作用が容易になる。
【０２３７】
ある典型的実施形態において、ツール１１４０は多機能電子装置であり、小型な保護ハウジング１１５２として提供され、監視されている電気システムの異なる場所を通って、電気システム内に設置された回路保護器の特別なサイトまたは位置へナビゲートするユーザーにより容易に持ち運びされる。ハウジング１１５２は、例えば、ハウジング１１５２を使用しない間、ツールベルトに取り付けるベルトクリップを含んでもよい。ハウジング１１５２は、ある典型的実施形態においては、コントローラ装置１１５４、入力インタフェース１１５６、ディスプレイ装置１１５８、通信装置１１６０、位置決め装置１１６２、スキャナー装置１１６４、デジタルマルチメータ装置１１６６、温度計装置１１６８、エンタテイメント装置１１７０、オーディオ／ビデオ装置１１７２、教育装置１１７４、および撮像装置１１７６を含む多数のサブ装置を取りまとめ、収納し、保護する。ある実施形態におけるリチャージャブルバッテリのような搭載電源１１８０はコントローラ１１５４と、サブ装置１１５６、１１５８、１１６０、１１６２、１１６４、１１６６、１１６８、１１７０、１１７２、１１７４、１１７６、および１１７８に電力を供給する。サブ装置１１５６、１１５８、１１６０、１１６２、１１６４、１１６８、１１７０、１１７２、１１７４、１１７６、および１１７８はハウジング１１５２内に搭載または固定され、それによりサブ装置が単一のツール１１４０に統合され、電気システム内で、作動した回路保護器の故障探求を行い、影響を受けた回路を復旧する作業を行うときに複数の装置を持ち運び操作することを回避できる。
【０２３８】
コントローラ１１５４は、入力を受信し、使用中の種々のサブ装置１１５６、１１５８、１１６０、１１６２、１１６４、１１６６、１１６８、１１７０、１１７２、１１７４、１１７６、および１１７８への出力を生成するマイクロプロセッサまたは等価電子パッケージを有するマイクロコントローラであってよい。
【０２３９】
入力インタフェース１１５６によりユーザーは、ツール１１４０を使用するときのツールの動作モードおよびユーザーの好みまたはオプションを選択し、サブ装置１１５６、１１５８、１１６０、１１６２、１１６４、１１６８、１１７０、１１７２、１１７４、１１７６、および１１７８の機能間での切替えが可能になる。インタフェース１１５６は、英数字キーボードを含んでもよく、最小限のキーストローク数で使用できるように最適化される。例えば、インタフェース１１５６は仮想キーボードまたはペンベースの入力システム、実質的に親指で使用できるキーボード装置、または手持ちパーソナルデジタルアシスタント（ＰＤＡ：携帯情報端末）、パーソナル情報管理（ＰＩＭ：個人情報マネージャ）、および他の電子オーガナイザに共通の等価インタフェースであってよい。
【０２４０】
ディスプレイ装置１１５８は、例えば、ドットマトリックス液晶ディスプレイ（ＬＣＤ）、タッチ感応ディスプレイ、または情報をユーザーに提示する他の等価ディスプレイであってよい。ディスプレイは、既知の方法でユーザーに、グラフィックス、テキスト、リンク、および他のインディシアおよび情報を提示する。インタフェース１１５６とディスプレイ装置１１５８を使用して、ユーザーはツール１１４０の動作モードを選択し、データを入力し、ツール１１４０のユーザーの好み、オプション、および機能を選択できる。
【０２４１】
通信装置１１６０は、例えば、概要および応答急送システム１１８との音声またはテキストメッセージ通信を提供する携帯電話または２方向ページャー装置であってよい。ツール１１４０は、概要および応答急送システム１１８からの自動化された警報および招集／アラーム通知を受信する指定コンタクトであってよい。このように、召集／アラーム通知が通信装置１１６０により受信されると、電気システムにおける回路保護器に対応する位置データのような回路保護器情報と、回路保護器に対応する識別情報が、ディスプレイ装置１１５８上でユーザーに具体的に提示されてもよい。
【０２４２】
ツール１１４０はウェブブラウザ１１７２を含み、それにより、通知がツール１１４０において受信されたときに、ユーザーは概要および応答急送システムにログオンして、上述のユーザーインタフェースにおけるサイト平面図のようなアラーム詳細および他の情報を調べて、通知に迅速に応答することができる。通信装置１１６０はまた、装置のユーザーと、他のサイトの技術者のような他の人間との間の通信、設備管理、または回路保護器製造者の技術サポートを促進する。
【０２４３】
更なる、および／または代替実施形態においては、通信装置１１６０はブルートゥース装置または、既知の互換規格および技術に従って、近くの装置およびシステムと自動的に通信するその等価物を含んでよい。そのような実施形態においては、通信装置１１６０は、ツール１１４０が電気システム内で移動されるときに、自動的に近くの回路保護器、電気製品、および等価物に変調信号を使用して接続し、通信装置は自動的に関連データを要求して受信し、そのようなデータを概要および応答急送システム１１８に送信できる。
【０２４４】
測位装置１１６２は、ユーザーを電気システム内の特別なサイトに導き、電気システム内の回路保護器１０８の正確な場所を正確に示し、同時に、ツール１１４０を操作するときに電気システム内のユーザーの相対位置を正確に示す全地球測位モジュールであってよい。関心対象の回路保護器の位置および関心対象の回路保護器に対しての応答者の位置は監視され、概要および応答急送システム１１８により表示されて、通信装置１１６０およびディスプレイ装置１１５８を介してユーザーによりアクセスできる。代替実施形態においては、他の測位および位置決め技術を使用でき、電気システム内のユーザーの位置を感知し、ユーザーにフィードバックを提供して、概要および応答急送システム１１８により特定された回路保護器の位置を迅速に突き止める支援ができる。
【０２４５】
スキャナー装置１１６４を、概要および応答急送システム１１８のためにデータおよび情報の収集および確認のために設けてもよい。例えば、スキャナー装置１１６４は、概要および応答急送システムへのアップロードのために、または電気システム内で作業するときにユーザーによる電子的アクセスのために文書を走査、読み込み、および処理できる文書走査装置であってよい。走査された文書には、手順マニュアル資料、サイト平面図情報、回路保護器情報、電気システムおよびその作動負荷に関する情報、従業員接触情報、カレンダー情報、または他の関心対象の事項であってよい。
【０２４６】
更なる、および／または代替実施形態において、スキャナー装置は、バーコードスキャナー、ＲＦＩＤスキャナー、または、バーコードラベル、ＲＦＩＤタグ、または回路保護器に連結された他の情報素子１１６５と協働するその等価物であってよい。この情報素子は、製造者から提供される回路保護器シリアル番号のような回路保護器情報、回路保護器の装置型コード、回路保護器の位置およびアドレスコード、状態素子の電力／制御コード、回路保護器に連結された電気システム負荷の機器識別コード、およびテストコード、故障コード、および回路保護器および／または状態素子に連結された回路の作動状態に関するコードのような状態パラメータを含んでよい。そのような実施形態において、スキャナー装置１１６４は、回路保護器１０８がいったん電気システム内に位置すればそれを走査するのに使用でき、ツール１１４０および／または概要および応答急送システム１１８は、回路保護器１０８が適切に特定されたかを確認する。スキャナー装置１１６４は、同様に情報素子１１６５を、既存の機器が例えば、回路保護器情報を有するバーコードラベルなどを含んでいる場合は、概要および応答急送システム１１８または連結されたゲートウェイ装置５８４への情報入力として走査するのに使用できる。
【０２４７】
マルチメータ装置１１６６は、回路保護器１０８と電気システム１００にサービス、故障探求、および保守を適用するために一般的に必要な多数のパラメータを測定するように適合されている。パラメータは、ＡＣ電圧および電流、ＤＣ電圧および電流、および抵抗または導通を含んでよい。周波数、容量、温度などの他のパラメータは、特別な適用の条件に合うように容易に追加できる。
【０２４８】
１つの実施形態においては、マルチメータ装置１１６６は、既知の抵抗を有し、例えば、リードまたはテストチューブＬ1およびＬ2を有する回路保護器１０８の電流路に挿入された内部電流分路を含む汎用多目的マルチメータ装置であってよい。電流分路の両端における電圧降下を測定して電流を決定してもよい。また、マルチメータ装置１１６６は、ヒューズを介する電流搬送路を切断あるいは破断する必要がなく、電流路における電流を感知する統合電流クランプ回路を採用したクランプオンマルチメータであってよい。電流クランプ回路は、回路保護器１０８、または回路保護器１０８に接続されたワイヤまたはバスバーのような導体の周りでは閉じていて、電流の流れにより生成された磁場を感知できる。電流クランプ回路は、測定された電流レベルを算出して表示するマルチメータ装置１１６６による測定のための電圧信号を提供できる。マルチメータ装置は、ユーザーへの表示のために、適切な測定レンジを自動的に選択するように構成あるいは適合できる。
【０２４９】
マルチメータの機能を促進するために、入力インタフェース１１５６は、セレクタ、ボタン、キーまたはパッド、および利用可能な機能を選択して実行するための入力端子を含む。例えば、入力インタフェース１１５６は、異なる電流測定レンジのための入力セレクタ、およびＡＣおよびＤＣ電圧測定のために入力セレクタを含んでよい。電圧測定入力および共通入力に加えて、電流測定用の２つの入力コネクタを設けてもよい。キー機能が変更されると新しい刻印が表示される場合は、「ソフトキー」およびディスプレイ装置１１５８上の刻印を変更することにより必要なボタン数を削減できる。
【０２５０】
温度計１１６８は既知の温度感知装置であり、リードまたはテストチューブＬ1およびＬ2を使用して、回路保護器１０８の作動温度を感知し、その作動状態を評価するために使用できる。
【０２５１】
エンタテイメント装置１１７０は、例えば、圧縮されたオーディオおよび／またはビデオストリームを処理するように適合されており、既知の方法で、ユーザーが音楽を聴いたり、ビデオを見たり、ゲームをしたり、ニュースおよびスポーツの最新情報をチェックしたりすることが可能になる。エンタテインメントメディアは、装置１１７０にダウンロードするか、プラグインカードまたはディスクにより提供されてよい。
【０２５２】
オーディオ／ビデオ装置１１７２は、オーディオ、静止画像、および／またはビデオを既知の方法で記録するように適合できる。そのような目的のためのカメラ技術および記録装置は既知であり、モジュール１１７２内で実現できる。記録されたオーディオ、静止画像、およびビデオは、監視の目的で、または、アラーム状態が修正された後に診断および評価の目的のために、遠隔地のユーザー、設備管理者などによりアクセスできるように、遠隔操作急送システム１１８に通信できる。
【０２５３】
教育装置１１７４を、例えば、訓練の目的のために設けてもよく、技術者が、感知および監視構成部品、信号送信構成部品、概要および応答急送システム１１８、およびシステム構成部品の種々のエラー状態を設置、故障探求、またはそれに応答するときの、手順マニュアル、システムマニュアル、オーディオおよびビジュアルな教育およびデモ用資料、およびヘルプ機能を含んでよい。教育装置１１７４用のメディアは、装置１１７４にダウンロードしてもよく、またはプラグインカードまたはディスクで供給してもよく、メディアは特別な電気システムおよび要員用にカスタマイズできる。教育装置１１７４を使用して、経験に差がある種々のユーザーを適切な設置および接続手順、診断手順、および応答手段に導くことができ、教育装置１１７４は応答ツール１１４０に対してローカルなため、情報は概要および応答急送システム１１８への接続を必要とすることなくオフラインでもアクセスできる。従って、ユーザーは、必要な作業を完了するために、作動システム１１８へのアクセスに依存しない。
【０２５４】
撮像装置１１７６は、例えば、既知の方法で電気システムの検査のための熱的撮像を提供するように適合されている。赤外線技術およびその等価物も使用でき、例えば、温度プロフィールおよびデータの作成ができ、要員が概要および応答急送システム１１８からの警報通知に応答して現場に到着したときに、迅速に回路の作動状態を評価して問題領域を特定するために有用であり得る。
【０２５５】
アナライザ装置１１７８を設けて、ユーザーがアラーム状態または電気システムおよび回路保護器の作動パラメータを更に評価するためにアクセスできるようにしてもよい。アナライザ装置は、例えば、既知の方法で作動可能な、既知のスペクトルアナライザ装置であってよい。
【０２５６】
応答ツール１１４０の異なる機能に適合された、多様なサブ装置１１５６、１１５８、１１６０、１１６２、１１６４、１１６６、１１６８、１１７０、１１７２、１１７４、１１７６、および１１７８を記述したが、いくつかの実施形態においては、すべてのサブ装置が含まれる必要があるわけではないことは理解される。そうではなく、サブ装置は、特別なユーザーのために所望の組み合わせで提供できる。追加の機能およびサブ装置は、更なる、および／または代替実施形態において同様に含むことができる。
【０２５７】
図４８は、図４７に示されたツールを使用しての、回路保護器警報に応答する方法１２００の典型的フローチャートである。方法１２００により、回路保護器が作動して電気システムにおける一部分を電気システムの別の部分から隔離した場合に、電気システムにおいて影響を受けた回路の効率のよい再作動が可能になる。
【０２５８】
本方法は、電気システムにおいて関心対象の個々の回路保護器に近接して状態素子を提供すること（ステップ１２０２）と、上記に説明したように、状態素子に応答して電子管理システムを提供すること（ステップ１２０４）と、多機能手持ち応答ツールを提供する（ステップ１２０６）ことを含む。状態素子が設置され、管理システムが作動すると、回路保護器の作動状態は、上記の状態素子および監視技術のいずれかを使用して監視および感知される（ステップ１２０８）。回路保護器の１つが作動して電気システムの一部分を隔離すると、回路保護器の感知された状態に基づいて、データ信号が、状態素子の少なくとも１つから遠隔地へ、上記のいずれかの方法で送信される（ステップ１２１０）。データ信号は、作動した回路保護器の位置を特定するために、少なくとも識別コード、およびアドレスコードを含む。
【０２５９】
送信された信号に応答して、管理システムは、作動した回路保護器と、作動した回路保護器の位置の有責要員への警報および召集を生成する（ステップ１２１１）。警報および召集は、警報に応答することに責任のあるユーザーにより持ち運ばれる手持ちの多機能応答ツールにより受信される（ステップ１２１２）。ユーザーは警報と招集に確認応答する（ステップ１２１４）。必要であれば、ユーザーは警報を応答のために別の関係者に転送してもよい（ステップ１２１５）。
【０２６０】
いったんメッセージが受信される（ステップ１２１２）と、警報に関連する回路保護器の正体と位置が、ツールのディスプレイを介してユーザーに表示され、ユーザーは、電気システムにおける回路保護器を見つけることを開始し（ステップ１２１６）、その物理的位置に移動するか、またはツールを使用して概要および応答急送システムにログオンして（ステップ１２１７）、関心対象の回路保護器の詳細と情報を得ることを開始できる。いったんログオンすると、ユーザーは、上述したアラーム要約ディスプレイ、アラーム詳細ディスプレイ、およびアラームオプションディスプレイを含むアラーム状態情報を得て、調べることができる。ユーザーには追加的に、回路保護器の位置における潜在的危険に関する特別な情報を提示し、作動した回路保護器に応答するときに守らなければならない事前の注意と、利用しなければならない個人保護機器に関する特別情報を与えることができる。または、そのような情報は、ツールで受信した初期メッセージで提供してもよい。
【０２６１】
ツールの測位装置が使用されて電気システム内の回路保護器を見つけ、その位置を突き止め、その物理的位置へ到達することができ、また地図、サイト平面図、および情報を概要および応答急送システム１１８から得て、回路保護器を見つける支援とすることができる。いったん見出されると、回路保護器の正体が、ツールのスキャナー装置、または概要および応答急送システムから得られた情報を使用して確認できる（ステップ１２１８）。
【０２６２】
回路保護器の正体を見出し、および／または確認した後、その作動状態が、ツールのマルチメータ機能、ツール温度計１１６８、撮像装置１１７６、またはスペクトルアナライザ装置１１７８を使用してチェックし（ステップ１２２０）、回路保護器の作動状態を検証または確認する（ステップ１２２２）。この後、ユーザーは、アラーム状態を修正または修復し、回路保護器を交換し、または回路をその正常な作動状態に復旧できる（ステップ１２２６）。
【０２６３】
ツール１１４０と方法１２００を使用すれば、ユーザーは、回路保護器設置サイトへ持って行き、受信した警報あるいはアラーム状態を調べるための複数の装置と文書を集める必要はない。ユーザーは、アラーム状態または警報を効率よく修正するために必要な情報への、最大限の便利さと即時のアクセスにより、単に手元の作業を完了するようにするだけでよい。異なるユーザー、オペレータ、または応答者により複数のアラーム状態に同時に応答する方法１２００を実行するために複数のツール１１４０を設けることができる。
【０２６４】
Ｇ．システム適合
上述のシステムおよび処理は、ここで記述された特別な実施形態に限定されない。各システムの構成部品および各処理は、ここで記述された他の構成部品および処理とは独立かつ分離して実践できる。各構成部品と処理はまた、他の構成部品、システムおよび処理と組み合わせて使用することもできる。
【０２６５】
例えば、上記の回路保護器監視および管理システム１１２は、その全体またはその一部において、特別な電気システム１００の要求、またはコスト管理の理由による要求を満たすように実現できる。即ち、管理システム１１２は、上記の構成部品すべてを含まなくてもよく、上述した機能すべてを実行しなくてもよい。つまり、管理システム１１２は、例えば、回路保護器の作動状態または状況を、回路保護器の作動のリアルタイムのディスプレイのために遠隔装置に通信することなく、回路保護器の作動および性能を感知および記録するように構成または適合してもよい。そのような実施形態においては、回路保護器を電気システムから除去することができ、情報は、他の場所の回路保護器から読み取ることができ、または、上述した応答ツールのようなリーダー、トランスポンダ、または通信装置を回路保護器の位置に持ってきてそこから情報を得ることもできる。
【０２６６】
別の例として、管理システム１１２は、作動状態および回路保護器と回路に関するデータを特定および決定して、データを概要および応答急送システム１１８に通信および送信し、しかし、在庫管理システムとは通信しないこともできる。更に、管理システム１１２は、上述した管理の診断および故障探求の面を実行可能にすることなく、回路保護器の開いた事象に警報を発し、応答を急送するように実現することができる。同様に、ツールは、コスト管理の理由に応じて種々の機能レベルで設けることができ、ある設置および実施形態においては完全に省略することもできる。本発明の恩恵を得る種々のシステムを、種々のレベルで生成するために、システム構成部品を混合して整合してもよいことは、ここで明白となったであろう。
【０２６７】
遮断可能電流路を介して指定した電流状態が発生したときにそこを介する遮断可能電流路を画定する少なくとも１つの回路保護器と、回路保護器に連結され、電流路の作動状態を監視するように適合されている状態素子と、状態素子と通信状態にある電子管理システムであって、回路保護器が作動して電流路を開いたときに、有責要員に自動的に警報を発し、召集して作動した回路保護器の位置を特定するように適合されている管理システムを含む回路保護器システムの１つの実施形態がここで記述される。
【０２６８】
随意に、状態素子はワイヤレスで管理システムと通信し、状態素子を、ＲＦＩＤチップ、送信機、スマートカード、機械的アクチュエータ、および光学的起動指示回路のグループから選択してもよい。状態素子は、回路保護器の外部の位置にある回路保護器の端子素子に機械的および電気的に接続された監視モジュールを含んでもよく、モジュールは回路保護器に後付け設置するように適合されている。状態素子は、回路保護器の作動に関するデータおよび情報を収集でき、それにより電気システムの診断評価および故障探求が促進される。
【０２６９】
管理システムは随意に遠隔装置により要員に警報を発し、召集するように適合されてもよく、遠隔装置は、コンピュータ、ページャー、ディスパッチャ、携帯電話、ファクシミリ装置、応答ツール、手持ち電子装置、およびそれらの組み合わせを含むグループから選択されている。通信リンクは随意に状態素子と管理システムのインタフェースを取ってもよく、通信リンクは、ハードワイヤ通信リンク、光学通信リンク、ネットワーク通信リンク、ワイヤレス通信リンク、衛星通信リンク、電力線周波数キャリア、およびその組み合わせを含むグループから選択できる。
【０２７０】
状態素子は、ポーリング法、電流監視、電圧監視、温度感知、振動および変位感知、機械的応力およびひずみ感知、音響放射感知、ノイズ感知、熱映像およびサーマログラフィ、電気抵抗感知、圧力感知、湿度感知、およびビデオ監視の少なくとも１つ介して回路保護器の作動を特定するように随意に適合される。管理システムは、電子的光学的に少なくとも１つ遠隔システムと通信し、この少なくとも１つの遠隔システムは、在庫が使用されたときに枯渇した回路保護器在庫を補充する回路保護器在庫管理システム、コンピュータ化保守管理システム、監視制御およびデータ取得システム、製品制御および自動化システム、事業資源計画システム、電子データ交換システム、製造資源計画システム、および供給チェーン管理システムのグループから選択される。少なくとも１つのルーター／中継器素子は随意に、監視モジュールからのＲＦ信号を受信し、ルーター／中継器素子はＲＦ信号を、ＲＦ信号を処理して信号を、ＲＦ信号のプロトコルとは異なる所定のメッセージプロトコルに変換するインテリジェントゲートウェイ装置に転送する。
【０２７１】
管理システムはデータメッセージに応答でき、データメッセージは、固有無線識別子、状態素子の製造者シリアル番号、回路保護器の装置型コード、回路保護器の位置とアドレス、電力／制御コード、機器識別コード、テストコード、故障コード、顧客コード、温度コード、振動コード、変位コード、機械的応力コード、機械的ひずみコード、音響放射コード、熱映像コード、電気抵抗コード、圧力コード、湿度コード、およびビデオコードを含むグループから選択された複数ビットを随意に含む。管理システムは随意に状態素子の監視モードを特定するように適合でき、監視モードは、登録状態、発見状態、起動状態、中断状態、非起動状態、およびオフライン状態を含むグループから選択される。
多機能応答ツールを随意に設けて、管理システムと通信してもよい。ツールは、通信装置、測位装置、スキャナー装置、マルチメータ装置、および温度計装置のグループから選択される複数の装置を含んでよい。管理システムは、回路保護器の位置における潜在的危険、および作動した回路保護器に応答するときに利用すべき注意に関する情報を搬送するように適合できる。
【０２７２】
別の実施形態において、回路保護器システムは、複数の過電流回路保護器を含み、過電流回路保護器のそれぞれは、遮断可能電流路を介して指定した電流状態が発生したときにそこを介する遮断可能電流路を画定する。回路保護器のそれぞれに連結された状態素子、および状態素子のそれぞれは、それぞれの電流路の作動状態を監視するように適合され、状態素子の少なくとも１つは、回路保護器が作動して１つまたは２つ以上の電流路が遮断されたときにデータ信号を送信するように適合される。ゲートウェイ装置は、少なくとも１つの状態素子からのデータ信号を受信するように適合され、電子管理システムはゲートウェイ装置と通信状態にあり、管理システムは、回路保護器が作動して回路の経路を開いたときに、有責要員に警報を発し、召集をかけ、作動した回路保護器の位置を特定するように適合される。
【０２７３】
随意に、電子管理システムは、回路保護器の作動に応答して特別手順を開始するように適合される。状態素子は、回路保護器の外部の位置にある回路保護器の端子素子に機械的および電気的に接続された監視モジュールを含み、モジュールは無線周波数（ＲＦ）送信機を含んでよい。監視モジュールは、電流路が遮断されたときに回路保護器の両端にかかる電圧変化を検出する電圧センサを含んでよく、電圧変化によりゲートウェイ装置へのデータ信号の送信がトリガーされる。管理システムは、ｅメール通知、ファックス通知、ページャー通知、ウェブページ通知、および音声通知の少なくとも１つを介して要員に警報を発し、召集するように適合できる。
【０２７４】
別の実施形態においては、回路保護器システムは、複数の過電流保護ヒューズを含み、過電流保護ヒューズのそれぞれは、第１および第２端子素子に延伸する主要ヒューズ素子を有し、主要ヒューズ素子は、主要ヒューズ素子を介して指定した電流状態が発生したときにそこを介する遮断可能電流路を画定する。状態素子は、回路保護器のそれぞれに連結されており、状態素子は、個々のヒューズの第１および第２端子素子の両端にかかる電圧差を感知するように適合された監視モジュールを含む。少なくとも１つの通信モジュールは、低電力無線周波数（ＲＦ）送信機を含み、通信モジュールは、第１および第２端子素子の両端にかかる電圧降下が感知されると、ＲＦデータ信号を生成するように適合されている。複数の無線中継器／ルーター素子は、状態素子のいずれからのＲＦデータ信号を、中継器／ルーター素子を介して転送されたデータ信号を受信するように適合されたインテリジェントゲートウェイ装置に転送するように適合されている。概要および応答急送システムがゲートウェイ装置と通信状態にあり、概要および応答急送システムは、１つまたは２つ以上のヒューズの有責要員に警報を発し、召集し、影響を受けた回路を効率よく再作動するために作動したヒューズの位置を特定するように適合されている。
【０２７５】
随意に、データ信号は、デジタル無線周波数を含む。管理システムは、有責要員への警報の確認応答を待ち、確認応答が所定時間内に受信されないときは、作動したヒューズの有責要員に警報を再度発し、再召集して作動したヒューズの位置を特定する。電子管理システムもまた、回路保護器の作動に応答して、補助電力の起動、機器の遮断、および解析のための回路データの保存のグループから選択された特別手順を開始するように適合してもよい。
【０２７６】
別の実施形態においては、回路保護器が作動して電気システムの一部分を、電気システムの他の部分から隔離したときに、電気システムにおける影響を受けた回路を効率よく再作動する方法である。この方法は、個々の回路保護器に近接して状態素子と、状態素子に応答する電子管理システムを提供することと、状態素子を使用して、電気システムに設置されたときの回路保護器の状態を感知することと、回路保護器の感知された状態に基づいて、回路保護器の１つが作動して電気システムの一部を隔離したときに、データ信号を状態素子の少なくとも１つから遠隔位置に通信することを含む。データ信号は、作動した回路保護器の位置を特定するために、少なくとも識別コードとアドレスコードを含む。随意に、方法は更に、作動したヒューズが交換されたときにヒューズ在庫を補充するために、電子管理システムから交換注文を生成することを含む。
【０２７７】
別の実施形態において、回路保護器システムは、電気システムにおける複数の回路保護器の作動状態を感知する手段と、１つまたは２つ以上の回路保護器の感知された作動に対応するデータ信号を通信し、それにより、電気システムの少なくとも一部分を電気システムの他の部分から隔離する手段と、１つまたは２つ以上の回路保護器の感知された作動に対応するデータ信号を受信する手段と、人間の介在なしに、回路の効率的な再作動を可能にするために、作動した回路保護器の型と位置について、有責要員への警報および召集を生成する手段を含む。随意に、通信する手段は、低電力ワイヤレス信号を送信する手段を含む。
【０２７８】
回路保護器監視アセンブリのある実施形態をここで記述する。このアセンブリは、遮断可能電流路を介して指定した電流状態が発生したときにそこを介する遮断可能電流路を画定する少なくとも１つの過電流回路保護器を含み、状態素子が回路保護器に連結され、電流路の作動状態に関する情報を通信するように適合され、この情報は、少なくとも状態素子識別子と位置識別子を備える。
【０２７９】
随意に、状態素子はこの情報を管理システムにワイヤレスで通信するように適合してもよい。状態素子は、ＲＦＩＤチップ、送信機、スマートカード、機械的アクチュエータ、および光学的起動指示回路を含んでよい。状態素子は回路保護器に対して内部にあり、回路保護器の作動に関してのデータを収集し、そのデータを管理システムに通信するように適合してもよい。通信リンクは、状態素子と遠隔管理システムのインタフェースを取り、通信リンクは、ハードワイヤ通信リンク、光学通信リンク、ネットワーク通信リンク、ワイヤレス通信リンク、衛星通信リンク、電力線周波数キャリアおよびその組み合わせのグループから選択してもよい。
【０２８０】
随意に、状態素子は、ポーリング法、電流監視、電圧監視、温度感知、振動および変位感知、機械的応力およびひずみ感知、音響放射感知、ノイズ感知、熱映像およびサーマログラフィ、電気抵抗感知、圧力感知、湿度感知、およびビデオ監視の少なくとも１つ介して、回路保護器の作動を特定するように適合してもよい。状態素子は、回路保護器の外部の位置にある回路保護器の端子素子に機械的および電気的に接続された監視モジュールを含んでもよく、モジュールは、回路保護器への後付け設置用に適合され、監視モジュールは無線周波数（ＲＦ）送信機を含んでもよい。回路保護器はヒューズを含んでもよく、状態素子は、ヒューズの作動に関連するデータを送信してもよく、データは、固有無線識別子、状態素子の製造者シリアル番号、回路保護器の装置型コード、回路保護器の位置とアドレス、電力／制御コード、機器識別コード、テストコード、故障コード、顧客コード、温度コード、振動コード、変位コード、機械的応力コード、機械的ひずみコード、音響放射コード、ノイズコード、熱映像コード、電気抵抗コード、圧力コード、湿度コード、およびビデオコードを備えるグループから選択された複数のデータビットを備える。
【０２８１】
回路保護器システムに対する監視アセンブリのある実施形態もまた記述される。このアセンブリは複数の過電流回路保護器であって、過電流回路保護器のそれぞれは、遮断可能電流路を介して指定した電流状態が発生したときにそこを介する遮断可能電流路を画定する過電流回路保護器と、回路保護器のそれぞれに連結されたモジュラー状態素子であって、状態素子のそれぞれは、個々の電流路の作動状態を監視するように適合された状態素子と、少なくとも１つのモジュラー状態素子と通信する送信機であって、電子管理システムによる、作動した回路保護器と作動した回路保護器の位置特定のために、遠隔位置にワイヤレスデータ信号を送信する送信機を含む。
【０２８２】
随意に、送信機はデジタル無線周波数信号を生成するように適合される。モジュラー状態素子は、回路保護器の外部の位置にある回路保護器の端子素子に機械的および電気的に接続された監視モジュールを含んでもよく、モジュラーは、回路保護器へのスナップオン設置に適合されている。モジュラー状態素子は、電流路が遮断されたときに回路保護器の両端にかかる電圧の変化を検出する電圧センサを含んでもよく、この電圧変化により、ワイヤレスデータ信号の送信がトリガーされる。送信機は、モジュラー状態素子の少なくとも１つと相互接続された通信モジュールに設けてもよく、通信モジュールは他のモジュラー状態素子に電力を供給してもよい。
【０２８３】
ヒューズ監視アセンブリのある実施形態が記述され、このアセンブリは、第１および第２端子素子の間に延伸する主要ヒューズ素子を有する過電流保護ヒューズであって、主要ヒューズ素子は、主要ヒューズ素子を介して指定した電流状態が発生したときにそこを介する遮断可能電流路を画定するような過電流保護ヒューズと、ヒューズの作動に応答する監視モジュールを含み、監視モジュールは、ハウジング、ハウジングを回路保護器の外部表面に取り付けるように適合された搭載素子と、回路保護器のそれぞれの第１および第２端子素子に延伸する第１および第２導電性アームを備え、送信機は、監視モジュールに接続され、作動した回路保護器と、作動した回路保護器の位置特定のために、データ信号を遠隔位置に送信する。
【０２８４】
随意に、ハウジングは、導電性アームに接続された電圧センサを備え、送信機は、低電力無線周波数（ＲＦ）送信機を備える。データ信号はデジタル無線周波数信号であってよく、搭載素子は、搭載クリップを備えてよく、搭載クリップは、スナップフィット係合によりヒューズの外部表面を係合する。信号ポートはハウジングの表面に露出してもよく、モジュールを送信機に接続するためのインタフェースプラグを設けてもよい。
【０２８５】
電気システムにおける回路保護器の作動の監視方法を記述する。回路保護器は、導体回路経路を遮断して、電気システムの一部分を、電気システムの他の部分から隔離するように作動可能である。この方法は、関心対象の個々の回路保護器に近接する状態素子と、状態素子に応答する送信機を設け、回路保護器の１つが作動して、電気システムの一部分を隔離したときに、遠隔位置へのデータ信号であって、データ信号は、状態素子の製造者シリアル番号、回路保護器の装置型コード、回路保護器の位置とアドレスコード、電力／制御コード、機器識別コード、テストコード、故障コード、顧客コード、温度コード、振動コード、変位コード、機械的応力コード、機械的ひずみコード、音響放射コード、ノイズコード、熱映像コード、電気抵抗コード、圧力コード、湿度コード、およびビデオコードを備えるグループから選択された複数のデータビットを備えるデータ信号を生成することと、状態素子を使用して、電気システムに設置されたときに回路保護器の作動状態を感知することと、回路保護器の感知された状態に基づいて、データ信号を遠隔位置に送信することを含む。
【０２８６】
回路保護器監視アセンブリもまた記述される。このアセンブリは、電気システムにおける複数の回路保護器の作動状態を感知する手段と、感知手段を、電気システムを修正することなく回路保護器に取り付ける手段と、１つまたは２つ以上の回路保護器の感知された作動に対応するデータ信号であって、電気システムにおいて、作動したヒューズの位置を特定するデータ信号を送信する手段を含む。
【０２８７】
ヒューズ本体と、本体に接続された第１および第２端子素子を有するヒューズに対するヒューズ状態監視キットもまた記述される。このキットは、ハウジングと、ハウジング内のセンサと、ヒューズ本体の外部表面を係合し、ハウジングを本体に固定するようにサイズ調整された搭載素子と、ハウジングへ取り付け可能は第１および第２接触アームであって、ハウジングから第１および第２端子素子に延伸するようにサイズ調整され、第１および第２接触アームはセンサに接続されているアームを含む。
【０２８８】
随意に、信号ポートはセンサに接続され、キットは、信号ポートと噛み合わさるように適合されたインタフェースプラグを更に備える。電源を設けてもよく、電源は、バッテリ、電力収穫装置、エネルギー格納素子、バックアップ電源、補助電源、または監視されている電気システムの回路のグループから選択することができる。接触アームは、多様な異なるヒューズをフィットするように調整可能であってよく、監視素子は、多様な異なるヒューズをフィットするように調整可能である。ハウジングは、複数のヒューズを監視するために複数のセンサを含んでよい。第３および第４接触アームはハウジングに取り付け可能であってよく、第１および第２接触アームは、ヒューズをハウジングと並べて機械的および電気的に係合するためにハウジングに対して回転可能であってよい。リムーバブルバッテリアクセスドアをハウジングに取り付けてもよい。
【０２８９】
遮断可能電流路を介して指定した電流状態が発生したときにそこを介する遮断可能電流路を画定する少なくとも１つの過電流回路保護器と、回路保護器に連結され、回路経路の作動状態を監視するように適合された状態素子用の回路保護器信号送信システムのある実施形態がここで記述される。信号送信システムは、状態素子と通信状態にあり、状態素子から、電流経路の作動状態に対応するデータ信号を受信するように適合された電子ゲートウェイ装置を含み、ここでデータ信号は、固有無線識別子、状態素子の製造者シリアル番号、回路保護器の装置型コード、回路保護器の位置またはアドレスコード、電力／制御コード、機器識別コード、テストコード、故障コード、顧客コード、温度コード、振動コード、変位コード、機械的応力コード、機械的ひずみコード、音響放射コード、ノイズコード、熱映像コード、電気抵抗コード、圧力コード、湿度コード、およびビデオコードを備えるグループから選択された複数のデータビットを備える。
【０２９０】
随意に、システムは更に、電子ゲートウェイ装置と通信状態にある電子概要および応答急送システムを含み、応答急送システムはゲートウェイ装置に応答して、回路保護器が作動して回路経路を開いたときに、自動的に有責要員に警報を発し、召集して、作動した回路保護器の位置を特定する。少なくとも１つの中継器／ルーター素子を、状態素子からの信号を受信するように適合してもよく、中継器／ルーター素子はデータ信号を状態素子からゲートウェイ装置に転送するように適合される。中継器／ルーター素子は、ワイヤレスでゲートウェイと通信してよく、中継器／ルーター素子から第１メッセージプロトコルを受信し、第１メッセージプロトコルを、第１メッセージプロトコルとは異なる第２メッセージプロトコルに変換するように適合してよい。中継器／ルーター素子は、状態素子からの無線周波数データ信号を受信し、その無線周波数データ信号をゲートウェイ装置に転送するように適合してもよい。
【０２９１】
システムは随意に、状態素子とゲートウェイ装置のインタフェースを取る通信リンクを含んでもよく、通信リンクは、ハードワイヤ通信リンク、光学通信リンク、ネットワーク通信リンク、ワイヤレス通信リンク、衛星通信リンク、電力線周波数キャリアおよびその組み合わせを備えるグループから選択される。電子ゲートウェイ装置は、入信データ信号をフィルタ処理し、状態素子から繰り返しまたは重複信号送信を破棄するように適合してもよく、また、状態素子の監視モードを特定するように適合してもよく、ここで監視素子は、登録状態、発見状態、起動状態、中断状態、非起動状態、およびオフライン状態を備えるグループから選択される。
【０２９２】
複数の中継器／ルーター素子を、中継器／ルーター素子のメッシュネットワークに設けてもよく、ネットワークは、信号送信をゲートウェイ装置に転送するための複数の信号経路を含む。電子ゲートウェイ装置は、中継器／ルーター素子の適切な作動を確実なものにするための構成および監視アルゴリズムを実行するように適合してよい。電子ゲートウェイ装置は、中継器／ルーター素子をシステムに追加またはシステムから削減する管理をインテリジェントな方法でするように適合してよい。信号は、ヒューズの作動に関連するデータを含んでよく、データはヒューズの固有識別コードと、ヒューズの位置コードを備える。メッシュネットワークは、自動ルーティングおよび再ルーティング機能を有する自己構成型および自己治癒型であってよい。
【０２９３】
複数の過電流回路保護器に対する信号送信システムのある実施形態もまた記述され、過電流回路保護器のそれぞれは、遮断可能電流路を介して指定した電流状態が発生したときにそこを介する遮断可能電流路を画定し、状態素子は、回路保護器のそれぞれに連結され、状態素子のそれぞれは、個々の回路経路の作動状態を監視するように適合され、回路保護器が作動して電流路の１つまたは２つ以上が遮断されたときに、状態素子の少なくとも１つはデータ信号を送信するように適合される。信号送信システムは、状態素子の少なくとも１つの信号送信範囲内に位置する複数の中継器／ルーター素子と、状態素子の少なくとも１つからのデータ信号を受信するように適合されたゲートウェイ装置を含み、中継器／ルーター素子は、少なくとも１つの状態素子からの信号を受信し、データをゲートウェイ装置へ、少なくとも固有回路保護器識別子と作動した回路保護器の位置識別子を備える第１メッセージプロトコルで転送するように適合される。
【０２９４】
随意に、中継器／ルーター素子はゲートウェイ装置とワイヤレスで通信し、データ信号は、デジタル無線周波数信号を備える。電子ゲートウェイ装置は、認証、検証、またはセキュリティアルゴリズムを実行するように適合されてよく、中継器／ルーター素子の適切な作動を確実なものにするために、構成および監視アルゴリズムを実行するように適合されてよい。ゲートウェイ装置は更に、状態素子とゲートウェイ装置の間の通信路におけるエラー検出のためにタイムスタンプ警報アルゴリズムを実行するように適合されてよい。
【０２９５】
複数の過電流保護ヒューズ用回路保護器信号送信システムのある実施形態が記述され、過電流保護ヒューズのそれぞれは、第１および第２端子素子の間に延伸する主要ヒューズ素子を有し、主要ヒューズ素子は、主要ヒューズ素子を介して指定した電流状態が発生したときにそこを介する遮断可能電流路を画定する。信号送信システムは、回路保護器のそれぞれに対応する状態素子であって、個々のヒューズの作動状態を感知するように適合された監視モジュールと、ヒューズにおける電流路が開いたことが感知されたときに第１メッセージプロトコルを有するＲＦデータを生成するように適合され、低電力無線周波数（ＲＦ）送信機を有する少なくとも１つの通信モジュールを備える状態素子と、通信モジュールの送信範囲内に位置する複数の無線中継器／ルーター素子であって、状態素子のいずれからのＲＦデータ信号を受信および、その信号を、中継器／ルーター素子を介して転送されたＲＦデータ信号を受信し、第１メッセージプロトコルとは異なるネットワーク通信プロトコルに変換するように適合されたゲートウェイ装置に転送するように適合されている複数の中継器／ルーター素子を備える。
【０２９６】
随意に、監視モジュールは、ヒューズの本体外部の位置にある個々のヒューズの第１および第２端子素子に機械的および電気的に接続されており、それにより、設置されたヒューズへの後付け設置が可能になる。データ信号は、固有識別コード、アドレスコード、および故障コードを含んでよい。電子ゲートウェイ装置は、中継器／ルーター素子の適切な作動を確実なものにするために、診断、テスト、および故障探求手順を実行するように適合でき、中継器／ルーター素子をシステムに追加またはシステムから削減する管理をインテリジェントな方法で行うことができる。ゲートウェイ装置は更に、状態素子の監視モードを特定するように適合でき、監視モードは、登録状態、発見状態、起動状態、中断状態、非起動状態、およびオフライン状態を備えるグループから選択される。
【０２９７】
回路保護器が作動して、電気システムの一部分を電気システムの別の部分から隔離したときに、電気システムの影響を受けた回路を効率よく再作動する方法のある実施形態が記述される。本方法は、関心対象の個々の回路保護器に近接する状態素子であって、連結された回路保護器の作動状態を示すデータ信号を生成するように適合された状態素子と、状態素子の送信範囲内の少なくとも１つの中継器／ルーター素子と、中継器／ルーター素子からの信号を受信するように適合された電子ゲートウェイ装置を設けることと、状態素子を使用して、電気システムに設置されたときに、回路保護器の作動状態を感知することと、回路保護器の感知された状態に基づいて、状態素子の少なくとも１つから中継器／ルーター素子へデータ信号を送信することと、中継器／ルーター素子を使用してデータ信号を電子ゲートウェイ装置に転送することを含む。
【０２９８】
随意に、この方法は更に、回路保護器の１つが作動して電気システムの一部分を隔離したときに、ゲートウェイ装置を使用して信号を電子概要および応答急送システムに通信することを含む。状態素子からデータ信号を送信することは、作動した回路保護器の位置を特定するために少なくとも識別コードとアドレスコードを備えるデータ信号を送信することを含んでよい。回路保護器の作動状態を感知することは、回路保護器の両端にかかる電圧降下を感知することを備えてよい。この方法は更に、ゲートウェイ装置を使用して、遠隔管理システムと通信する前に、中継器／ルーター素子から受信した信号を処理することを含んでよい。関心対象の個々の回路保護器に近接する状態素子を設けることは、感知モジュールを、関心対象の回路保護器の外部表面に取り付けることを含んでよく、それにより電気システムの既存ヒューズへの後付け設置が容易になる。
【０２９９】
回路保護器システムのある実施形態もまた記述される。本システムは、電気システムにおける複数の回路保護器の作動状態を感知する手段と、回路保護器の１つまたは２つ以上の感知された作動に対応するデータ信号を送信する手段であって、それにより電気システムの少なくとも一部分を電気システムの別の部分から隔離する手段と、データ信号を受信および転送する手段であって、送信手段から遠く離れて位置する手段と、転送されたデータ信号を処理する手段であって、遠隔概要および応答急送システムと通信する手段を含む。
【０３００】
随意に、送信手段は低電力ワイヤレス信号を送信する手段を備え、受信手段は、インテリジェントゲートウェイ装置素子を含む。回路保護器はヒューズであってよく、作動感知手段は、電圧センサをヒューズの外部表面に取り付ける手段を含んでもよい。
【０３０１】
回路保護器信号送信キットもまたここで記述される。本キットは、電気システムにおいて回路保護器への後付け設置に適合されている少なくとも１つの状態素子であって、回路保護器が作動して電気システムの一部分を遮断し、電気システムの別の部分から隔離したときに、低電力ワイヤレスデータ信号を生成するように適合されている状態素子と、状態素子の信号送信範囲内のある場所においてワイヤレスデータ信号を受信するように適合されている少なくとも１つのルーター中継器素子と、少なくとも１つの中継器／ルーター素子から転送されたデータ信号を受信するように適合されたゲートウェイ装置であって、データ信号を、ネットワークベース概要および応答急送システムとの通信のためにネットワーク通信プロトコルに変換するように適合されているゲートウェイ装置を含む。
【０３０２】
電気システムにおける回路保護器を管理する方法の１つの実施形態であって、回路保護器状態素子が回路保護器に連結されている実施形態がここで開示される。状態素子は、遠隔電子作動システムへの通信のためにデータ信号を生成するように適合され、本方法は、電気システムにおける個々の回路保護器に対応する、作動システムへの設置データを容認することと、回路保護器の作動状態に対応するデータメッセージを受信することと、データメッセージがアラーム状態に対応するかを判断することと、アラーム状態であると判断された場合に、ユーザーによる検査のために、アラーム状態に関する情報を提示することを含む。
【０３０３】
随意に、本方法は、アラーム要約ディスプレイ、アラーム詳細ディスプレイ、およびアラームオプションディスプレイを含む画面ディスプレイに情報を提示することを含んでよい。アラームオプションディスプレイは、アラーム確認応答、アラーム除去、またはアラーム転送オプションを含んでよい。本方法はまた、サイト平面図および回路保護器概要ディスプレイに情報を提示することを含んでもよく、この場合、電気システム内の回路保護器の相対位置は決定できる。情報は、回路保護器位置および回路保護器の型の少なくとも１つを含むことができる。
【０３０４】
随意に、本方法は、ｅメール通知、ファックス通知、ページャー通知、または音声メッセージ伝達の少なくとも１つを介して、指定された要員へのアラーム通知と召集を電子的に生成することも含んでよい。
【０３０５】
本方法はまた、アラーム状態の電子的確認応答を待つことであって、アラーム状態が確認応答されないときは指定された要員に自動的に通知することを更に含んでよい。本方法はまた、アラーム状態が確認応答されないときはアラーム状態の段階を引き上げ、電気システムに関する特別手段を開始することも含んでよい。データメッセージは、固有無線識別子と、状態素子用製造者シリアル番号と、回路保護器用装置型コードと、回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数のデータビットの少なくとも１つを含んでよい。情報は、表形式およびグラフィック形式で提示できる。ディスプレイ情報は、電気システムと、連結された回路保護器を示す設備ツリーを含んでよい。
【０３０６】
電気システムに対応する回路保護器情報を管理するネットワークベースシステムのある実施形態もまたここで記述される。本システムは、ブラウザを備えるクライアントシステムと、情報格納用データベースと、クライアントシステムおよびデータベースに結合されるように適合されたサーバーシステムであって、電気システムにおける個々の回路保護器に対応する設置データを容認し、回路保護器の作動状態に対応するデータ信号を受信し、アラーム状態が存在する場合は、ユーザーによる検査のために、アラーム状態に関する情報を表示するように適合されているサーバーシステムを含む。
【０３０７】
随意に、ディスプレイ情報は、アラーム状態要約画面、回路保護器要約ディスプレイ、電気システム用サイト平面図、表、アラーム深刻度情報、アラーム確認応答情報、アラーム除去情報、またはアラーム転送情報を含んでよい。ディスプレイ情報は、回路保護器位置と回路保護器の型の少なくとも１つを含むことができる。本システムは、ｅメール通知、ファックス通知、ページャー通知、または音声メッセージ伝達の少なくとも１つを介して、指定した要員へのアラーム通知および召集を自動的に生成するように適合できる。サーバーシステムは、アラーム状態の確認応答を待ち、アラーム状態が確認応答されなかった場合に、指定された要員に通知するように適合できる。サーバーシステムは、アラーム状態が確認応答されない場合は、アラーム状態の段階を引き上げるように更に適合でき、サーバーシステムは、電気システムに関する特別手順を開始するように適合できる。
【０３０８】
データ信号は、固有無線識別子と、状態素子用製造者シリアル番号と、回路保護器用装置型コードと、回路保護器用位置またはアドレスコードと、電力／制御コードと、機器識別コードと、テストコードと、故障コードと、顧客コードと、温度コードと、振動コードと、変位コードと、機械的応力コードと、機械的ひずみコードと、音響放射コードと、ノイズコードと、熱映像コードと、電気抵抗コードと、圧力コードと、湿度コードと、およびビデオコードとを備えるグループから選択された複数のデータビットの少なくとも１つを随意に含んでよい。アラーム状態は、閾値アラームまたは開いた回路保護器アラームの少なくとも１つを含むことができる。クライアントシステムに関連するユーザーは、電気システム技術者、保守者、回路保護製造元技術サポート者、電気システムの設備管理者、および回路保護器流通業者の少なくとも１人を含んでよい。サーバーシステムは、少なくとも１つの遠隔システムと通信状態にあってよく、少なくとも１つの遠隔システムは、在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択できる。
【０３０９】
サーバーシステムは、ヒューズを流れる電流が所定の状態になったときに開くように構築された主要ヒューズ素子を有する回路保護器の作動状態に対応するデータ信号を受信し、データ信号が閾値アラームまたは開いたヒューズアラームに対応するかを判断し、アラーム状態が検出されたときに、ユーザーによる検査のために、アラームに関連するヒューズに関する情報を表示するように、随意に適合できる。サーバーシステムは、電気システムにおける回路保護器と、アラーム通知情報と、アラーム確認応答情報に対応するマップ情報を提示するように更に適合することもできる。
【０３１０】
電気システムに対応する回路保護器情報を管理するネットワークベースシステムのある実施形態もまたここで開示される。回路保護器は、そこを流れる電流の所定の状態に応答して開く主要ヒューズ素子を備えるヒューズと、ヒューズの作動状態に関するデータ信号を生成する状態素子を含む。ネットワークベースシステムは、ブラウザを備えるクライアントシステムと、回路保護器と電気システムに関する設置情報を格納するデータベースと、クライアントシステムおよびデータベースに結合されるように適合されたサーバーシステムであって、回路保護器の作動状態に対応するデータ信号を受信し、データ信号がアラーム状態に対応するかを判断し、アラーム状態が検出された場合は、ユーザーによる検査のために、アラーム状態に関する情報であって、少なくともアラームにヒューズの位置およびヒューズの型を含み、それによりアラームに応答する要員がアラーム源の位置を迅速に突き止め、アラーム状態を修正できる情報を表示するように更に適合されているサーバーシステムを含む。
【０３１１】
電気システムに対応する回路保護器情報を管理するための、コンピュータ読み取り可能媒体上に埋め込まれたコンピュータプログラムのある実施形態もまた記述される。本プログラムは、回路保護器の作動状態に対応するデータ信号を受信し、受信された信号に応答して、データ信号がアラーム状態に対応するかを判断し、ユーザーによる検査のために、アラーム状態に関する情報を表示する少なくとも１つのコードセグメントを備える。
【０３１２】
随意に、本プログラムは、回路保護器位置と回路保護器の型を備えるアラーム状態要約画面を表示し、電気システム用のサイト平面図であって、電気システムにおける回路保護器の位置を含むサイト平面図を表示し、アラーム深刻度情報を表示し、アラーム確認応答情報を表示し、アラーム状態に対応する回路保護器の型の絵を表示し、アラームを、ユーザー入力接触番号またはアドレスに転送し、ｅメール通知、ファックス通知、ページャー通知、および音声メッセージ伝達の少なくとも１つを介して指定された要員へのアラーム通知および召集を自動的に生成し、アラーム状態の確認応答を待ち、アラーム状態が確認応答されなかったときは、指定された要員に通知し、アラーム状態が確認応答されなかったときは、アラーム状態の段階を引き上げ、電気システムに関連する特別手順を開始し、または、在庫が使用されて枯渇した回路保護器の在庫を補給する回路保護器在庫管理システムと、コンピュータ化された保守管理システムと、監視制御およびデータ取得システムと、産業制御および自動化システムと、事業資源計画システムと、電子データ交換システムと、製造資源計画システムと、および供給チェーン管理システムのグループから選択された少なくとも１つの遠隔システムと通信する少なくとも１つのコードセグメントを含む。
【０３１３】
ヒューズを流れる電流が所定の状態になったときに開くように構築された主要ヒューズ素子を有する回路保護器の作動状態に対応するデータ信号を受信し、電気システムと、連結された回路保護器を示す設備ツリーを表示するコードセグメントもまた設けることができる。
【０３１４】
少なくとも１つの回路保護器と、回路保護器に連結された状態素子を有する電気システムに対応する回路保護器情報を管理する電子システムのある実施形態がここで記述される。本システムは、電気システムにおいて少なくとも１つの回路保護器に関連する設置データを格納する手段と、少なくとも１つの回路保護器の作動可能状態に関するデータメッセージを受信する手段と、回路保護器アラーム状態と、少なくともアラーム状態を引き起こした回路保護器の位置と、回路保護器の型を含む情報をユーザーに表示する手段を含む。
【０３１５】
随意に、設置データ格納手段はデータベースを備える。設置データは、固有無線識別子、回路保護器のシリアル番号、装置型コード、回路保護器の位置コード、通信装置用ワイヤレスアドレス、ゲートウェイ装置用ＩＰアドレス、入信データ信号用タイム／日付スタンプ、ソフトウェアバージョンコード、ハードウェアバージョンコード、入信メッセージ用パケットカウント、入信データパケットおよびメッセージ用エラーカウント、エラーコードサイトレイアウト図、電気システムサイト系統図、顧客識別子、および自動化された警報通知接触情報のグループから選択できる。受信手段は、ネットワークベースシステムを備えることができ、表示手段は、コンピュータ読み取り可能媒体上に埋め込まれたコンピュータプログラムを備える。アラーム状態は、アラーム閾値または開いた回路保護器アラームを備える。
【０３１６】
本システムは、指定された要員との直接接触手段を更に備えることができ、直接接触手段は、電話、ページャー、ファックス装置、テキストメッセージ伝達装置、または個人デジタル支援装置を備える。表示手段はクライアントシステムを備えることができ、クライアントシステムに関連するユーザーは、電気システム技術者、保守者、回路保護製造元技術サポート者、電気システムの設備管理者、および回路保護器流通業者の少なくとも１人を含む。
【０３１７】
回路保護器管理用応答ツールのある実施形態がここで記述される。本ツールは、ユーザーにより電気システム内の回路保護器のサイトへ持ち運ばれるように適合されている携帯電子装置と、この装置に取り付けられ、回路保護器データをユーザーに提示するディスプレイを含み、情報は、電気システムにおける回路保護器に対応する位置データを含み、識別情報は、回路保護器に対応する。
【０３１８】
随意に、本ツールは、コントローラに結合された通信装置を更に含み、通信装置は、ページャー装置、携帯電話装置、またはブルートゥース装置を含むことができる。本ツールは、デジタルマルチメータ装置と、ＲＦＩＤスキャナー、文書スキャナー、およびバーコードスキャナーのようなスキャナー装置を更に含むことができる。本ツールは、ウェブブラウザと、全地球測位システム装置のような回路保護器の位置を突き止めるために使用される測位装置を含むことができる。温度計、スペクトラムアナライザ、撮像装置、および少なくとも１つのオーディオ／ビデオ装置、エンタテイメント装置、および教育装置もまた本ツールに設けることができる。
【０３１９】
随意に、情報は、電気システムにおけるヒューズに対応する位置データを、ヒューズに対応する識別情報を含むことができる。作動した回路保護器に応答するときに利用すべき危険情報および予防策情報もまた設けることができる。
【０３２０】
少なくとも１つの過電流回路保護器と、回路保護器に連結された状態素子を有する電気システムにおける回路保護器管理用応答ツールの別の実施形態もまたここで開示される。状態素子は、回路保護器の作動状態に対応するデータ信号を生成し、応答ツールは、電気システムにおける回路保護器のサイトへユーザーにより持ち運ばれるように適合された保護ハウジングを備える携帯電子装置を含む。通信装置がハウジング内にあり、通信装置は、指定した電流状態が発生して、回路保護器の１つが作動して、回路保護器を介する電流路を遮断し、電気システムの一部分を隔離したときに、アラーム状態の自動化警報および通知を受信する。ディスプレイはハウジング内にあり、通信装置に接続されていて、本ディスプレイは、ユーザーに対して警報および通知を提示する。警報および通知データは、電気システムにおける回路保護器に対応する位置データと、回路保護器に対応する識別情報を含む。
【０３２１】
ヒューズを流れる電流の状態に応答して電気システムの一部分を隔離するように適合された少なくとも１つの過電流保護ヒューズを有する電気システムにおける回路保護器管理用応答ツールの別の実施形態が提供される。状態素子はヒューズに連結されており、過電流保護ヒューズの作動状態に対応するデータ信号を生成し、概要および応答急送システムは状態素子とワイヤレスで通信する。応答ツールは、ユーザーにより、電気システムにおいて選択された回路保護器設置個所に持ち運ばれるように適合され、保護ハウジングを備える携帯電子装置と、ハウジングに固定され、指定した電流状態が発生し、ヒューズが作動して回路保護器を介しての電流路を遮断し、電気システムの一部分を隔離したときに、概要および作動システムからアラーム状態の自動化された警報と通知を受信する通信装置と、ハウジングと通信装置に固定され、電気システムにおけるヒューズに対応する位置データを備える警報と通知データをユーザーに提示し、識別情報はヒューズに対応するディスプレイと、ハウジングに固定されたデジタルマルチメータ装置を含む。
【０３２２】
回路保護器が作動して、電気システムの一部分を電気システムの別の部分から隔離したときに、電気システムにおいて影響を受けた回路を効率よく再作動する方法もまたここで開示される。本方法は、関心対象の個々の回路保護器に近接する状態素子と、状態素子に応答する電子管理システムを設けることと、状態素子を使用して、電気システムに設置されたときに、回路保護器の作動状態を感知することと、回路保護器の感知された状態に基づいて、回路保護器の１つが作動して電気システムの一部分を隔離したときに、状態素子の少なくとも１つから遠隔位置へ、作動した回路保護器の位置を特定するために、少なくとも識別コードとアドレスコードを含むデータ信号を送信することと、送信された信号に応答して、作動した回路保護器と、作動した回路保護器の位置の有責要員への警報および召集を生成することと、警報および召集を、ユーザーにより作動した回路保護器へ持ち運ばれるように適合された手持ち、多機能応答ツールへ送ることを備える。
【０３２３】
随意に、多機能応答ツールは全地球測位システム装置を含み、本方法は、測地装置を使用して作動した回路保護器を見出すことを更に含む。本ツールは、マルチメータ装置、温度計、およびスペクトラムアナライザの１つを含むことができ、本方法は、マルチメータ装置、温度計、およびスペクトラムアナライザの１つを使用して、回路保護器の作動状態を調べることを含むことができる。多機能応答ツールは、随意にウェブブラウザを含むことができ、電子管理システムは、ネットワークベース概要および回路保護器システムを含むことができ、本方法は、ウェブブラウザを使用して、概要および回路保護器システムにログオンし、アラーム要約ディスプレイ、アラーム詳細ディスプレイ、およびアラームオプションの少なくとも１つを含むアラーム状態情報を得ることを更に含む。本方法はまた、ウェブブラウザを使用して概要および応答急送システムにログオンし、警報および召集を確認応答、除去、または転送することを含むことができる。更に、本方法はまた、特定された回路保護器の位置を突き止め、走査装置で回路保護器を走査し、回路保護器の正体および回路保護器の状態の少なくとも１つを確認することを更に含むことができる。
【０３２４】
回路保護器システムのある実施形態もまたここで提供され、本システムは、複数の過電流保護ヒューズであって、それぞれが第１および第２端子素子の間に延伸する主要ヒューズ素子を有し、主要ヒューズ素子は、主要ヒューズ素子を介して指定した電流状態が発生したときにそこを介する遮断可能電流路を画定する複数の過電流保護ヒューズと、回路保護器のそれぞれに連結された状態素子であって、個々のヒューズの第１および第２端子素子の両端にかかる電圧差を感知するように適合された監視モジュールと、低電力無線周波数（ＲＦ）送信機を有する少なくとも１つの通信モジュールであって、第１および第２端子素子の両端にかかる電圧降下が感知されたときに、ＲＦデータ信号を生成するように適合されている通信モジュールを含む状態素子と、状態素子のいずれからインテリジェントゲートウェイ装置へＲＦデータ信号を転送するように適合されている複数の無線ルーター／中継器素子と、ルーター／中継器素子を介して転送されたデータ信号を受信するように適合されているゲートウェイ装置と、ゲートウェイ装置と通信状態にある電子概要および応答急送システムであって、１つまたは２つ以上の作動したヒューズの有責要員に警報を発し、召集して、影響を受けた回路を効率よく再作動するために、交換する作動したヒューズの位置を特定するように適合されている概要および応答急送システムと、警報および召集に応答するために、ヒューズに持ち運ばれるように適合された多機能応答ツールであって、警報および召集を受信し、交換する作動したヒューズの位置を表示するように適合された応答ツールを含む。
【０３２５】
電気システムにおける複数の回路保護器の作動状態を感知する電気システム手段と、回路保護器の１つまたは２つ以上の感知された作動に対応するデータ信号を送信し、それにより電気システムの少なくとも一部分を電気システムの別の部分から隔離する手段用の回路保護器管理システムのある実施形態もまたここで開示される。本システムは、作動した回路保護器の型と位置の有責要員への警報および召集を、人間の介在なしに生成し、回路の効率的な再作動を可能にする手段と、回路保護器の１つまたは２つ以上の感知された作動に対応する警報および召集を受信する手段と、情報を、回路保護器の位置において、警報および召集に応答するためにユーザーに表示する手段を備える応答ツールを含む。
【０３２６】
本発明は、種々の具体的な実施形態より記述されたが、この技術に精通した者は、本発明が、請求項の精神および範囲内で修正なしに実践されることを認識するであろう。
【図面の簡単な説明】
【０３２７】
【図１】電気システムに結合された典型的回路保護器管理システムの概略ブロック図。
【図２】図１に示す回路保護器管理システムの方法フローチャート。
【図３】図１に示す回路保護器管理システム用の回路保護器およびパネルの典型的実施形態の概略ブロック図。
【図４】図３に示す状態素子の概略ブロック図。
【図５】図３に示すリーダー素子の概略ブロック図。
【図６】図３に示す回路保護器およびパネル用の回路保護器の作動状態を決定する第１方法の方法フローチャート。
【図７】図３に示す回路保護器およびパネル用の回路保護器の作動状態を決定する第２方法の方法フローチャート。
【図８】図３に示す回路保護器およびパネル用の回路保護器の作動状態を決定する第３方法の方法フローチャート。
【図９】図１に示す回路保護器管理システム用の回路保護器およびパネルの第２実施形態の概略ブロック図。
【図１０】図１に示す回路保護器管理システム用の回路保護器およびパネルの第３実施形態の概略ブロック図。
【図１１】図１に示す回路保護器管理システム用の回路保護器およびパネルの第４実施形態の概略ブロック図。
【図１２】図１に示す回路保護器管理システム用の回路保護器およびパネルの別の実施形態の透視図。
【図１３】図１２に示す監視アセンブリの概略ブロック図。
【図１４】図１２と図１３のアセンブリにおいて使用できるモジュールの内部部品を示す透視図。
【図１５】図１４に示す監視アセンブリの側面図。
【図１６】図１２と図１３のアセンブリにおいて使用できる回路保護器監視アセンブリの底部分解図。
【図１７】図１６に示すキットの第１バージョンを例示する。
【図１８】図１６に示すキットの第２バージョンを例示する。
【図１９】図１に示す回路保護器管理システムにおいて使用できる回路保護器監視モジュールの別の実施形態の透視図。
【図２０】図１９に示すモジュールの内部部品を示す透視図。
【図２１】図１に示す回路保護器管理システムにおいて使用できる回路保護器モジュールの別の実施形態の透視図。
【図２２】回路保護器に結合された、図２１に示すモジュールの透視図。
【図２３】図１に示す回路保護器管理システムにおいて使用できるネットワーク化回路保護信号送信システムの概略ブロック図。
【図２４】図２３に示す信号送信システムを模式的に示す。
【図２５】図２３と図２４に示すシステムの方法フローチャート。
【図２６】図２３−図２５に示すシステムの更なる実施形態を模式的に示す。
【図２７】図２３に示され、電気システムに接続された信号送信システムを利用する典型的回路保護器管理システムの典型的概略ブロック図。
【図２８】図２７に示す電気システムの典型的サイト図。
【図２９】本発明の更なる実施形態のシステム図。
【図３０】図１に示す概要および応答急送システムの典型的実施形態の簡略化されたブロック図。
【図３１】図３０に示す概要および応答急送システムのサーバーアーキテクチャの典型的実施形態の拡大ブロック図。
【図３２】図３０−図３２に示す概要および応答急送システムにより利用される典型的処理を例示するフローチャート。
【図３３】概要および応答急送システムのユーザー用のログオン画面を表示するユーザーインタフェースの例としての実施形態。
【図３４】回路保護器のレイアウトと概要を表示するユーザーインタフェースの例としての実施形態。
【図３５】アラーム状態において、回路保護器のレイアウトを表示するユーザーインタフェースの例としての実施形態。
【図３６】回路保護器アラーム管理要約を表示するユーザーインタフェースの例としての実施形態。
【図３７】回路保護器アラーム管理オプションを表示するユーザーインタフェースの例としての実施形態。
【図３８】回路保護器アラーム詳細を表示するユーザーインタフェースの例としての実施形態。
【図３９】回路保護器転送を表示するユーザーインタフェースの例としての実施形態。
【図４０】回路保護器アラーム確認応答を表示するユーザーインタフェースの例としての実施形態。
【図４１】回路保護器アラーム除去を表示するユーザーインタフェースの例としての実施形態。
【図４２】回路保護器アラーム注釈を表示するユーザーインタフェースの例としての実施形態。
【図４３】図３０−図３２に示す概要および応答急送システムのユーザーに対して、回路保護器のレイアウトと概要を表示するユーザーインタフェースの第２の例としての実施形態。
【図４４】ゾーンアラーム要約を表示するユーザーインタフェースの例としての実施形態。
【図４５】回路保護器アラーム要約を表示するユーザーインタフェースの例としての実施形態。
【図４６】回路保護器アラーム詳細を表示するユーザーインタフェースの例としての実施形態。
【図４７】回路保護器応答ツールを含む典型的回路保護器管理システムの概略図。
【図４８】図４７に示す回路保護器管理システムツールを使用して、回路保護器警報に応答するための典型的方法フローチャート。
【図１】
2008512983.tif 000002
【図２】
2008512983.tif 000003
【図３】
2008512983.tif 000004
【図４】
2008512983.tif 000005
【図５】
2008512983.tif 000006
【図６】
2008512983.tif 000007
【図７】
2008512983.tif 000008
【図８】
2008512983.tif 000009
【図９】
2008512983.tif 000010
【図１０】
2008512983.tif 000011
【図１１】
2008512983.tif 000012
【図１２】
2008512983.tif 000013
【図１３】
2008512983.tif 000014
【図１４】
2008512983.tif 000015
【図１５】
2008512983.tif 000016
【図１６】
2008512983.tif 000017
【図１７】
2008512983.tif 000018
【図１８】
2008512983.tif 000019
【図１９】
2008512983.tif 000020
【図２０】
2008512983.tif 000021
【図２１】
2008512983.tif 000022
【図２２】
2008512983.tif 000023
【図２３】
2008512983.tif 000024
【図２４】
2008512983.tif 000025
【図２５】
2008512983.tif 000026
【図２６】
2008512983.tif 000027
【図２７】
2008512983.tif 000028
【図２８】
2008512983.tif 000029
【図２９】
2008512983.tif 000030
【図３０】
2008512983.tif 000031
【図３１】
2008512983.tif 000032
【図３２】
2008512983.tif 000033
【図３３】
2008512983.tif 000034
【図３４】
2008512983.tif 000035
【図３５】
2008512983.tif 000036
【図３６】
2008512983.tif 000037
【図３７】
2008512983.tif 000038
【図３８】
2008512983.tif 000039
【図３９】
2008512983.tif 000040
【図４０】
2008512983.tif 000041
【図４１】
2008512983.tif 000042
【図４２】
2008512983.tif 000043
【図４３】
2008512983.tif 000044
【図４４】
2008512983.tif 000045
【図４５】
2008512983.tif 000046
【図４６】
2008512983.tif 000047
【図４７】
2008512983.tif 000048
【図４８】
2008512983.tif 000049